(57)【要約】複数の記録層を有する情報記録媒体の製造時に、いずれかの記録層に不具合が生じたとしても、その程度に応じて記録層を有効利用できるようにする。  各記録部が積層されてなる複数の記録層５０２，５０３を備え、前記複数の記録部５０２，５０３の各記録部ごとの使用性能に関する使用性能情報が所定箇所としてのＢＣＡ（Ｂｕｒｓｔ  Ｃｕｔｔｉｎｇ  Ａｒｅａ）、ディスク管理領域（ＤＭＡ（Ｄｉｓｃ  Ｍａｎａｇｅｍｅｎｔ  Ａｒｅａ））等に記述されている、光ディスクを一例とする情報記録媒体。【特許請求の範囲】
【請求項１】
複数の記録部を備え、
前記複数の記録部の各記録部ごとの使用性能に関する使用性能情報が所定箇所に記述されている、情報記録媒体。
【請求項２】
前記複数の記録部は、各記録部が積層されてなる複数の記録層である構成を有する光ディスクである、請求の範囲第１項記載の情報記録媒体。
【請求項３】
前記複数の記録層はいずれも円環の形状を有し、前記所定箇所は、前記円環より内周側に設けられている、請求の範囲第２項記載の情報記録媒体。
【請求項４】
前記所定箇所はＢＣＡ（Ｂｕｒｓｔ  Ｃｕｔｔｉｎｇ  Ａｒｅａ）である、請求の範囲第３項記載の情報記録媒体。
【請求項５】
前記各記録部は円環の形状を有し、前記所定箇所は、前記記録層上の任意の箇所である、請求の範囲第２項記載の情報記録媒体。
【請求項６】
前記任意の箇所は、前記光ディスクに関する管理情報が記録されるディスク管理領域（ＤＭＡ（Ｄｉｓｃ  Ｍａｎａｇｅｍｅｎｔ  Ａｒｅａ））である、請求の範囲第５項記載の情報記録媒体。
【請求項７】
前記ＤＭＡには、
前記光ディスクに関する管理情報であるディスク管理情報と、前記ディスク管理情報が配置される位置の位置情報を含むＤＤＳ（Ｄｉｓｃ  Ｄｅｆｉｎｉｔｉｏｎ  Ｓｔｒｕｃｔｕｒｅ）とが記述され、
前記所定箇所は、前記ディスク管理情報の記述箇所又は前記ＤＤＳの記述箇所である、請求の範囲第４項記載の情報記録媒体。
【請求項８】
前記使用性能情報は、前記記録部が、少なくとも（１）記録不可、（２）追記のみ可能、及び（３）繰り返し記録可能のいずれか一つの状態であることを示すものである、請求の範囲第１項記載の情報記録媒体。
【請求項９】
複数の記録部を有する情報記録媒体へ情報を記録する記録装置であって、
前記複数の記録部の各記録部ごとの使用性能の結果を、前記情報である、前記使用性能に関する使用性能情報として、所定箇所に記述する記述手段を備えた、情報記録媒体の記録装置。
【請求項１０】
前記情報記録媒体は、各記録部が積層されてなる複数の円環形状の記録層を有する光ディスクであって、
前記使用性能の検査は、前記各記録部に光学的に情報の記録又は再生を行うことにより行われるものであり、
前記所定箇所は、少なくとも前記ディスク基板及び前記各記録層から選択される任意の箇所である、請求の範囲第９項記載の情報記録媒体の記録装置。
【請求項１１】
前記任意の箇所は、前記ディスク基板の、前記複数の記録層の円環より内周側に形成されるＢＣＡ（Ｂｕｒｓｔ  Ｃｕｔｔｉｎｇ  Ａｒｅａ）である、請求の範囲第１０項記載の情報記録媒体の記録装置。
【請求項１２】
前記任意の箇所は、前記光ディスクに関する管理情報が記録されるディスク管理領域（ＤＭＡ）である、請求の範囲第１０項記載の情報記録媒体の記録装置。
【請求項１３】
複数の記録部を有する情報記録媒体の製造装置であって、
ディスク基板に複数の記録膜を積層して貼り合わせることにより前記複数の記録部を有する媒体本体を作成する張り合わせ手段と、
請求の範囲第９項から第１２項のいずれか１項記載の情報記録媒体の記録装置とを備え、
前記媒体本体に前記使用性能情報を記録することにより、前記使用性能情報が記録された情報記録媒体を作成する、情報記録媒体の製造装置。
【請求項１４】
複数の記録部を有する情報記録媒体へ情報を記録する記録方法であって、
（ａ）前記複数の記録部の各記録部ごとの使用性能を検査するステップと、
（ｂ）前記検査の結果を、前記情報である、前記使用性能に関する使用性能情報として、所定箇所に記述するステップとを備えた、情報記録媒体の記録方法。
【請求項１５】
複数の記録部を有する情報記録媒体の製造方法であって、
（ａ）ディスク基板に複数の記録膜を積層して貼り合わせることにより前記複数の記録部を有する媒体本体を作成するステップと、
（ｂ）請求の範囲第１４項記載の情報記録媒体の記録方法により、前記媒体本体に前記使用性能情報を記録するステップとを備えた、情報記録媒体の製造方法。
【請求項１６】
請求の範囲第１項から第７項のいずれかの１項記載の情報記録媒体を使用可能にする処理を行う処理装置であって、
前記情報記録媒体の前記所定箇所から、前記使用性能情報を読み出す読み出し手段と、
前記読み出し手段が読み出した前記使用性能情報に基づき、前記複数の記録部の各記録部について、使用性能の程度を判別する判別手段と、
前記判別手段により使用性能が少なくとも非ではないと判別された前記記録部におけるデータ領域をデータを記録又は再生可能な論理空間とし、その論理空間におけるアドレスである論理アドレスを割り当てる割り当て手段とを備えた、情報記録媒体の処理装置。
【請求項１７】
前記割り当て手段は、使用性能が少なくとも非でないと判別された前記記録部のうち、前記読み出しが行われる側に近い前記記録部から順に、前記論理アドレスを割り当てる、請求の範囲第１６項記載の情報記録媒体の処理装置。
【請求項１８】
前記割り当て手段は、使用性能が少なくとも非でないと判別された前記各記録部毎の物理アドレスの割り当て方向及び前記各記録部の間の物理アドレスの割り当て方向と一致する方向に前記論理アドレスを割り当てる、請求の範囲第１６項記載の情報記録媒体の処理装置。
【請求項１９】
請求の範囲第１項から第７項のいずれかの１項記載の情報記録媒体を使用可能にするための使用準備方法であって、
（ａ）前記情報記録媒体の前記所定箇所から、前記使用性能情報を読み出すステップと、
（ｂ）前記ステップ（ａ）で読み出した前記使用性能情報に基づき、前記複数の記録部の各記録部について、使用性能が少なくとも非でないかどうかを判別するステップと、
（ｃ）前記ステップ（ｂ）で使用性能が少なくとも非でないと判別された前記記録部におけるデータ領域をデータを記録又は再生可能な論理空間とし、その論理空間におけるアドレスである論理アドレスを割り当てるステップとを備えた、情報記録媒体の使用準備方法。
【発明の詳細な説明】
【技術分野】
【０００１】  本発明は、情報記録媒体、その製造方法、その処理装置並びにその使用準備方法、及び情報記録方法並びに情報記録装置に関する。
【背景技術】
【０００２】  近年、大容量で交換可能な情報記録媒体、およびそれを扱うディスクドライブ装置が広く普及している。【０００３】  従来の大容量で交換可能な情報記録媒体としては、ＤＶＤ−ＲＡＭのような光ディスクが良く知られている。光ディスクドライブ装置は、レーザ光を用いて光ディスク上に微小なピットを形成することによって記録再生を行うので、大容量で交換可能な情報記録に適している（例えば文献“１２０ｍｍ（４，７Ｇｂｙｔｅｓ  ｐｅｒ  ｓｉｄｅ）ａｎｄ  ８０ｍｍ（１，４６Ｇｂｙｔｅｓ  ｐｅｒ  ｓｉｄｅ）ＤＶＤ−Ｒｅｗｒｉｔａｂｌｅ  Ｄｉｓｋ（ＤＶＤ−ＲＡＭ）”，Ｓｔａｎｄａｒｄ  ＥＣＭＡ−３３０，Ｄｅｃｅｍｂｅｒ  ２００１参照）。【０００４】  図１８は、一般的な記録型光ディスクの領域構成図である。円盤状の記録型光ディスク１には、スパイラル状に多数のトラック２が形成されており、各トラック２には細かく分けられた多数のブロック３が形成されている。ブロック３は、エラー訂正の単位であり、記録および再生動作が行われる最小の単位である。例えば、ＤＶＤ−ＲＡＭの場合には１ＥＣＣ（３２ＫＢｙｔｅ）サイズである。また記録層は１面に１層のみ存在するというもの、つまり単層ディスクである。【０００５】  光ディスク１の領域は、ＢＣＡ（Ｂｕｒｓｔ  Ｃｕｔｔｉｎｇ  Ａｒｅａ）４と内周領域５とデータ領域６と外周領域７に大別される。【０００６】  ＢＣＡ４は光ディスク１の製造の段階で特殊な装置を用いてディスクごとにバーコード状に形成され、例えばレーザで反射膜を除去して形成されたりする。なおＢＣＡ４は特殊な装置を用いてのみ記録可能であり、一般の光ディスクドライブ装置では記録できない。ＢＣＡ４には光ディスク１個々の識別情報等が記録される。なお片面に記録層を複数備えた多層ディスクの場合でも、ＢＣＡは１つの面につき１つのみ存在する。【０００７】  ユーザデータの記録再生はデータ領域６に対して行われる。【０００８】  内周領域５と外周領域７は、光ディスク１の管理情報等が記録される領域であり、一般的に単層ディスクの場合には内周領域５はリードイン領域、また外周領域７はリードアウト領域と呼ばれる領域である。これらの領域はまた、光ヘッド（図示せず）がデータ領域６の端へアクセスする場合に、光ヘッドがオーバーランしてもトラックに追随できるようにのりしろとしての役割も果たす。
【発明の開示】
【発明が解決しようとする課題】
【０００９】  さらに近年では、さらなる大容量化の手段として、レーザとして赤色レーザを用いるＤＶＤから、波長の短い青色レーザを用いるＢｌｕ−ｒａｙディスク（以下ＢＤと呼ぶ）の開発が進められている一方で、ディスクの１面に記録層を２枚重ねて備えた２層ディスクのような、複数の記録層を備えた多層ディスクの開発が進められている。【００１０】  これらの複数記録層ディスクの製造技術はまだ開発されたばかりであることに加え、同一の面に複数の記録層を張り合わせるものであるために、各記録層の記録特性に違いが生じ、場合によっては、ある記録層の記録特性は問題無いものの、他の記録層の記録特性は商品レベルとして不十分なディスクが出来上がることがしばしば発生する。つまりディスク製造工程において、全ての記録層が商品レベルとして十分なディスクが出来上がる確率、つまり歩留まりが非常に悪いという問題があった。そのためディスク製造会社においてはディスクの単価を安く抑えることができなくなり、一般ユーザにとっても不利益が生じる結果となる。【００１１】  例えば、多層ディスクにおいては、例えば２層ディスクの１層の記録特性しか商品レベルでない場合は、あたかも単層ディスクとして使いたいという要望があった。また、書き換え型ディスクの場合、記録層の状態によっては、繰り返し記録できない場合でも、一回限りの記録なら行える追記型ディスクとして用いることにもニーズがあった。【００１２】  つまり、あたかも単層ディスク、もしくは追記可能ディスクとして扱うことで、仮想的に歩留まりを良くすることが出来れば、不良品発生による不要なコストを削減できるため単価を安く抑えることが期待できるというものである。【００１３】  本発明は、上記のような課題に鑑みてなされたものであり、複数の記録層を有する情報記録媒体の製造時に、いずれかの記録層に不具合が生じたとしても、その程度に応じて記録層を有効利用できるような情報記録媒体等を提供することを目的とする。
【課題を解決するための手段】
【００１４】  上記の目的を達成するために、第１の本発明は、複数の記録部を備え、
前記複数の記録部の各記録部ごとの使用性能に関する使用性能情報が所定箇所に記述されている、情報記録媒体である。【００１５】  第２の本発明は、前記複数の記録部は、各記録部が積層されてなる複数の記録層である構成を有する光ディスクである、第１の本発明の情報記録媒体である。【００１６】  第３の本発明は、前記複数の記録層はいずれも円環の形状を有し、前記所定箇所は、前記円環より内周側に設けられている、第２の本発明の情報記録媒体である。【００１７】  第４の本発明は、前記所定箇所はＢＣＡ（Ｂｕｒｓｔ  Ｃｕｔｔｉｎｇ  Ａｒｅａ）である、第３の本発明の情報記録媒体である。【００１８】  第５の本発明は、前記各記録部は円環の形状を有し、前記所定箇所は、前記記録層上の任意の箇所である、第２の本発明の情報記録媒体である。【００１９】  第６の本発明は、前記任意の箇所は、前記光ディスクに関する管理情報が記録されるディスク管理領域（ＤＭＡ（Ｄｉｓｃ  Ｍａｎａｇｅｍｅｎｔ  Ａｒｅａ））である、第５の本発明の情報記録媒体である。【００２０】  第７の本発明は、前記ＤＭＡには、
前記光ディスクに関する管理情報であるディスク管理情報と、前記ディスク管理情報が配置される位置の位置情報を含むＤＤＳ（Ｄｉｓｃ  Ｄｅｆｉｎｉｔｉｏｎ  Ｓｔｒｕｃｔｕｒｅ）とが記述され、
前記所定箇所は、前記ディスク管理情報の記述箇所又は前記ＤＤＳの記述箇所である、第４の本発明の情報記録媒体である。【００２１】  第８の本発明は、前記使用性能情報は、前記記録部が、少なくとも（１）記録不可、（２）追記のみ可能、及び（３）繰り返し記録可能のいずれか一つの状態であることを示すものである、第１の本発明の情報記録媒体である。【００２２】  第９の本発明は、複数の記録部を有する情報記録媒体へ情報を記録する記録装置であって、
前記複数の記録部の各記録部ごとの使用性能の結果を、前記情報である、前記使用性能に関する使用性能情報として、所定箇所に記述する記述手段を備えた、情報記録媒体の記録装置である。【００２３】  第１０の本発明は、前記情報記録媒体は、各記録部が積層されてなる複数の円環形状の記録層を有する光ディスクであって、
前記使用性能の検査は、前記各記録部に光学的に情報の記録又は再生を行うことにより行われるものであり、
前記所定箇所は、少なくとも前記ディスク基板及び前記各記録層から選択される任意の箇所である、第９の本発明の情報記録媒体の記録装置である。【００２４】  第１１の本発明は、前記任意の箇所は、前記ディスク基板の、前記複数の記録層の円環より内周側に形成されるＢＣＡ（Ｂｕｒｓｔ  Ｃｕｔｔｉｎｇ  Ａｒｅａ）である、第１０の本発明の情報記録媒体の記録装置である。【００２５】  第１２の本発明は、前記任意の箇所は、前記光ディスクに関する管理情報が記録されるディスク管理領域（ＤＭＡ）である、第１０の本発明の情報記録媒体の記録装置である。【００２６】  第１３の本発明は、複数の記録部を有する情報記録媒体の製造装置であって、
ディスク基板に複数の記録膜を積層して貼り合わせることにより前記複数の記録部を有する媒体本体を作成する張り合わせ手段と、
第９から第１２のいずれかの本発明の情報記録媒体の記録装置とを備え、
前記媒体本体に前記使用性能情報を記録することにより、前記使用性能情報が記録された情報記録媒体を作成する、情報記録媒体の製造装置である。【００２７】  第１４の本発明は、複数の記録部を有する情報記録媒体へ情報を記録する記録方法であって、
（ａ）前記複数の記録部の各記録部ごとの使用性能を検査するステップと、
（ｂ）前記検査の結果を、前記情報である、前記使用性能に関する使用性能情報として、所定箇所に記述するステップとを備えた、情報記録媒体の記録方法である。【００２８】  第１５の本発明は、複数の記録部を有する情報記録媒体の製造方法であって、
（ａ）ディスク基板に複数の記録膜を積層して貼り合わせることにより前記複数の記録部を有する媒体本体を作成するステップと、
（ｂ）第１４の本発明の情報記録媒体の記録方法により、前記媒体本体に前記使用性能情報を記録するステップとを備えた、情報記録媒体の製造方法である。【００２９】  第１６の本発明は、第１から第７の本発明の情報記録媒体を使用可能にする処理を行う処理装置であって、
前記情報記録媒体の前記所定箇所から、前記使用性能情報を読み出す読み出し手段と、
前記読み出し手段が読み出した前記使用性能情報に基づき、前記複数の記録部の各記録部について、使用性能の程度を判別する判別手段と、
前記判別手段により使用性能が少なくとも非ではないと判別された前記記録部におけるデータ領域をデータを記録又は再生可能な論理空間とし、その論理空間におけるアドレスである論理アドレスを割り当てる割り当て手段とを備えた、情報記録媒体の処理装置である。【００３０】  第１７の本発明は、前記割り当て手段は、使用性能が少なくとも非でないと判別された前記記録部のうち、前記読み出しが行われる側に近い前記記録部から順に、前記論理アドレスを割り当てる、第１６の本発明の情報記録媒体の処理装置。【００３１】  第１８の本発明は、前記割り当て手段は、使用性能が少なくとも非でないと判別された前記各記録部毎の物理アドレスの割り当て方向及び前記各記録部の間の物理アドレスの割り当て方向と一致する方向に前記論理アドレスを割り当てる、第１６の本発明の情報記録媒体の処理装置である。【００３２】  第１９の本発明は、第１から第７の本発明のいずれかの情報記録媒体を使用可能にするための使用準備方法であって、
（ａ）前記情報記録媒体の前記所定箇所から、前記使用性能情報を読み出すステップと、
（ｂ）前記ステップ（ａ）で読み出した前記使用性能情報に基づき、前記複数の記録部の各記録部について、使用性能が少なくとも非でないかどうかを判別するステップと、
（ｃ）前記ステップ（ｂ）で使用性能が少なくとも非でないと判別された前記記録部におけるデータ領域をデータを記録又は再生可能な論理空間とし、その論理空間におけるアドレスである論理アドレスを割り当てるステップとを備えた、情報記録媒体の使用準備方法である。【００３３】  上記のような本発明によれば、例えば、情報記録媒体が記録層毎に記録可能かどうかを判別するための層状態管理フラグを備えることで、例えば２層ディスクの２層目の記録特性が悪いディスクを、１層目のみ使用可能な単層ディスクのように見せかけることが出来るため、記録装置はこのディスクを普通のディスクと同様に扱って記録再生を行うことが可能となる。つまり、ある記録層の記録特性が悪いディスクが出来上がったとしても、それを使用可能なディスクとして扱うことができるため、ディスク製造工程の歩留まりを格段に向上させることが出来、製造コストを大幅に削減することが出来る。またディスクの製造コストが削減されることから、ディスクの単価低下も期待でき、ディスクを購入するユーザにとっても大きなメリットとなるものと期待される。
【発明の効果】
【００３４】  本発明によれば、複数の記録層を有する情報記録媒体の製造時に、いずれかの記録層に不具合が生じたとしても、その程度に応じて記録層を有効利用できるので、その情報記録媒体を破棄することなく提供することが可能となる。
【図面の簡単な説明】
【００３５】
【図１】本発明の実施の形態１〜３における、２層光ディスクの断面図
【図２】本発明の実施の形態１における、ディスク定義構造のデータ構造説明図
【図３】本発明の実施の形態における、記録層良否情報のデータ構造図
【図４】本発明の実施の形態１における、ディスク製造手順を示す図
【図５】本発明の実施の形態１における、光ディスク記録再生装置１００のブロック図
【図６】物理アドレスと論理アドレスとの対応関係説明図
【図７】本発明の実施の形態１における、ディスク読み込み（起動）手順を示す図
【図８】本発明の実施の形態における、記録層の使用順番の例を示す説明図
【図９】本発明の実施の形態２における、ディスク定義構造のデータ構造説明図
【図１０】本発明の実施の形態２における、光ディスク記録再生装置１００のブロック図
【図１１】ＦｏｒｍａｔコマンドのコマンドＣＤＢ説明図
【図１２】本発明の実施の形態２，３における、記録層良否情報の設定手順を示す図
【図１３】本発明の実施の形態２における、ディスク読み込み（起動）手順を示す図
【図１４】本発明の実施の形態３における、ディスク定義構造のデータ構造説明図
【図１５】本発明の実施の形態３における、欠陥エントリの構造および属性説明図
【図１６】本発明の実施の形態３における、ディスク読み込み（起動）手順を示す図
【図１７】本発明の実施の形態１〜３における、光ディスクの製造装置及び記録装置の構成図
【図１８】光ディスクの領域構成図
【符号の説明】
【００３６】  １  光ディスク
２  トラック
３  ブロック
４  ＢＣＡ
５  内周領域
６  データ領域
７  外周領域
１０，１１，１２，１３  ＤＭＡ
１４  ユーザデータ領域
１５  スペア領域
２０  ディスク定義構造（ＤＤＳ）
２１  ディスク管理情報
３０，４５  記録層良否情報
３１，４６  その他の情報
４０  ディスク定義構造識別子
４１  ディスク管理情報先頭位置情報
４２  スペア領域サイズ情報
４３  論理空間先頭位置情報
４４  論理空間サイズ情報
４７  欠陥リストヘッダ
４８  陥エントリ
５０  イネーブルフラグ
５１  良否情報
７０  欠陥属性情報
７１  欠陥位置情報
７２  欠陥サブ情報
１００  光ディスク記録再生装置
１１０  命令処理部
１２０  記録制御部
１３０  再生制御部
１４０  ＢＣＡ読み出し部
１５０  管理情報格納バッファ
１６０  データバッファ
１７０  記録層良否情報制御部
１７１  記録層良否情報判定部
１７２  アドレス変換処理部
１７３  記録層良否情報設定部
１８０  Ｉ／Ｏバス
５０１  光ディスク基板
５０２  第０記録層
５０３  第１記録層
【発明を実施するための最良の形態】
【００３７】  以下、本発明の実施の形態について、図面を用いて説明する。【００３８】  なお本発明の実施の形態においては、本発明の情報記録媒体として光ディスクを例として用いて説明を行う。【００３９】  （実施の形態１）
（１）光ディスク構成
図１は、多層光ディスクの一例として、記録層を２つ備えた２層ディスクにおける断面の概略図である。【００４０】  ２層の光ディスク１は、光ディスク基版５０１の上に２つの記録層（第０記録層５０２および第１記録層５０３）となる記録膜が貼り合わされた構造になっている。なお実際の光ディスクは、これらの記録層の他にも保護層などの複数の層（膜）を貼り合わせて作られるが、本実施の形態ではこれ以上の詳細な説明は割愛する。【００４１】  ここで記録層は、レーザの入射方向Ｘ側から順に第０記録層５０２、第１記録層５０３と呼ぶことにする。また記録層は本発明の記録部に相当する。【００４２】  なお以下では、特に説明が無い限り、多層ディスクとして２層ディスクを例にとって説明を行う。【００４３】  （２）データ構造
図２は、本発明の実施の形態１の光ディスク１におけるデータ構成図である。【００４４】  光ディスク１は、ＢＣＡ４と内周領域５とデータ領域６と外周領域７に大別される。なお、図１８に示す構成図では、各記録層は図１８に示すように円環の形状を有し、ＢＣＡ４は各記録層より内周側に設けられる。【００４５】  データ領域６は、音楽やビデオなどのリアルタイムデータや文章やデータベースなどのコンピュータデータなど、ユーザによって任意の情報が記録可能な領域である。【００４６】  内周領域５は、光ディスク１の径方向に向かってデータ領域６より内周側に位置する領域であり、また外周領域７は光ディスク１の径方向に向かってデータ領域６より外周側に位置する領域である。これらの領域は、光ディスク１に関する管理情報等を備える他に、光ピックアップ（図示せず）のオーバーランを防ぐ役割を果たす領域でもある。【００４７】  なお図１に示す２層ディスクの場合、第０記録層５０２の内周領域５がリードイン領域、第１記録層５０３の内周領域５がリードアウト領域とも呼ばれる。なお単層ディスクの場合には第０記録層しか存在せず、内周領域５がリードイン領域、外周領域７がリードアウト領域となる。【００４８】  ＢＣＡ４は、光ディスク１の径方向に向かって最内周部に位置する領域である。ＢＣＡ４は光ディスク１の製造の段階で、特殊な装置（図示せず）を用いてディスクごとにバーコード状に形成され、例えばレーザで反射膜を除去して形成されたりする。なおＢＣＡ４は、後述の光ディスク記録再生装置１００では記録できない。【００４９】  また、実施の形態１，及び図２において、説明を容易にするために、ＢＣＡ４は第０記録層５０２に配置されるものとして説明を行うが、実際は記録装置は別の層（例えば保護層）に配置される。【００５０】  ＢＣＡ４は、本発明の使用性能情報の一例である記録層良否情報３０とその他の情報３１（コピー保護情報等）を備える。【００５１】  なお、光ディスク１において、第０記録層５０２の領域構成図は、従来の一般的な光ディスクの領域構成図１８と一致し、第１記録層５０３の領域構成図は、図１８の構成から、ＢＣＡ４を省いたものと一致する。【００５２】  図３は、記録層良否情報３０のデータ構造を示す説明図である。【００５３】  記録層良否情報３０は、光ディスク１が備える全ての記録層における使用良否を示す情報であり、この情報が有効か否かを示すイネーブルフラグ５０と、各記録層の使用良否の程度を示す良否情報５１とを備える。例えば本実施の形態１のように２層ディスクの場合は、良否情報５１における第０記録層５０２および第１記録層５０３に相当するビットが割り付けられ（図３の例では１層につき３ビット）、そのビットの値によって、相当する記録層の記録特性の問題の程度を示す。【００５４】  例えばビットの値が（０００）の場合は、すなわち記録特性に全く問題がなく、繰り返し上書き記録が可能である旨を意味する。また、ビットの値が（００１）の場合は、記録特性に少し問題があり、上書き記録の繰り返し回数に制限が加えられる旨を意味し、例えば１回のみ記録可能（追記型）であることを意味する。【００５５】  またビット値が（１１１）の場合は、記録特性に大きな問題があり、使用不可である旨を意味する。なお、他の（０１０）〜（１１０）の５通りの場合の情報は、予備情報として、他の必要な情報の表示に用いられる。図３の場合では、第０記録層５０２は使用不可、第１記録層５０３は使用可の状態にあることを示す。このとき、ディスクの実際の不具合のうち、最も深刻なのは記録層の使用不可であるから、判断は少なくとも使用不可か否かであることを判断することが最低条件となる。【００５６】  また、イネーブルフラグ５０がＦＦｈの場合には良否情報５１は有効、００ｈの場合には無効であることを示すものとするが、イネーブルフラグの値は任意の値で良く、ここに示す限りでは無い。【００５７】  なお図３においては、記録層良否情報３０を、イネーブルフラグ５０が１バイト、良否情報５１が３バイトの計４バイト（３２ビット）サイズの情報であるとし場合を例にしているが、記録層良否情報３０（イネーブルフラグ５０及び良否情報５１）のサイズは任意のサイズで良く、ここに示した限りではない。【００５８】  （３）ディスク製造工程
図４は、光ディスク１の製造工程の大まかな流れを示すフロー図である。ここで作られる光ディスク１の構成は、図１に示す２層ディスク１と同様であるとする。【００５９】  ステップ５０１：光ディスク基板５０１に対して、２つの記録層（第０記録層５０２および第１記録層５０３）となる記録膜を貼り合わせることで、光ディスク１を製造する。【００６０】  ステップ５０２：製造された光ディスク１に対して、記録膜が正しく貼り合わされているか、膜間に気泡やゴミなどが存在しないかといったディスクのチェックを行う。【００６１】  ステップ５０３：そのディスクが商品レベルとして相当なものかをチェックするために、各記録層の記録特性の検査を行う。例えば、ＳＥＲ（Ｓｙｍｂｏｌ  Ｅｒｒｏｒ  Ｒａｔｅ）と呼ばれる記録ブロックのエラーの割合を測定するなどして、各記録層の記録特性が商品として十分であるか（規格として規定された範囲に収まっているか）の検査を行う。【００６２】  ステップ５０４：記録層良否情報を光ディスク１へ記録する。ここでは記録層良否情報３０を含むディスク固有な情報をＢＣＡ４に対して記録する。このとき記録する記録層良否情報３０は、イネーブルフラグ５０には本情報が有効であることを示す値（ここではＦＦｈ）を設定し、良否情報５１にはステップ５０３における各記録層の記録特性検査結果を反映し、記録特性ＮＧな層が存在する場合、その層に相当するビットを（１１１）としたデータを記録層良否情報３０として記録する。【００６３】  ここでＢＣＡ４へ記録層良否情報３０を記録するのは、記録位置は、確実に記録が行なわれることが保証される位置である必要があるためである。言い換えれば、通常の記録層の領域では記録特性によって記録できない可能性がある。つまり記録層良否情報３０の読み出しの際に、どの記録層に本情報が記録されているか保証ができなくなる可能性があるためである。【００６４】  以上の手順で、ディスクの製造工程が完了する。なお、上記の各ステップにおいて、ステップ５０１は本発明の情報記録媒体の製造方法における（ａ）媒体本体を作成するステップに相当し、ステップ５０２及び５０３は、本発明の情報記録媒体の記録方法における（ａ）使用性能を検査するステップに相当し、ステップ５０４は、本発明の情報記録媒体の記録方法における（ｂ）使用性能情報を所定箇所に記述するステップであって、本発明の情報記録媒体の製造方法における（ｂ）使用性能情報を記録するステップに相当する。【００６５】  なお本実施の形態１では、ディスク１枚１枚に対して上記ステップ５０１から５０４を行うものとして説明を行った。しかし、特にステップ５０３のＳＥＲ測定は実際に光ディスク１へ記録を行う、すなわち記録層へデータを書き込んで検査するため、複数回の書換えが可能な書換え型光ディスクの場合には問題無いが、１回のみ記録可能な追記型光ディスクの場合にはＳＥＲ測定を行ってしまうと既に１回の記録が行われたことになってしまい、商品として使うことが出来なくなってしまう。【００６６】  こういった場合も想定し、例えば同一箇所で製造される光ディスク（ロット）の中から任意に選び出した一枚または複数枚の光ディスク１をサンプルとし、このサンプルに���してステップ５０３を行い、その結果をそのロットの光ディスク全ての結果であるものとして記録層良否情報３０を生成してステップ５０４を行うことで、追記型光ディスクに対しても同様の手順でディスクを製造することが可能である。なおこの方法は、書換え型光ディスクなどの記録型光ディスクにも適用できることは言うまでも無い。【００６７】  （４）ディスク読み出し処理
図５は、本発明の実施の形態１における光ディスク記録再生装置１００の構成図である。【００６８】  光ディスク記録再生装置１００は、上位制御装置（図示せず）にＩ／Ｏバス１８０を介して接続されている。上位制御装置は、典型的には、ホストコンピュータである。【００６９】  光ディスク記録再生装置１００は、上位制御装置からの命令を処理する命令処理部１１０と、光ディスク１の記録層への記録処理を行う記録制御部１２０と、光ディスク１の記録層からの再生処理を行う再生制御部１３０と、ＢＣＡ４から情報の読み出しを行うＢＣＡ読み出し部１４０と、光ディスクから読み出した管理情報を格納する管理情報格納バッファ１５０と、記録及び再生データを一時的に格納するデータバッファ１６０と、記録層良否情報３０に対する制御処理を行う記録層良否情報制御部１７０とを機能的に備えている。【００７０】  ＢＣＡ読み出し部１４０は、ＢＣＡ４から情報を読み出し、読み出した記録層良否情報３０などの情報を管理情報格納バッファ１５０に格納する。【００７１】  記録層良否情報制御部１７０は、記録層良否情報判定部１７１と、アドレス変換処理部１７２とを備える。【００７２】  記録層良否情報判定部１７１は、ＢＣＡ読み出し部１４０によって管理情報格納バッファ１５０に読み出された記録層良否情報３０から、イネーブルフラグ５０を基に記録層良否情報３０が有効か否かを、又良否情報５１を基に、各記録層の使用性能（使用良否）の程度を含めて判定する。【００７３】  なお、上記の構成において、光ディスク記録再生装置１００は、本発明の情報記録媒体を使用可能にする処理を行う処理装置に相当し、再生制御部１３０及びＢＣＡ読み出し部１４０は本発明の読み出し手段に相当し、記録層良否情報判定部１７１は本発明の判別手段に相当し、アドレス変換処理部１７２は、本発明の割り当て手段に相当する。【００７４】  ここで光ディスク１のアドレスについて簡単に説明する。【００７５】  一般的に光ディスク１に対して記録再生などのアクセス処理を行う場合、物理的に光ディスク１の記録層上に振られているアドレス（物理アドレス：以下ＰＢＡと略す）と、ユーザからアクセス可能な領域、つまり論理空間（本実施の形態１の場合はデータ領域６が相当）に対して仮想的に振られるアドレス（論理アドレス：以下ＬＢＡと略す）とを用いて制御が行われる。【００７６】  具体的には、物理アドレスとしては、例えば書換え型のブルーレイディスクであるＢＤ−ＲＥの場合、ディスク上の記録溝のウォーブルを用いて付与されるＡＤＩＰと呼ばれるアドレスと、ディスク上に記録されたデータ中に付与されるＡＵＮと呼ばれるアドレスが相当する。ＢＤ−ＲＥの場合、エラー訂正の単位である１クラスタ（６４ＫＢｙｔｅ）中にＡＤＩＰは３個、ＡＵＮは１６個（４ＫＢｙｔｅごとに１個）付与されている。【００７７】  物理アドレスの小さい順に、第０記録層５０２、第１記録層５０３となる。【００７８】  基本的に、ある１つの論理アドレスは所定の１つの物理アドレスと１対１に対応する。【００７９】  アドレス変換処理部１７２は、記録層良否情報判定部１７１によって判定された結果をもとに、物理アドレス（ＰＢＡ）と論理アドレス（ＬＢＡ）の変換処理などを行う。つまり、記録層良否情報判定部１７１によって使用不可と指定された層に対して論理アドレスは割り当てず、使用可と判定された層に対してのみ論理アドレスの割り当てを行う。【００８０】  図６は、ＢＤ−ＲＥにおける物理アドレス（ＰＢＡ）と論理アドレス（ＬＢＡ）の対応関係を示す説明図である。【００８１】  図６（Ａ）は、第０記録層５０２および第１記録層５０３ともに使用可状態にある場合の説明図である。第０記録層５０２のデータ領域６の先頭（ＰＢＡ＝１０００００ｈ）をＬＢＡ＝０ｈとしてアドレスが割り当てられる。また第０記録層５０２のデータ領域６の終端と、第１記録層５０３のデータ領域６の始端とは、物理アドレスは連続していないが、論理アドレスは連続して振り当てられる。【００８２】  図６（Ｂ）は、記録層良否情報３０が図３に示す状態、つまり第０記録層５０２が使用不可、第１記録層５０３が使用可状態にある場合の説明図である。第０記録層５０２には論理アドレスが割り当てられず、第１記録層５０３を仮想的に第０記録層（仮想第０記録層）とみなし、仮想第１記録層は存在しないものとみなされる。そして仮想第０記録層の始端、つまり第１記録層５０３のデータ領域６の始端、つまりＰＢＡ＝１３５８Ｃ００ｈの位置がＬＢＡ＝０ｈとして割り当てられる。【００８３】  なお図６（Ａ）、（Ｂ）はともに、データ領域６中に欠陥ブロックの交替先領域等に用いられるスペア領域が存在しない場合の対応図である。スペア領域が存在する場合には、それに応じて論理アドレスが振り当てられる。【００８４】  以上の処理手順を簡単にまとめると、図７のようになる。【００８５】  図７は、光ディスク記録再生装置１００による本実施の形態１の光ディスク１に対するディスク読み込み（起動）処理手順を示すフロー図である。【００８６】  ステップ８０１：ＢＣＡ読み出し部１４０は、光ディスク１におけるＢＣＡ４から記録層良否情報３０を含む情報の読み出しを行い、読み出した情報を管理情報格納バッファ１５０に格納する。【００８７】  ステップ８０２：記録層良否情報制御部１７０は、記録層良否情報３０が有効か否かを判定し、有効な場合には光ディスク１における使用可能な記録層の判断を行う。具体的には、まず記録層良否情報判定部１７１は、管理情報格納バッファ１５０に読み出された記録層良否情報３０中のイネーブルフラグ５０が有効を示す値（ここではＦＦｈ）であるか否かを判定し、有効と判定した場合にはさらに、良否情報５１から使用可能な層、つまり良否情報５１におけるビットの値が（０００）又は（００１）である層を調べる。【００８８】  ステップ８０３：アドレス変換処理部１７２は、使用可能と判定された層に関する情報を基に、論理アドレスの先頭位置および論理空間として使用可能なサイズ、つまりＬＢＡ＝０ｈとするデータ領域６の先頭物理アドレスと使用可能なデータ領域６の総サイズを算出する。【００８９】  ここで使用可能な層が複数存在する場合、アドレス変換処理部１７２の動作方法、つまり論理空間の割り当て方法もいろいろ考えられる。【００９０】  まず１つのディスク内に良否情報５１におけるビットの値が（０００）と（００１）の層が混在するような場合��つまり繰り返し上書き記録が可能な層と、上書き記録の繰り返し回数に制限が加えられた、例えば追記型の層とが混在するような場合には、特性毎に連続するように一連の論理アドレスを割り当てる方法や、特性毎に共に０から始まる別々の論理アドレスを割り当てる方法等が用いられる。【００９１】  また、例えば、記録層が４層存在するディスクを考えてみる。複数の記録層が存在する場合は、基本的に物理アドレスの付与は、第０記録層は内周から外周方向へ、第１記録層は外周側から内周側へ、…というように、層ごとに逆向きに一筆書きのように付与されるオポジットパスと呼ばれる方法が用いられる。記録層が４層存在するディスクにおいて、存在する４層全ての記録層が使用可能な場合は物理アドレスの小さい層から順に第０記録層、第１記録層…となるが、使用不可な記録層が存在する場合は、
１）物理アドレスの小さい層（レーザ入射方向）から順に、仮想第０記録層、仮想第１記録層…とする方法
２）アドレス付与方向に応じて、仮想第０記録層、仮想第１記録層…とする方法などの方法が考えられる。【００９２】  図８（Ａ）は、上記１）の物理アドレスに従った割り当て方法である。使用可状態の記録層に対して、物理アドレスの最も小さい層のデータ領域６の始端をＬＢＡ＝０ｈとし、論理アドレスの小さい層のデータ領域６から順に論理アドレスを割り当てる。なお、図８（Ａ）の場合は使用可能な記録層が隣接する２層なので、物理アドレスはオポジットパスとなり割り当てられる論理アドレスも同一割り当て方向のオポジットパスになるが、使用不可能な記録層が間に奇数層分挟み込まれる場合は、物理アドレスの並びはオポジットパスでなくなる。１）の方法では、データの読み出しが行われる側の記録層に近い側から仮想記録層が順に設定されるよう論理アドレスを割り当てることができればよいので、論理アドレスの方向は任意であるが、後述の理由から、論理アドレスはオポジットパスを維持するように割り当てられることが望ましい。【００９３】  図８（Ｂ）は、上記２）の物理アドレスの付与方向に応じて論理アドレスを割り当てる方法である。もともとの第０記録層と同方向のアドレス付与方向の使用可な記録層を論理空間の先頭、つまり仮想第０記録層とする。使用可能な記録層が隣接する２層なので、物理アドレスもオポジットパスとなっているが、仮想第０記録層は、物理的配置としてはデータの読み出し側からみてより奥に第２記録層に割り当てられている。【００９４】  図８（Ｃ）は、物理アドレスの付与方向に応じた割り当て方法の別パターンである。使用可な記録層のアドレス付与方向が内周から外周、外周から内周、…と連続するように記録層に対する論理空間を割り当てる。この場合、使用不可能な第１記録層が第０記録層と第２記録層との間に挟み込まれているため、隣接する使用可能な第０記録層と第２記録層との物理アドレス付与方向は同一となっている。２）の方法では、物理アドレスの付与方向に一致する方向にオポジットパスとなるように論理アドレスを割り当てるように定めているため、最終的には、仮想第０記録層に続く仮想第１記録層として、アドレス付与方向が外周から内周へ向かう第３記録層が割り当てられ、さらに仮想第２記録層は、物理的には中間層である第２記録層に位置することになる。【００９５】  以上に示すように、基本的には物理アドレス順、つまり記録層にもともと割り当てられている順番に合致するように割り当てながらも、論理アドレスの割り当て方向がオポジットパスを維持する、すなわち内周から外周方向、外周から内周方向の順に連続するように割り当てるという考え方である。特に後者のアドレス割り当て方向に関する内容は、論理アドレスを物理アドレスと同方向に連続して割り当てることで、層跨ぎの記録／読み出しアクセス等が発生した場合にも、内周・外周間のシーク処理を削減できるためにアクセス処理速度を高速化できる点などを考慮してのものである。【００９６】  以上の手順で、光ディスク記録再生装置１００は光ディスク１の読み込み処理を行う。【００９７】  なお、上記の各ステップにおいて、ステップ８０１は本発明の情報記録媒体の使用準備方法における（ａ）使用性能情報を読み出すステップに相当し、ステップ８０２は、本発明の情報記録媒体の使用準備方法における（ｂ）使用性能が少なくとも非でないかどうかを判別するステップに相当し、ステップ８０３は、本発明の情報記録媒体の使用準備方法における（ｃ）論理アドレスを割り当てるステップに相当する。【００９８】  以上で説明した通り、記録層良否情報３０で使用不可と指定された記録層をあたかも存在しないように光ディスク記録再生装置１００が扱うことが可能となる。つまり記録層良否情報３０が図３の状態の場合には、実際は記録層が２層存在する２層ディスクであるが、第０記録層５０２が使用不可な状態であるため、光ディスク記録再生装置１００はこのディスクをあたかも記録層が第１記録層５０３の１層のみ存在する単層ディスクとして扱うとが可能となる。また、図３の状態の場合は第０記録層５０２が使用不可状態であり、第１記録層５０３のみが繰り返し記録可能な１層である単層ディスクとして扱うものとしたが、良否情報５１の内容によって、第０記録層５０２が追記のみ可能な１層であり、第１記録層５０３のみが繰り返し記録可能な１層である多層ディスク、また両方の記録層が追記のみ可能な多層ディスク等、各記録層の使用性能に応じた複合機能を有する多層ディスクとして用いることができる。【００９９】  なお、同一ディスクに複数の異なる使用性能（特性）の層を含む場合、使用性能に応じて記録再生制御方法にも違いが生じる。具体的には、例えば記録処理においては、書き換え可能な層は任意の位置に対する上書き記録要求を受け付けるのに対して、１回のみ記録可能な追記層は、未記録領域への記録要求しか受け付けられない。【０１００】  そのため、同一ディスクに複数の違う使用性能の層を含む場合には、ＢＣＡやディスク製造時に予めデータが記録される領域（エンボス領域）内のＤＩ（Ｄｉｓｃ  ｉｎｆｏｒｍａｔｉｏｎ）情報等に、本ディスクが複数の使用性能の層を含んだディスクであることを示す情報を備え、ディスク記録再生装置はこの情報を基にディスクの素性を判断する。【０１０１】  また、ディスクの状態を、例えばホストコンピュータ装置のようなユーザ（ホスト装置）側で認識するには、ディスク記録再生装置との間で、ＭＭＣ（Ｍｕｌｔｉ  Ｍｅｄｉａ  Ｃｏｍｍａｎｄｓ）規格や、後述のＳＦＦ８０９０規格等で規定されているパケットコマンドが用いられている。例えばディスクの使用性能（特性）については、“Ｇｅｔ  Ｃｏｎｆｉｇｕｒａｔｉｏｎ”コマンド、論理空間サイズについては“Ｒｅａｄ  Ｃａｐａｃｉｔｙ”や“Ｒｅａｄ  Ｔｒａｃｋ  Ｉｎｆｏｒｍａｔｉｏｎ”コマンドを用いて把握することが出来る。【０１０２】  ただし、現状これらのコマンドは１つのディスクに対して１つの使用性能（特性）の場合しか対応していないため、これらのコマンドを複数の使用性能を持つ場合用に拡張し、ディスクの使用性能（特性）について認識した後、使用性能毎の論理空間サイズを取得するといった手順においてユーザはディスクの記録相互との使用性能について認識する。【０１０３】  なお、ここで挙げた方法についてはあくまで一例であり、上記と同様の効果を果たす方法で在れば、これらに限るものではない。【０１０４】  また、本実施の��態１では、記録層良否情報３０にイネーブルフラグ５０を含むものとして説明を行ったが、イネーブルフラグ５０は必ずしも存在しなくとも良く、この場合も上述したのと同様の効果を得ることが出来る。【０１０５】  また、本実施の形態１では、記録層良否情報３０で使用不可として設定された記録層を全く使用できないものとして説明を行ってきたが、ユーザの意志において、使用不可な記録層を使用できるようにする手段、つまり記録層良否情報３０を無視するような手段を備えるのも一つの方法である。【０１０６】  （実施の形態２）
（１）光ディスク構成
本実施の形態２における光ディスクの構成は、実施の形態１で説明したものと同じであるため、ここでの説明は省略する。【０１０７】  （２）データ構造
図９は、本発明の実施の形態２における光ディスク１の、ある記録層のデータ構成図である。【０１０８】  光ディスク１は、内周領域５とデータ領域６と外周領域７に大別される。なおこの図には記載していないが、これら３つの領域に加えて、実施の形態１で示したようなＢＣＡ４が存在しても良い。【０１０９】  データ領域６はスペア領域１５とユーザデータ領域１４から構成される。【０１１０】  ユーザデータ領域１４とは、音楽やビデオなどのリアルタイムデータや文章やデータベースなどのコンピュータデータなど、ユーザによって任意の情報が記録可能な領域である。【０１１１】  スペア領域１５とは、ユーザデータ領域１４内のあるブロック３の代わりにデータを記録する交替領域のことであり、例えばユーザデータ領域１４において欠陥ブロックが検出された場合などに、そのブロックの交替領域のして使用される領域である。なお、スペア領域１５は、データ領域６の内周側（つまりリードイン領域側）と外周側（つまりリード
アウト領域側）に１つずつ存在すると図示したが、スペア領域１５が存在するか否か、また存在する場合にもその個数、および配置は自由であって、必ずしも図示した通りでなくとも良い。【０１１２】  内周領域５は、光ディスク１の径方向に向かってデータ領域６より内周側に位置する領域であり、また外周領域７は光ディスク１の径方向に向かってデータ領域６より外周側に位置する領域である。これらの領域は、光ディスク１に関する管理情報等を備える他に、光ピックアップ（図示せず）のオーバーランを防ぐ役割を果たす領域でもある。【０１１３】  内周領域５は、第１のＤＭＡ１０（以下ＤＭＡ１と呼ぶ）と第２のＤＭＡ１１（以下ＤＭＡ２と呼ぶ）を備えている。ＤＭＡ１とＤＭＡ２は共に光ディスク１のデータ構造や、欠陥に関する情報などディスクの管理情報を記録するための領域である。【０１１４】  外周領域７は、第３の欠陥管理領域１２（以下ＤＭＡ３と呼ぶ）と第４の欠陥管理領域１３（以下ＤＭＡ４と呼ぶ）を備えている。ＤＭＡ３とＤＭＡ４は共に光ディスク１のデータ構造や、欠陥に関する情報などディスクの管理情報を記録するための領域である。【０１１５】  ここでＤＭＡとは、一般的には欠陥管理領域（Ｄｅｆｅｃｔ  Ｍａｎａｇｅｍｅｎｔ  Ａｒｅａ）のことであるが、欠陥管理情報以外にもディスクに関する様々な情報を備え得ることから、もっと広い意味で、ディスク管理領域（Ｄｉｓｃ  Ｍａｎａｇｅｍｅｎｔ  Ａｒｅａ）とも呼ばれる領域である。なお本実施の形態２においては、ＤＭＡはディスク管理情報領域として説明を行う。【０１１６】  ここでＤＭＡ１〜ＤＭＡ４はそれぞれ光ディスク１における所定の位置に配置される領域である。【０１１７】  ここでＤＭＡ１〜ＤＭＡ４は全て同じ情報が多重記録されている。これは、ＤＭＡ１〜ＤＭＡ４自身が欠陥に冒されている場合の備えであり、例え正しく再生されないＤＭＡがあってもどれか１つでも正しく再生できるＤＭＡがあれば欠陥管理情報を取得することができるように考えられたためである。【０１１８】  ＤＭＡ１〜ＤＭＡ４はそれぞれディスク定義構造２０（以下ＤＤＳ２０と呼ぶ）とディスク管理情報２１を備える。【０１１９】  ディスク管理情報２１は、ユーザデータ領域１４における記録状態に関する管理情報や、欠陥などによる交替処理に関する情報（例えば交替元のアドレスと交替先のアドレス）などを含む情報である。【０１２０】  ＤＤＳ２０は、光ディスク１の構造を示す情報であり、ディスク定義構造識別子４０や、ディスク管理情報先頭位置情報４１や、スペア領域サイズ情報４２や、論理空間先頭位置情報４３や、論理空間サイズ情報４４や、記録層良否情報４５や、その他の情報４６などの情報を備える。【０１２１】  ディスク定義構造識別子４０は、この情報がＤＤＳ２０であることを示す識別子情報である。【０１２２】  ディスク管理情報先頭位置情報４１は、ディスク管理情報２１が配置される先頭の位置情報（＝物理アドレス）である。【０１２３】  スペア領域サイズ情報４２は、データ領域６に配置されるスペア領域１５のサイズを示す情報である。【０１２４】  論理空間先頭位置情報４３は、ユーザからアクセス可能な論理空間の先頭位置情報（＝物理アド��ス）である。【０１２５】  論理空間サイズ情報４４は、最終論理アドレス、つまりユーザからアクセス可能な論理空間のサイズを示す情報である。【０１２６】  記録層良否情報４５は、光ディスク１が備える全ての記録層における使用良否を示す情報であり、実施の形態１で説明した記録層良否情報３０と同じ内容であるため、ここでの説明は省略する。【０１２７】  このように、本実施の形態２においては、記録層良否情報４５をＤＭＡ内、すなわち記録層上に備える点が、実施の形態１とは違う点である。【０１２８】  （３）ディスク製造工程
図１０は、本発明の実施の形態１における光ディスク記録再生装置１００の構成図である。【０１２９】  光ディスク記録再生装置１００は、上位制御装置（図示せず）にＩ／Ｏバス１８０を介して接続されている。上位制御装置は、典型的には、ホストコンピュータである。【０１３０】  光ディスク記録再生装置１００は、上位制御装置からの命令を処理する命令処理部１１０と、光ディスク１への記録処理を行う記録制御部１２０と、光ディスク１からの再生処理を行う再生制御部１３０と、光ディスクから読み出した管理情報を格納する管理情報格納バッファ１５０と、記録及び再生データを一時的に格納するデータバッファ１６０と、記録層良否情報３０に対する制御処理を行う記録層良否情報制御部１７０とを機能的に備えている。【０１３１】  なお光ディスク記録再生装置１００は、実施の形態１の場合と同様に、ＢＣＡ読み出し部１４０を備えても良い。【０１３２】  記録層良否情報制御部１７０は、記録層良否情報判定部１７１と、アドレス変換処理部１７２と、記録層良否情報設定部１７３とを備える。【０１３３】  記録層良否情報判定部１７１は、再生制御部１３０によって管理情報格納バッファ１５０に読み出された記録層良否情報４５から、使用不可な記録層が存在するか否かを判定する。【０１３４】  アドレス変換処理部１７２は、記録層良否情報判定部１７１によって判定された結果をもとに、物理アドレス（ＰＢＡ）と論理アドレス（ＬＢＡ）の変換処理などを行う。つまり、記録層良否情報判定部１７１によって使用不可と判定された層に対して論理アドレスは割り当てず、使用可と判定された層に対してのみ論理アドレスの割り当てを行う。アドレス変換処理部１７２の動作内容については実施の形態１で説明したものと同様であり、ここでの説明は省略する。【０１３５】  記録層良否情報設定部１７３は、上位制御装置から指定された内容を基に、記録層良否情報４５として記録する情報を作り出す。【０１３６】  なお、上記の構成において、再生制御部１３０は本発明の読み出し手段に相当する。他の各部と本発明の各手段との対応は、実施の形態１と同様である。【０１３７】  本実施の形態２における光ディスク１の製造工程は、図４を用いて実施の形態１で説明したものと、ステップ５０１から５０３は同じ手順である。ここでは、実施の形態１と違う、本発明の情報記録媒体の記録方法又は製造方法における使用性能情報を所定箇所に記述するステップまたは記録するステップであるステップ５０４の動作内容のみを記し、ステップ５０１からステップ５０３についての説明は省略する。【０１３８】  ステップ５０４：記録層良否情報４５を光ディスク１へ記録する。ここでは記録層良否情報４５を含む情報を各記録層のＤＭＡ１からＤＭＡ４に対して記録する。このとき記録する記録層良否情報４５は、ステップ５０３における各記録層の記録特性検査結果を反映し、各記録層の使用良否の程度（使用不可か、追記のみ可能か、繰り返し記録可能か、等）を、ビット値にて示したデータを記録層良否情報４５として記録する。【０１３９】  以下、ステップ５０４の処理の一例を示す。【０１４０】  ＤＭＡ１からＤＭＡ４への記録処理の一例として、物理フォーマットと呼ばれる処理がある。物理フォーマットとは主にデータ領域６の構造（ユーザデータ領域１４とスペア領域１５の配置など）を決定するための処理であり、ＤＭＡ１からＤＭＡ４に対してＤＤＳ２０およびディスク管理情報２１を記録する。ここでＤＤＳ２０およびディスク管理情報２１に相当する情報は、例えば管理情報格納バッファ１５０に格納されている。【０１４１】  物理フォーマットは、Ｍｕｌｔｉｍｅｄｉａ  Ｃｏｍｍａｎｄ（ＭＭＣ）規格やＳＦＦ（Ｓｍａｌｌ  Ｆｏｒｍ  Ｆａｃｔｏｒ）と呼ばれるハードディスクや光ディスクドライブなどのストレージデバイスの業界団体で規定されたＳＦＦ８０９０規格（Ｍｔ．Ｆｕｊｉ規格とも呼ばれる）において規定されているパケットコマンドにおける“Ｆｏｒｍａｔ  Ｕｎｉｔ”コマンド（以下、Ｆｏｒｍａｔコマンドと呼ぶ）によって、例えばホストコンピュータのような上位制御装置（図示せず）から指示される。【０１４２】  ここで、Ｆｏｒｍａｔコマンドについて簡単に説明する。【０１４３】  図１１は、Ｆｏｒｍａｔコマンドのコマンドデータ構造を示す図である。パケットコマンドとは１２バイト（ＡＴＡＰＩの場合）のＣＤＢと呼ばれるデータ列のことであり、Ｆｏｒｍａｔコマンドは図に記されたような情報を持つデータ列である。上位制御装置はこのＣＤＢを対象のデバイス（ここでは光ディスク記録再生装置１００）に対してＩ／Ｏバス１８０を介して送信（データ転送）することでＦｏｒｍａｔ処理を行うようデバイスに対して命令する。Ｆｏｒｍａｔコマンドで実現される処理の内容としては数種類が存在し、どの種類の処理を実行するかは、図１２に示したＣＤＢと、さらにパラメータリストと呼ばれる、上位制御装置から送信されるコマンド実行制御用のデータとで指定する。【０１４４】  以下では、Ｆｏｒｍａｔコマンドを用いてＤＭＡ１からＤＭＡ４へＤＤＳ２０およびディスク管理情報２１を記録する場合を例にとって説明する。【０１４５】  図１２は、本実施の形態２におけるステップ５０４の詳細な処理手順を示すフロー図である。【０１４６】  ステップ１３０１：上位制御装置はＦｏｒｍａｔコマンドを光ディスク記録再生装置１００に対して発行し、光ディスク記録再生装置１００は上位制御装置から送信されるＣＤＢの受領、およびパラメータリストの受領を行う。この時上位制御装置からは、設定する良否情報５１に相当する情報が、例えばＣＤＢ中あるいはパラメータリストに含めて送信される。【０１４７】  ステップ１３０２：Ｆｏｒｍａｔコマンドを受領した光ディスク記録再生装置１００の命令処理部１１０は、記録層良否情報４５を含んだ情報の記録を行うか否か、つまり記録層良否情報４５を設定するか否かを判定する。【０１４８】  ここで、記録層良否情報４５を設定するか否かを判定する方法としては、例えば、以下にあげるような方法などが考えられる。【０１４９】  １）Ｆｏｒｍａｔコマンドに、新たに層使用良否情報設定モードを設け、前記モードが要求された場合には、記録層良否情報４５の設定を行う。【０１５０】  ２）記録を行う光ディスク１のＤＭＡ領域が未記録状態（例えば光ディスク１が、まだ記録の行われていないバージンディスクの場合など）の場合には、記録層��否情報４５の設定を行う。【０１５１】  ３）上記１）と上記２）の組合せのパターン。【０１５２】  本実施の形態２では、ディスク製造工程においての処理について述べているので、判定方法としては上記３）を用いるものとする。但し、ディスク製造工程においての処理であるため、上記２）の記録対象光ディスク１がバージンディスクであることはあらかじめ保証されているため、実質上記１）のパターンを用いることになる。【０１５３】  ステップ１３０３：命令処理部１１０が記録層良否情報４５の設定を行うと判定した場合は、記録層良否情報設定部１７３は、設定する良否情報５１に相当する情報に基づいて記録層良否情報４５を算出し、これを管理情報格納バッファ１５０に含まれるＤＤＳ２０に相当する情報に反映する。このとき、イネーブルフラグ５０としては、有効を示す値（ここではＦＦｈ）が設定される。またこのとき、使用可な記録層が決まるので、ＤＤＳ２０に含まれる論理空間先頭位置情報４３および論理空間サイズ情報４４およびスペア領域サイズ情報４２もあわせて算出し設定する。具体的には、例えば図２に示す２層ディスクにおいて図３に示すような記録層良否情報４５が設定された場合、仮想第０記録層は第１記録層５０３となるため、論理空間先頭位置情報４３は第１記録層５０３のユーザデータ領域１４の先頭物理アドレスが、また論理空間サイズ４４は第１記録層５０３のユーザデータ領域１４のサイズ情報が設定され、スペア領域サイズ情報４２には仮想第０記録層のスペア領域１５のサイズが設定されることになる。【０１５４】  なお実施の形態１の（４）実際の使用例において説明したように、例えば４層ディスクにおいて使用可能な層が複数存在する場合、論理空間の割り当て方法もいろいろ考えられるため、ここで設定される値も、この論理空間の割り当て方法に応じて算出することになる。【０１５５】  命令処理部１１０が記録層良否情報４５の設定を行わないと判定した場合は、記録層良否情報設定部１７３は、記録層良否情報４５としてデフォルトの値（例えば全て０）管理情報格納バッファ１５０に含まれるＤＤＳ２０に相当する情報に反映して、ステップ１３０４へ移行する。【０１５６】  ステップ１３０４：命令処理部１１０は記録制御部１２０に対して、管理情報格納バッファ１５０に含まれるＤＤＳ２０およびディスク管理情報２１の記録を要求し、記録制御部１２０は各記録層のＤＭＡ１からＤＭＡ４にＤＤＳ２０およびディスク管理情報２１の記録を行う。【０１５７】  ここで、ステップ５０３における記録層記録特性検査では正常で使用可と判定された記録層のＤＭＡ１からＤＭＡ４への記録に失敗するような場合も非常に確率は低いが発生し得る。このような場合は、このディスクは使用できないディスクと判定して破棄し、商品として出荷しないようにする。あるいは、全ての記録層への記録が完了した時点で記録結果が記録層良否情報４５と食い違っていた場合には、再度記録層良否情報４５を算出し直して、再度各記録層のＤＭＡ１からＤＭＡ４へＤＤＳ２０の記録を行っても良い。【０１５８】  以上の手順で、ステップ５０４の処理、つまり記録層良否情報４５の光ディスク１への記録処理が完了する。【０１５９】  以上��ように、本実施の形態２における光ディスク１は、製造工程時に既に物理Ｆｏｒｍａｔされた状態で出荷されることになる。【０１６０】  なおディスク製造工程において設定された記録層良否情報４５は、以降このディスクがユーザの手によって物理Ｆｏｒｍａｔをされても変えることが出来ない情報として制限を加えることが望ましい。【０１６１】  なお本実施の形態２では、各記録層のＤＭＡ１からＤＭＡ４の全てに対して、ＤＤＳ２０とディスク管理情報２１を記録するように説明を行ったが、必ずしも全ての記録層のＤＭＡ１からＤＭＡ４全てに記録を行わなくても良い。具体的には、正常に記録が出来る少なくとも１つの記録層（例えば仮想第０記録層とした記録層）におけるＤＭＡ１からＤＭＡ４に対して記録を行うことが出来れば良く、その他の記録層では、ある特定のＤＭＡ（例えばＤＭＡ１）のみ記録する等といった方法でも、同様の効果を得ることが出来る。【０１６２】  なお本実施の形態２では、ＦｏｒｍａｔコマンドのＣＤＢまたはパラメータリストに設定する記録層良否情報４５に相当する情報を含める場合を例に挙げたが、例えばＦｏｒｍａｔコマンド処理の前に前もって光ディスク記録再生装置１００に備えられる管理情報格納バッファ１５０に格納しておいたり、あるいはＥＥＰＲＯＭのような不揮発性メモリ（図示せず）にしておき、この情報を用いて処理を行うことも可能である。【０１６３】  なお本実施の形態２では、Ｆｏｒｍａｔコマンドを用いてＤＭＡ１からＤＭＡ４へ記録層良否情報４５を含むＤＤＳ２０の記録を行う例を示したが、必ずしもＦｏｒｍａｔコマンドを用いずとも、例えば記録層良否情報４５登録用の新規コマンドを構築して、それを用いて行っても良い。【０１６４】  （４）ディスク読み出し処理
図１３は、光ディスク記録再生装置１００による本実施の形態２の光ディスク１に対するディスク読み込み（起動）処理手順を示すフロー図である。【０１６５】  ステップ１４０１：再生制御部１３０は、指定された記録層におけるＤＭＡ領域（ＤＭＡ１からＤＭＡ４）からＤＤＳ２０およびディスク管理情報２１の読み出しを行う。なお、最初に読み出しを行う記録層を、ここでは第０記録層とする。【０１６６】  ステップ１４０２：再生制御部１３０は、ステップ１４０１においてデータが正しく読み出せたか否かの判定を行う。【０１６７】  読み出せた場合にはＤＤＳ２０およびディスク管理情報２１を管理情報格納バッファ１５０に格納するとともに、ＤＤＳ２０中の記録層良否情報４５を使用良否情報８０としてメモリ（ここでは管理情報格納バッファ１５０と共用しているものとする）に格納する。この際、あわせて論理空間先頭位置情報４３および論理空間サイズ情報４４をメモリに格納しても良い。【０１６８】  正しく読み出せなかった場合には、ステップ１４０６へ移行する。【０１６９】  ステップ１４０３：記録層良否情報判定部１７１は、読み出したＤＤＳ２０の内容が正しいか否かを判定する。具体的には、記録層良否情報判定部１７１は、読み出したＤＤＳ２０中の記録層良否情報４５と、メモリ（ここでは管理情報格納バッファ１５０と共用しているものとする）に保持している使用良否情報８０とを比較する。なお本実施の形態では、あわせて論理空間先頭位置情報４３および論理空間サイズ情報４４を論理空間情報８１としてメモリに格納し、これらの情報を使用良否情報８０同様、ＤＤＳ２０の内容が正しいか否かの判定に用いるものとするが、これらの情報を用いた判定は必ずしも行わなくとも、同様の効果を得ることが出来る。ここで、最初の層の読み出し時には、使用良否情報８０、論理空間情報８１にはまだ何も格納されていない状態であるため、ステップ１４０１において読み出したＤＤＳ２０に含まれる記録層良否情報４５を使用良否情報８０として、論理空間先頭位置情報４３および論理空間サイズ情報４４を論理空間情報８１として、メモリ、つまり管理情報格納バッファ１５０に格納する。【０１７０】  ステップ１４０４：ステップ１４０３でのＤＤＳ２０の内容確認の結果、記録層良否情報判定部１７１はＤＤＳ２０が正常であるか否かを判定する。具体的には、読み出したＤＤＳ２０中の記録層良否情報４５および論理空間先頭位置情報４３、論理空間サイズ情報４４と、管理情報格納バッファ１５０中の使用良否情報８０および論理空間情報８１とが一致するか否かを確認し、一致していればＤＤＳ２０は正しい情報であると、また一致しなければＤＤＳ２０は誤った情報であると判定する。【０１７１】  ステップ１４０５：ステップ１４０４の結果、未記録状態で読み出しに失敗した場合、またはＤＤＳ２０が誤った情報であると判定されたような場合は、読み出し処理を終了し、光ディスク１は異常なディスクである判定する。異常なディスクであると判定された場合は、再度上記で示した物理Ｆｏｒｍａｔ処理を行う、または記録層良否情報４５は無かったものとして無視して使う、或いはこのディスクは使えないディスクであると判定する等といった���常処理を行う。【０１７２】  ステップ１４０６：ステップ１４０４の結果、ＤＤＳ２０が正しい情報であると判定された場合は、再生制御部１３０は、全ての記録層におけるＤＭＡ領域の読み出しが完了したか否かを判定する。【０１７３】  ステップ１４０７：ステップ１４０６の結果、全ての記録層におけるＤＭＡ領域の読み出しはまだ未完了状態であると判定された場合には、再生制御部１３０は次の記録層におけるＤＭＡの読み出し処理を行うため、対象の記録層として次の記録層を設定してステップ１４０１へ戻る。例えば、第０記録層を最初に判定する記録層として、第１記録層、第２記録層、第３記録層の順番になるように次の記録層を設定する。【０１７４】  ステップ１４０８：ステップ１４０６の結果、全ての記録層におけるＤＭＡ領域の読み出しが完了したと判定された場合には、記録層良否情報判定部１７１は、このディスクは正常なディスクであり、管理情報格納バッファ１５０（メモリ）中に格納している使用良否情報８０に表された通りの記録層が使用可／不可であり、論理空間情報８１に表された通りの論理空間を持ったディスクであるとして扱う。ここで、全ての記録層からの読み出しに失敗した場合には、論理空間情報は得られず、この光ディスク１は扱うことが出来ないディスクとして判断される。【０１７５】  以上で、本実施の形態２における光ディスク１に対するディスク読み込み（起動）処理は完了する。【０１７６】  なお、上記の各ステップにおいて、ステップ１４０１は本発明の情報記録媒体の使用準備方法における（ａ）使用性能情報を読み出すステップに相当し、ステップ１４０２〜１４０７は、本発明の情報記録媒体の使用準備方法における（ｂ）使用性能が少なくとも非でないかどうかを判別するステップに相当し、ステップ１４０８は、本発明の情報記録媒体の使用準備方法における（ｃ）論理アドレスを割り当てるステップに相当する。【０１７７】  なお、ここでは、全ての記録層におけるＤＭＡ領域からＤＤＳ２０を読み出し、それらの情報が全て一致して初めて正常な光ディスク１として判定するとして説明したが、例えば１つの記録層からＤＤＳ２０が正しく読み出せれば、その時点でこの光ディスク１は正常であり、このＤＤＳ２０を正しい情報であるとして扱っても、ここで説明したのと同様の効果を得ることが出来る。【０１７８】  また、ここでは、ＤＭＡ１からＤＭＡ４の全てのＤＭＡ領域からＤＤＳ２０およびディスク管理情報２１の読み出しを行うとして説明したが、必ずしもディスク管理情報２１の読み出しは行わなくとも良い。また、必ずしも全ての記録層において４つ全てのＤＭＡ領域の読み出しを行わなくとも良く、例えば所定のＤＭＡ領域のみを読み出すとしても、ここで説明したのと同様の効果を得ることが出来る。【０１７９】  なおステップ１４０４においてＤＤＳ２０が正常である／誤った情報であると判定された記録層の情報を例えば管理情報格納バッファ１５０に保持しておき、これと使用良否情報８０との比較を行っても良い。つまり使用良否情報８０において使用可であると指定されている記録層からの読み出しに成功したかどうか、また使用不可であると指定されている記録層からの読み出しに失敗したかどうかの確認を行っても良い。但し、一般的に使用不可とされた記録層からのデータの読出しには成功する可能性もあるため、使用可と指定された記録層からの読み出しに成功したか否かの確認を行うことで、データの信頼性を高めることが可能となる。【０１８０】  なお、本実施の形態２では、どの記録層のＤＭＡに正常に記録されているか分からない場合を例として説明を行ったが、例えば基準記録層を設けておいても良い。つまり、例えば４層ディスクの場合、例えば第０記録層を基準記録層として決めておき、第０記録層は必ず正常に記録が出来る（記録特性も商品レベルとして十分な）ものとして扱う。そして第０記録層のＤＭＡ記録に失敗したディスクは不良ディスクとして商品として出荷しないようにしても良い。こうすれば、基準記録層である第０記録層のＤＭＡ領域には必ず記録層良否情報４５を含むＤＤＳ２０が正しく記録されていることになるため、このディスクを使用する場合、光ディスク記録再生装置１００は第０記録層のＤＭＡ領域からＤＤＳ２０等を読み出して記録層良否情報４５を取得し、この情報に基づいて以降の処理を行っても、ここで説明したのと同様の効果を得ることが出来る。【０１８１】  なお、本実施の形態２では、記録層良否情報４５で使用不可として設定された記録層を全く使用できないものとして説明を行ってきたが、ユーザの意志において、使用不可な記録層を使用できるようにする手段、つまり記録層良否情報４５を無視するような手段を備えるのも一つの方法である。【０１８２】  また、本実施の形態２では、記録層良否情報４５をＤＤＳ２０に備えるものとして説明を行ったが、例えばディスク管理情報２１などに備えていても良く、この場合もここで説明したものと同様の効果を得ることが出来る。【０１８３】  また、本実施の形態１および実施の形態２では、ＢＣＡ４またはＤＤＳ２０などの使用されていない領域（０が設定されるＲｅｓｅｒｖｅｄの領域）に存在しなかった情報を備えるというものであり、例えば記録層良否情報を０として設定（つまりイネーブルフラグ５０が０であるため、記良否情報５１は無効）されたディスクは従来のディスクと同様のものとして扱うことが出来るため、従来装置でも問題なく動作する。また記録層良否情報に０でない値が設定されたディスクに対しても、その情報はもともと使用されていないため、従来装置が誤動作をする可能性は極めて低く、従来装置での動作も保証できるため、ユーザに与えるデメリットはほぼ無いものと言える。【０１８４】  （実施の形態３）
（１）光ディスク構成
本実施の形態３における光ディスクの構成は、実施の形態１で説明したものと同じであるため、ここでの説明は省略する。【０１８５】  （２）データ構造
図１４は、本発明の実施の形態３における光ディスク１の、ある記録層のデータ構成図である。実施の形態３の光ディスク１は、ディスク定義構造（以下ＤＤＳと呼ぶ）２０およびディスク管理情報２１の内容を除いて、実施の形態２の光ディスク１と同じであるため、同じ部分についての説明は省略する。【０１８６】  ＤＤＳ２０は、光ディスク１の構造を示す情報であり、少なくともディスク管理情報２１が配置される先頭の位置情報（＝物理アドレス）であるディスク管理情報先頭位置情報４１と、その他の情報４６などの情報を備える。なおここでＤＤＳ２０は、図９を用いて説明した本発明の実施の形態２におけるＤＤＳ２０と同様に、ディスク定義構造識別子４０のような情報を備えていても良いが、記録層良否情報４５は備えない。【０１８７】  ディスク管理情報２１は、本実施の形態３では欠陥管理情報、つまり欠陥リスト（以下ＤＦＬと呼ぶ）であり、欠陥リストヘッダ４７と、少なくとも０以上の欠陥エントリ４８などの情報を備える。【０１８８】  欠陥リストヘッダ４７は、ＤＦＬに含まれる欠陥エントリ４８の個数を示す情報や更新回数情報などを含む情報のことであり、ＤＦＬの先頭位置に配置される情報である。図１５の場合はＭ個（Ｍは１以上の正数）の欠陥エントリ４８が存在することから、個数を示す情報もＭを指す。【０１８９】  図１５は、欠陥エントリに関する説明図である。【０１９０】  図１５（Ａ）は、欠陥エントリ４８の構造を示す説明図である。欠陥エントリ４８は、欠陥属性情報７０と欠陥位置情報７１と欠陥サブ情報７２とを備える。【０１９１】  欠陥位置情報７１は、データ領域６における欠陥ブロックの先頭位置情報（先頭物理アドレス）のことである。【０１９２】  欠陥サブ情報７２は、欠陥属性情報７０の種類によって違う内容を示す情報であり、詳細は後述する。【０１９３】  図１５（Ｂ）は、欠陥属性情報７０の種類について整理した表であり、ＢＤ−ＲＥを例に取ったものである。ＢＤ−ＲＥの場合、欠陥の種類としては、交替領域が割り当てられた欠陥であるＲＡＤ、交替領域が割り当てられていない欠陥であるＮＲＤ、欠陥の可能性がある領域の情報であるＰＢＡなどが存在する。欠陥サブ情報７２は、例えば、欠陥属性情報７０がＲＡＤの場合にはスペア領域１５内の交替先ブロックの先頭位置情報を示し、ＮＲＤの場合には何も情報を備えず（＝０）、ＰＢＡの場合には欠陥位置情報７１を先頭として、欠陥の可能性のある連続した領域のサイズ情報を示す。【０１９４】  本実施の形態３ではさらに、欠陥属性情報７０としてＣＢＡと呼ばれる欠陥属性を備える。この欠陥属性は、例えばディスク製造時において、正規用途での使用に問題があることが確実に分かっている領域に関する情報であり、例えば実施の形態１の（１）ディスク製造工程のステップ５０３により得られる情報である。【０１９５】  欠陥サブ情報７２は欠陥領域のサイズ情報を示す。より具体的には、例えば図３に示す２層ディスクにおいて、第０記録層５０２が使用不可な層であるような場合に、その記録層の先頭物理アドレスが欠陥位置情報７１に、その記録層のデータ領域６のサイズが欠陥サブ情報７２として設定される。【０１９６】  このように、本実施��形態３は、正規の用途にて使用不可な記録層が存在した場合、それを欠陥として登録するという方法である。但し、層全部のブロック３をＤＦＬに欠陥として登録するのは物理的に不可能であるため、新たな欠陥属性を設け、その属性で欠陥登録する。なお、ここで正規の用途にて使用不可、とは、（１）正規の用途が繰り返し記録可能なディスクの場合、記録不可、または追記のみ可、を意味し、（２）正規の用途が追記のみ可能なディスクの場合、記録不可を意味するものとする。すなわち、欠陥属性情報７０は、実施の形態２の記録層良否情報４５と同一の内容を有する、本発明の使用性能情報の一例である。【０１９７】  なお、記録特性ＮＧで使用不可な記録層が複数存在する場合、ＤＦＬにおけるＣＢＡ属性の欠陥エントリ４８も、ＮＧな記録層の数と同じだけ存在する。【０１９８】  （３）ディスク製造工程
本実施の形態３における光ディスク記録再生装置１００の構成は、記録層良否情報制御部１７０の動作内容を除いて上述の実施の形態２において図１０を用いて説明したものと同等であるため、詳細な説明は省略する。【０１９９】  記録層良否情報制御部１７０に含まれる記録層良否情報判定部１７１は、ディスク管理情報２１に含まれる欠陥エントリ４８から欠陥属性がＣＢＡのエントリが存在するか否かを識別することで、使用不可な記録層が存在するか否かを判定する点が、実施の形態２の場合と異なる。【０２００】  またアドレス変換処理部１７２は、記録層良否情報判定部１７１によって判定された結果をもとに、物理アドレス（ＰＢＡ）と論理アドレス（ＬＢＡ）の変換処理などを行う。つまり、記録層良否情報判定部１７１によって使用不可と判定された層に対して論理アドレスは割り当てず、使用可と判定された層に対してのみ論理アドレスの割り当てを行う。【０２０１】  記録層良否情報設定部１７３は、上位制御装置から指定された内容を基に、欠陥エントリ４８にＣＢＡ属性のエントリとして記録する情報を作り出す点が、実施の形態２の場合と違う。【０２０２】  本実施の形態３における光ディスク１の製造工程は、図４を用いて実施の形態１で説明したものと、ステップ５０１から５０３は同じ手順である。ここでは、実施の形態１と違うステップ５０４の動作内容のみを記し、ステップ５０１からステップ５０３についての説明は省略する。【０２０３】  ステップ５０４：ＤＤＳ２０およびディスク管理情報２１を光ディスク１へ記録する。ここではＤＦＬを含むディスク管理情報２１を各記録層のＤＭＡ１からＤＭＡ４に対して記録する。このとき記録するＤＦＬは、ステップ５０３における各記録層の記録特性検査結果を反映し、正規の用途に応じた記録特性がＮＧな層が存在する場合、その層の先頭物理アドレスを欠陥位置情報７１、その層のデータ領域６のサイズを欠陥サブ情報７２とし、さらに欠陥属性情報７０をＣＢＡとした欠陥エントリ４８を含むＤＦＬを備えるディスク管理情報２１を記録する。【０２０４】  以下、ステップ５０４の処理の一例を示す。【０２０５】  ＤＭＡ１からＤＭＡ４への記録処理の一例として、物理フォーマットと呼ばれる処理がある。物理フォーマットとは主にデータ領域６の構造（ユーザデータ領域１４とスペア領域１５の配置など）を決定するための処理であり、ＤＭＡ１からＤＭＡ４に対してＤＤＳ２０およびディスク管理情報２１を記録する。ここでＤＤＳ２０およびディスク管理情報２１に相当する情報は、例えば管理情報格納バッファ１５０に格納されている。【０２０６】  物理フォーマットは、ＳＦＦ（Ｓｍａｌｌ  Ｆｏｒｍ  Ｆａｃｔｏｒ）と呼ばれるハードディスクや光ディスクドライブなどのストレージデバイスの業界団体で規定されたＳＦＦ８０９０規格（Ｍｔ．Ｆｕｊｉ規格とも呼ばれる）において規定されているパケットコマンドにおける“Ｆｏｒｍａｔ  Ｕｎｉｔ”コマンド（以下、Ｆｏｒｍａｔコマンドと呼ぶ）によって、例えばホストコンピュータのような上位制御装置（図示せず）から指示される。【０２０７】  Ｆｏｒｍａｔコマンドについては、上述の実施の形態２で説明したものと同等であるため、ここでの説明は省略する。【０２０８】  以下では、Ｆｏｒｍａｔコマンドを用いてＤＭＡ１からＤＭＡ４へＤＤＳ２０およびディスク管理情報２１を記録する場合を例にとって説明する。【０２０９】  ステップ５０４の詳細な処理手順は、上述の実施の形態２において図１２を用いて説明した処理手順と同様である。【０２１０】  ステップ１３０１：上位制御装置はＦｏｒｍａｔコマンドを光ディスク記録再生装置１００に対して発行し、光ディスク記録再生装置１００は上位制御装置から送信されるＣＤＢの受領、およびパラメータリストの受領を行う。この時上位制御装置からは、記録特性ＮＧな記録層に相当する情報が、例えばＣＤＢ中あるいはパラメータリストに含めて送信される。【０２１１】  ステップ１３０２：Ｆｏｒｍａｔコマンドを受領した光ディスク記録再生装置１００の命令処理部１１０は、ＤＦＬ中にＣＢＡ属性の欠陥エントリ４８を設定することが可能か否かを判定する。ここで、ＣＢＡ属性の欠陥エントリ４８を設定することが可能か否かを判定する方法としては、例えば、以下にあげるような方法などが考えられる。【０２１２】  １）Ｆｏｒｍａｔコマンドに、新たに層使用良否情報設定モードを設け、前記モードが要求された場合には、ＣＢＡ属性の欠陥エントリ４８の設定を行う。【０２１３】  ２）記録を行う光ディスク１のＤＭＡ領域が未記録状態（例えば光ディスク１が、まだ記録の行われていないバージンディスクの場合など）の場合には、ＣＢＡ属性の欠陥エントリ４８の設定を行う。【０２１４】  ３）上記１）と上記２）の組合せのパターン。【０２１５】  本実施の形態３では、ディスク製造工程においての処理について述べているので、判定方法としては上記３）を用いるものとする。但し、ディスク製造工程においての処理であるため、上記２）の記録対象光ディスク１がバージンディスクであることはあらかじめ保証されているため、実質的に上記１）のパターンを用いることになる。【０２１６】  ステップ１３０３：命令処理部１１０がＣＢＡ属性の欠陥エントリ４８の設定を行うと判定した場合は、正規の用途に応じた記録特性がＮＧとして指定された記録層の先頭物理アドレスとデータ領域６のサイズを用いて設定するＣＢＡ属性の欠陥エントリ４８を算出し、記録層良否情報設定部１７３は、これを管理情報格納バッファ１５０に含まれるディスク管理情報２１、つまりＤＦＬに相当する情報に反映する。このとき、正規の用途で使用可な記録層が決まるので、論理空間の位置やサイズなどについても決まることになる。【０２１７】  なお実施の形態１の（４）実際の使用例において説明したように、例えば４層ディスクにおいて使用可能な層が複数存在する場合、論理空間の割り当て方法もいろいろ考えられるため、ここで設定される値も、この論理空間の割り当て方法に応じて算出することになる。【０２１８】  命令処理部１１０がＣＢＡ属性の欠陥エントリ４８の設定を行わないと判定した場合は、記録層良否情報設定部１７３は、欠陥エントリ４８のデフォルトの値（例えば全て０）を管理情報格納バッファ１５０に含まれるディスク管理情報２１に相当する情報に反映して、ステップ１３０４へ移行する。【０２１９】  ステップ１３０４：最後に命令処理部１１０は記録制御部１２０に対して、管理情報格納バッファ１５０に含まれるＤＤＳ２０およびディスク管理情報２１の記録を要求し、記録制御部１２０は各記録層のＤＭＡ１からＤＭＡ４にＤＤＳ２０およびディスク管理情報２１の記録を行う。【０２２０】  ここで、ステップ５０３における記録層記録特性検査では、使用可と判定された記録層のＤＭＡ１からＤＭＡ４への記録に失敗するような場合も非常に確率は低いが発生し得る。このような場合は、このディスクは完全に使用できないディスクと判定して破棄し、商品として出荷しないようにする。あるいは、全ての記録層への記録が完了した時点で、正規の用途の記録特性ＯＫ／ＮＧとして指定された内容と食い違っていた場合には、再度ＣＢＡ属性の欠陥エントリ４８を算出し直して、再度各記録層のＤＭＡ１からＤＭＡ４へディスク管理情報２１の記録を行っても良い。【０２２１】  以上の手順で、ステップ５０４の処理、つまりディスク管理情報２１の光ディスク１への記録処理が完了する。【０２２２】  以上のように、本実施の形態３における光ディスク１は、製造工程時に既に物理Ｆｏｒｍａｔされた状態で出荷されることになる。【０２２３】  なお、ディスク製造工程において設定されたＣＢＡ属性の欠陥エントリ４８は、以降このディスクがユーザの手によって物理Ｆｏｒｍａｔをされても変えることが出来ない情報として制限を加えることが望ましい。【０２２４】  また、本実施の形態３では、各記録層のＤＭＡ１からＤＭＡ４の全てに対して、ＤＤＳ２０とディスク管理情報２１を記録するように説明を行ったが、必ずしも全ての記録層のＤＭＡ１からＤＭＡ４全てに記録を行わなくても良い。具体的には、正常に記録が出来る少なくとも１つの記録層（例えば仮想第０記録層とした記録層）におけるＤＭＡ１からＤＭＡ４に対して記録を行うことが出来れば良く、その他の記録層では、ある特定のＤＭＡ（例えばＤＭＡ１）のみ記録する等といった方法でも、同様の効果を得ることが出来る。【０２２５】  また、本実施の形態３では、ＦｏｒｍａｔコマンドのＣＤＢまたはパラメータリストに設定するＣＢＡ属性の欠陥エントリ４８に相当する情報を含める場合を例に挙げたが、例えばＦｏｒｍａｔコマンド処理の前に前もって光ディスク記録再生装置１００に備えられる管理情報格納バッファ１５０に格納しておいたり、あるいはＥＥＰＲＯＭのような不揮発性メモリ（図示せず）にしておき、この情報を用いて処理を行うことも可能である。【０２２６】  また、本実施の形態３では、Ｆｏｒｍａｔコマンドを用いてＤＭＡ１からＤＭＡ４へ記録層良否情報４５を含むＤＤＳ２０の記録を行う例を示したが、必ずしもＦｏｒｍａｔコマンドを用いずとも、例えばＣＢＡ属性の欠陥エントリ４８登録用の新規コマンドを構築して、それを用いて行っても良い。【０２２７】  （４）ディスク読み出し処理
図１６は、光ディスク記録再生装置１００による本実施の形態３の光ディスク１に対するディスク読み込み（起動）処理手順を示すフロー図である。【０２２８】  ステップ１７０１：再生制御部１３０は、指定された記録層におけるＤＭＡ領域（ＤＭＡ１からＤＭＡ４）からＤＤＳ２０およびディスク管理情報２１の読み出しを行う。なお、最初に読み出しを行う記録層を、ここでは第０記録層とする。【０２２９】  また、ステップ１７０２：再生制御部１３０は、ステップ１７０１においてデータが正しく読み出せたか否かの判定を行う。【０２３０】  読み出せた場合にはＤＤＳ２０およびディスク管理情報２１を管理情報格納バッファ１５０に格納してステップ１７０６へ移行する。【０２３１】  正しく読み出せなかった場合には、ステップ１７０３へ移行する。【０２３２】  ステップ１７０３：再生制御部１３０は、全ての記録層におけるＤＭＡ領域の読み出しが完了したか否かを判定する。【０２３３】  ステップ１７０４：ステップ１７０３の結果、全ての記録層におけるＤＭＡ領域の読み出しはまだ未完了状態であると判定された場合には、再生制御部１３０は次の記録層におけるＤＭＡの読み出し処理を行うため、対象の記録層として次の記録層を設定してステップ１７０１へ戻る。例えば、第０記録層を最初に判定する記録層として、第１記録層、第２記録層、第３記録層の順番になるように次の記録層を設定する。【０２３４】  ステップ１７０５：ステップ１７０３の結果、全ての記録層におけるＤＭＡ領域の読み出しは完了したと判定された場合には、再生制御部１３０は、この光ディスク１は扱うことの出来ない状態（例えば物理Ｆｏｒｍａｔが未実施状態）にある異常な光ディスク１と判定され、読み出し処理を完了する。【０２３５】  ステップ１７０６：記録層良否情報判定部１７１は管理情報格納バッファ１５０に読み出したディスク管理情報２１、つまりＤＦＬから欠陥エントリ４８を取得し、その中にＣＢＡ属性の欠陥エントリ４８が存在するか否かを判定する。【０２３６】  ステップ１７０７：ステップ１７０６の結果から、アドレス変換処理部１７２は論理空間情報を算出する。具体的には、ステップ１７０６においてＣＢＡ属性の欠陥エントリが存在しないと判定された場合は、全ての記録層は使用可能であると判断して、第０記録層におけるユーザデータ領域１４の先頭を論理空間の先頭位置と、また全ての記録層におけるユーザデータ領域１４のサイズを足し合わせたサイズが論理空間サイズであるとして算出する。ＣＢＡ属性の欠陥エントリ４８が存在すると判定された場合には、ＣＢＡ属性の欠陥エントリ４８として設定された記録層を除いた形で、論理空間の算出を行う。なお論理空間の算出方法は、上述の実施の形態１で説明したようにいろいろな方法があるため、その方法に合致した形で算出を行う。【０２３７】  以上で、本実施の形態３における光ディスク１に対するディスク読み込み（起動）処理は完了する。【０２３８】  なお、上記の各ステップにおいて、ステップ１７０１は本発明の情報記録媒体の使用準備方法における（ａ）使用性能情報を読み出すステップに相当し、ステップ１７０２〜１７０６は、本発明の情報記録媒体の使用準備方法における��ｂ）使用性能が少なくとも非でないかどうかを判別するステップに相当し、ステップ１７０７は、本発明の情報記録媒体の使用準備方法における（ｃ）論理アドレスを割り当てるステップに相当する。【０２３９】  なお、ここでは、上述の実施の形態２で説明したのと同様に、全ての記録層におけるＤＭＡ領域からＤＤＳ２０を読み出し、それらの情報が全て一致して初めて正常な光ディスク１として判定するとして説明しても良く、この場合でもここで説明したのと同様の効果を得ることが出来る。【０２４０】  また、ここでは、ＤＭＡ１からＤＭＡ４の全てのＤＭＡ領域からＤＤＳ２０およびディスク管理情報２１の読み出しを行うとして説明したが、必ずしもディスク管理情報２１の読み出しは行わなくとも良い。また、必ずしも全ての記録層において４つ全てのＤＭＡ領域の読み出しを行わなくとも良く、例えば所定のＤＭＡ領域のみを読み出すとしても、ここで説明したのと同様の効果を得ることが出来る。【０２４１】  また、ステップ１７０２において読み出しが成功／失敗と判定された記録層の情報を例えば管理情報格納バッファ１５０に保持しておき、これと欠陥エントリ４８としてＣＢＡ属性の欠陥エントリ４８が存在するか否かとの比較を行っても良い。すなわちＣＢＡ属性の欠陥エントリ４８が存在しない場合には全ての記録層での読み出しは成功するはずであり、またＣＢＡ属性の欠陥エントリ４８が存在する場合には、その欠陥エントリ４８で指定された記録層からのデータの読み出しは失敗するはずであるという前提を用いて、これらの比較を行っても良い。但し、一般的に使用不可とされた記録層からのデータの読出しには成功する可能性もあるため、使用可と指定された記録層からの読み出しに成功したか否かの確認を行うことで、データの信頼性を高めることが可能となる。【０２４２】  また、本実施の形態３では、どの記録層のＤＭＡに正常に記録されているか分からない場合を例として説明を行ったが、例えば基準記録層を設けておいても良い。つまり、例えば４層ディスクの場合、例えば第０記録層を基準記録層として決めておき、第０記録層は必ず正常に記録が出来る（記録特性も商品レベルとして十分な）ものとして扱う。そして第０記録層のＤＭＡ記録に失敗したディスクは不良ディスクとして商品として出荷しないようにしても良い。こうすれば、基準記録層である第０記録層のＤＭＡ領域には必ずＤＤＳ２０およびディスク管理情報２１が正しく記録されていることになるため、このディスクを使用する場合、光ディスク記録再生装置１００は第０記録層のＤＭＡ領域からディスク管理情報２１等を読み出して欠陥エントリ４８を取得し、この情報に基づいて以降の処理を行っても、ここで説明したのと同様の効果を得ることが出来る。【０２４３】  また、本実施の形態３では、ＣＢＡ属性の欠陥エントリ４８として登録された記録層を全く使用できないものとして説明を行ってきたが、ユーザの意志において、使用不可な記録層を使用できるようにする手段、つまりＣＢＡ属性の欠陥エントリ４８を無視するような手段を備えるのも一つの方法である。【０２４４】  また、本実施の形態３では、完全に使用不能な層を欠陥として登録する方法について説明したが、こ��場合、仮想的に記録層が少ないディスクとして扱うという実施の形態１や実施の形態２の場合と違って、記録層としては存在する全ての記録層がそのまま存在しているように見せることになる点が違っている。【０２４５】  また、本実施の形態１から３において記録再生性能・アクセス性能を高めるため、例えば出荷時等に、使用不可な記録層に対して何らかのデータを記録して未記録状態から記録済み状態としても良い。【０２４６】  また、本実施の形態１において、記録層良否情報は、図１８に示すように、円環形状の記録層５０２，５０３が設けられる側より光ディスク１の内周側に設けられるＢＣＡに記述されていたが、本発明の使用性能情報は、各記録層への情報の記録又は再生に影響を与えないように記録層のなす円環より内周側であればＢＣＡに限定されない。それより更に内周側のディスク基板層に別途直接記述してもよい。また記録層の円環より外周側に直接記述してもよい。【０２４７】  また、本実施の形態２，３において、記録層良否情報は、図９，図１４に示すように、記録層上の、データ領域６を挟み込む内周領域５，または外周領域７のＤＭＡ内に記述されていたが、本発明の使用性能情報は、各記録層への情報の記録又は再生に影響を与えないようであれば、スペア領域１５等、記録層上の他の領域の任意の箇所を用いるようにしてもよい。【０２４８】  また、実施の形態１〜３においては、記録層良否情報は、光ディスク記録再生装置１００にて光学的に読み出し可能な情報として説明を行ったが、本発明の使用性能情報は、これに限定されるものではなく、光ディスク１基板の所定箇所にＩＣタグ等の形式で埋め込んでおき、外部から磁気的に読み取り可能な情報であるとしてもよい。【０２４９】  また、実施の形態１〜３では、本発明の記録部は積層された複数の記録層であるとしたが、各記録部が同一面内に同心円状にそれぞれ設けられた構成であるとしてもよい。【０２５０】  また、実施の形態１〜３においては、高密度の光ディスクであるＢＤ−ＲＥを光ディスクの例としたが、本発明はこれに限定されるものではなく、記録層が積層されてなる構成であって、光学的に情報の記録又は再生が行われるものであれば、そのフォーマットに限定されず、ＤＶＤ−Ｒ、ＤＶＤ−ＲＡＭ等にて実施してもよい。【０２５１】  また、実施の形態１〜３においては、それぞれ（３）ディスク製造工程として、ステップ５０１〜５０４に示す各ステップを説明したが、本発明は、各工程を一括して行うディスク製造装置として実現してもよい。図１７はそのようなディスク製造装置１８００の構成図である。図１７に示すように、ディスク製造装置１８００は、ステップ５０１を実行する、基板材料や記録膜材料を張り合わせて光ディスクの媒体本体を作成する張り合わせ手段１８０１と、ステップ５０１〜５０４を実行する、使用性能情報を媒体本体に記録する記録装置１８１０とを備えている。【０２５２】  また、記録装置１８１０は、媒体本体を駆動する駆動系１８１１，駆動系１８１１にセットされた媒体本体に対して光学的に情報の読み出しまたは書き込みを行う光学系１８１２、光学系１８１２の読み出した情報を取得して、ステップ５０２，５０３の検査を実行する検査部���８１３，検査部１８１３の検査結果に基づき使用性能情報を生成する使用性能情報生成部１８１４を有する。光学系１８１は使用性能情報生成部１８１４から使用性能情報を、媒体本体の所定位置（実施の形態１であればＢＣＡ、実施の形態２、３であればＤＭＡ）に対して光学的に書き込む動作も行う。【０２５３】  以上の構成において、製造装置１８００は本発明の情報記録媒体の製造装置に相当し、記録装置１８１０は本発明の情報記録媒体の記録装置に相当する。また、光学系１８１２は本発明の記述手段に相当する。なお、記録装置１８１０は、製造装置１８００と独立して使用してもよい。また、検査部１８１３及び使用性能情報生成部１８１４は製造装置１８００と一体として説明を行ったが、検査部１８１３及び使用性能情報生成部は、別構成として、製造装置１８００は使用性能情報を外部から取得して動作する構成としてもよい。この場合、検査部１８１３，使用性能情報生成部１８１４は従来の検査用の光ドライブをそのまま用いることができる。また、本発明の使用性能を検査するステップと、使用性能情報を所定箇所に記述するステップとを、離れた場所で実行することができる。
【産業上の利用可能性】
【０２５４】  本発明にかかる情報記録媒体、その製造方法、その処理装置並びにその使用準備方法、及び情報記録方法並びに情報記録装置は、いずれかの記録層に不具合が生じたとしても、その程度に応じて記録層を有効利用できる効果を有し、例えば、複数の記録層を備える光ディスクの製造や、複数の記録層を備える光ディスクを記録再生可能な光ディスクドライブ装置に適用でき、有用である。
【図１】
2006038633.tif 000002
【図２】
2006038633.tif 000003
【図３】
2006038633.tif 000004
【図４】
2006038633.tif 000005
【図５】
2006038633.tif 000006
【図６】
2006038633.tif 000007
【図７】
2006038633.tif 000008
【図８】
2006038633.tif 000009
【図９】
2006038633.tif 000010
【図１０】
2006038633.tif 000011
【図１１】
2006038633.tif 000012
【図１２】
2006038633.tif 000013
【図１３】
2006038633.tif 000014
【図１４】
2006038633.tif 000015
【図１５】
2006038633.tif 000016
【図１６】
2006038633.tif 000017
【図１７】
2006038633.tif 000018
【図１８】
2006038633.tif 000019
【手続補正書】
【提出日】平成18年6月29日(2006.6.29)
【手続補正１】
【補正対象書類名】特許請求の範囲
【補正対象項目名】全文
【補正方法】変更
【補正の内容】
【書類名】請求の範囲
【請求項１】  複数の記録層を備え、
前記複数の記録層の、各記録層ごとの使用性能に関する使用性能情報が所定箇所に記述されている、情報記録媒体。
【請求項２】  前記使用性能情報は、前記記録層が、少なくとも（１）記録不可、又は（２）記録可能のいずれか一つの状態であることを示すものである、請求の範囲第１項記載の情報記録媒体。
【請求項３】  前記使用性能情報における（２）記録可能とは、（２ａ）１回のみ記録可能、又は（２ｂ）繰り返し記録可能のいずれか一つの状態であることを示すものである、請求の範囲第２項記載の情報記録媒体。
【請求項４】  前記複数の記録層はいずれも円環の形状を有し、前記所定箇所は、前記円環より内周側に設けられている、請求の範囲第１項記載の情報記録媒体。
【請求項５】  前記所定箇所はＢＣＡ（Ｂｕｒｓｔ  Ｃｕｔｔｉｎｇ  Ａｒｅａ）である、請求の範囲第４項記載の情報記録媒体。
【請求項６】  前記各記録層が円環の形状を有し、前記所定箇所が前記記録層上の任意の箇所である、光ディスクである、請求の範囲第１項記載の情報記録媒体。
【請求項７】  前記任意の箇所は、前記光ディスクに関する管理情報が記録されるディスク管理領域（ＤＭＡ（Ｄｉｓｃ  Ｍａｎａｇｅｍｅｎｔ  Ａｒｅａ））である、請求の範囲第６項記載の情報記録媒体。
【請求項８】  前記ＤＭＡには、
前記光ディスクに関する管理情報であるディスク管理情報と、前記ディスク管理情報が配置される位置の位置情報を含むＤＤＳ（Ｄｉｓｃ  Ｄｅｆｉｎｉｔｉｏｎ  Ｓｔｒｕｃｔｕｒｅ）とが記述され、
前記所定箇所は、前記ディスク管理情報の記述箇所又は前記ＤＤＳの記述箇所である、請求の範囲第７項記載の情報記録媒体。
【請求項９】  複数の記録層を有する情報記録媒体へ情報を記録する記録装置であって、
前記複数の記録層の、各記録層ごとの使用性能の結果を、前記情報である、前記使用性能に関する使用性能情報として、所定箇所に記述する記述手段を備えた、情報記録媒体の記録装置。
【請求項１０】  前記使用性能情報は、前記情報記録媒体の前記記録層が、少なくとも（１）記録不可、又は（２）記録可能のいずれか一つの状態であることを示すものである、請求の範囲第９項記載の情報記録媒体の記録装置。
【請求項１１】  前記使用性能情報における（２）記録可能とは、（２ａ）１回のみ記録可能、又は（２ｂ）繰り返し記録可能のいずれか一つの状態であることを示すものである、請求の範囲第１０項記載の情報記録媒体の記録装置。
【請求項１２】  前記情報記録媒体は前記複数の記録層がディスク基板上に形成されてなる光ディスクであって、
前記使用性能の検査は、前記各記録層に光学的に情報の記録又は再生を行うことにより行われるものであり、
前記所定箇所は、少なくとも前記ディスク基板及び前記各記録層から選択される任意の箇所である、請求の範囲第９項記載の情報記録媒体の記録装置。
【請求項１３】  前記任意の箇所は、前記ディスク基板の、前記複数の記録層の円環より内周側に形成されるＢＣＡ（Ｂｕｒｓｔ  Ｃｕｔｔｉｎｇ  Ａｒｅａ）である、請求の範囲第１０項記載の情報記録媒体の記録装置。
【請求項１４】  前記任意の箇所は、前記光ディスクに関する管理情報が記録されるディスク管理領域（ＤＭＡ）である、請求の範囲第１０項記載の情報記録媒体の記録装置。
【請求項１５】  複数の記録層を有する情報記録媒体の製造装置であって、
ディスク基板に複数の記録膜を積層して貼り合わせることにより前記複数の記録層を有する媒体本体を作成する張り合わせ手段と、
請求の範囲第９から第１４項のいずれか１項記載の情報記録媒体の記録装置とを備え、
前記媒体本体に前記使用性能情報を記録することにより、前記使用性能情報が記録された情報記録媒体を作成する、情報記録媒体の製造装置。
【請求項１６】  複数の記録層を有する情報記録媒体へ情報を記録する記録方法であって、
（ａ）前記複数の記録層の各記録層ごとの使用性能を検査するステップと、
（ｂ）前記検査の結果を、前記情報である、前記使用性能に関する使用性能情報として、所定箇所に記述するステップとを備えた、情報記録媒体の記録方法。
【請求項１７】  前記使用性能情報は、前記情報記録媒体の前記記録層が、少なくとも（１）記録不可、又は（２）記録可能のいずれか一つの状態であることを示すものである、請求の範囲第１６項記載の情報記録媒体の記録方法。
【請求項１８】  前記使用性能情報における（２）記録可能とは、（２ａ）１回のみ記録可能、又は（２ｂ）繰り返し記録可能のいずれか一つの状態であることを示すものである、請求の範囲第１７項記載の情報記録媒体の記録方法。
【請求項１９】  複数の記録層を有する情報記録媒体の製造方法であって、
（ａ）ディスク基板に複数の記録膜を積層して貼り合わせることにより前記複数の記録層を有する媒体本体を作成するステップと、
（ｂ）請求の範囲第１６項から第１８項のいずれか１項記載の情報記録媒体の記録方法により、前記媒体本体に前記使用性能情報を記録するステップとを備えた、情報記録媒体の製造方法。
【請求項２０】  請求の範囲第１項から第８項のいずれかの情報記録媒体を使用可能にする処理を行う処理装置であって、
前記情報記録媒体の前記所定箇所から、前記使用性能情報を読み出す読み出し手段と、
前記読み出し手段が読み出した前記使用性能情報に基づき、前記複数の記録層の各記録層について、使用性能の程度を判別する判別手段と、
前記判別手段により使用性能が少なくとも非ではないと判別された前記記録層におけるデータ領域をデータを記録又は再生可能な論理空間とし、その論理空間におけるアドレスである論理アドレスを割り当てる割り当て手段とを備えた、情報記録媒体の処理装置。
【請求項２１】  前記割り当て手段は、使用性能が少なくとも非でないと判別された前記記録層のうち、前記読み出しが行われる側に近い前記記録層から順に、前記論理アドレスを割り当てる、請求の範囲第２０項記載の情報記録媒体の処理装置。
【請求項２２】  前記割り当て手段は、使用性能が少なくとも非でないと判別された前記各記録層毎の物理アドレスの割り当て方向、及び前記各記録層の間の物理アドレスの割り当て方向が一致する方向に前記論理アドレスを割り当てる、請求の範囲第１６項記載の情報記録媒体の処理装置。
【請求項２３】  請求の範囲第１項から第８項のいずれかの情報記録媒体を使用可能にするための使用準備方法であって、
（ａ）前記情報記録媒体の前記所定箇所から、前記使用性能情報を読み出すステップと、
（ｂ）前記ステップ（ａ）で読み出した前記使用性能情報に基づき、前記複数の記録層の各記録層について、使用性能が少なくとも非でないかどうかを判別するステップと、
（ｃ）前記ステップ（ｂ）で使用性能が少なくとも非でないと判別された前記記録層におけるデータ領域をデータを記録又は再生可能な論理空間とし、その論理空間におけるアドレスである論理アドレスを割り当てるステップとを備えた、情報記録媒体の使用準備方法。
【手続補正２】
【補正対象書類名】明細書
【補正対象項目名】０００２
【補正方法】変更
【補正の内容】
【０００２】
を複数備えた多層ディスクの場合でも、ＢＣＡは１つの面につき１つのみ存在する。
［０００７］  ユーザデータの記録再生はデータ領域６に対して行われる。
［０００８］  内周領域５と外周領域７は、光ディスク１の管理情報等が記録される領域であり、一般的に単層ディスクの場合には内周領域５はリードイン領域、また外周領域７はリードアウト領域と呼ばれる領域である。これらの領域はまた、光ヘッド（図示せず）がデータ領域６の端へアクセスする場合に、光ヘッドがオーバーランしてもトラックに追随できるようにのりしろとしての役割も果たす。
［０００９］  さらに近年では、さらなる大容量化の手段として、レーザとして赤色レーザを用いるＤＶＤから、波長の短い青色レーザを用いるＢｌｕ−ｒａｙディスク（以下ＢＤと呼ぶ）の開発が進められている一方で、ディスクの１面に記録層を２枚重ねて備えた２層ディスクのような、複数の記録層を備えた多層ディスクの開発が進められている。
［００１０］  これらの複数記録層ディスクの製造技術はまだ開発されたばかりであることに加え、同一の面に複数の記録層を張り合わせるものであるために、各記録層の記録特性に違いが生じ、場合によっては、ある記録層の記録特性は問題無いものの、他の記録層の記録特性は商品レベルとして不十分なディスクが出来上がることがしばしば発生する。つまりディスク製造工程において、全ての記録層が商品レベルとして十分なディスクが出来上がる確率、つまり歩留まりが非常に悪いという問題があった。そのためディスク製造会社においてはディスクの単価を安く抑えることができなくなり、一般ユーザにとっても不利益が生じる結果となる。
［００１１］  例えば、多層ディスクにおいては、例えば２層ディスクの１層の記録特性しか商品レベルでない場合は、あたかも単層ディスクとして使いたいという要望があった。また、書き換え型ディスクの場合、記録層の状態によっては、繰り返し記録できない場合でも、一回限りの記録なら行える追記型ディスクとして用いることにもニーズがあった。
［００１２］  つまり、あたかも単層ディスク、もしくは追記可能ディスクとして扱うことで、仮想的に歩留まりを良くすることが出来れば、不良品発生による不要なコストを削減できるため単価を安く抑えることが期待できるというものである。
【手続補正３】
【補正対象書類名】明細書
【補正対象項目名】０００３
【補正方法】変更
【補正の内容】
【０００３】
［００１３］  本発明は、上記のような課題に鑑みてなされたものであり、複数の記録層を有する情報記録媒体の製造時に、いずれかの記録層に不具合が生じたとしても、その程度に応じて記録層を有効利用できるような情報記録媒体等を提供することを目的とする。
【発明の開示】
［００１４］  上記の目的を達成するために、第１の本発明は、複数の記録層を備え、
前記複数の記録層の、各記録層ごとの使用性能に関する使用性能情報が所定箇所に記述されている、情報記録媒体である。
［００１５］  第２の本発明は、前記使用性能情報は、前記記録層が、少なくとも（１）記録不可、又は（２）記録可能のいずれか一つの状態であることを示すものである、第１の本発明の情報記録媒体である。
［００１６］  第３の本発明は、前記使用性能情報における（２）記録可能とは、（２ａ）１回のみ記録可能、又は（２ｂ）繰り返し記録可能のいずれか一つの状態であることを示すものである、第２の本発明の情報記録媒体である。
［００１７］  第４の本発明は、前記複数の記録層はいずれも円環の形状を有し、前記所定箇所は、前記円環より内周側に設けられている、第１の本発明の情報記録媒体である。
［００１８］  第５の本発明は、前記所定箇所はＢＣＡ（Ｂｕｒｓｔ  Ｃｕｔｔｉｎｇ  Ａｒｅａ）である、第４の本発明の情報記録媒体である。
［００１９］  第６の本発明は、前記各記録層が円環の形状を有し、前記所定箇所が前記記録層上の任意の箇所である、光ディスクである、第１の本発明の情報記録媒体である。
［００２０］  第７の本発明は、前記任意の箇所は、前記光ディスクに関する管理情報が記録されるディスク管理領域（ＤＭＡ（Ｄｉｓｃ  Ｍａｎａｇｅｍｅｎｔ  Ａｒｅａ））である、第６の本発明の情報記録媒体である。
［００２１］  第８の本発明は、前記ＤＭＡには、
前記光ディスクに関する管理情報であるディスク管理情報と、前記ディスク管理情報が配置される位置の位置情報を含むＤＤＳ（Ｄｉｓｃ  Ｄｅｆｉｎｉｔｉｏｎ  Ｓｔｒｕｃｔｕｒｅ）とが記述され、
前記所定箇所は、前記ディスク管理情報の記述箇所又は前記ＤＤＳの記述箇所である、第７の本発明の情報記録媒体である。
【手続補正４】
【補正対象書類名】明細書
【補正対象項目名】０００４
【補正方法】変更
【補正の内容】
【０００４】
［００２２］  第９の本発明は、複数の記録層を有する情報記録媒体へ情報を記録する記録装置であって、
前記複数の記録層の、各記録層ごとの使用性能の結果を、前記情報である、前記使用性能に関する使用性能情報として、所定箇所に記述する記述手段を備えた、情報記録媒体の記録装置である。
［００２３］  第１０の本発明は、前記使用性能情報は、前記情報記録媒体の前記記録層が、少なくとも（１）記録不可、又は（２）記録可能のいずれか一つの状態であることを示すものである、第９の本発明の情報記録媒体の記録装置である。
［００２４］  第１１の本発明は、前記使用性能情報における（２）記録可能とは、（２ａ）１回のみ記録可能、又は（２ｂ）繰り返し記録可能のいずれか一つの状態であることを示すものである、第１０の本発明の情報記録媒体の記録装置である。
［００２５］  第１２の本発明は、前記情報記録媒体は前記複数の記録層がディスク基板上に形成されてなる光ディスクであって、
前記使用性能の検査は、前記各記録層に光学的に情報の記録又は再生を行うことにより行われるものであり、
前記所定箇所は、少なくとも前記ディスク基板及び前記各記録層から選択される任意の箇所である、第９の本発明の情報記録媒体の記録装置である。
［００２６］  第１３の本発明は、前記任意の箇所は、前記ディスク基板の、前記複数の記録層の円環より内周側に形成されるＢＣＡ（Ｂｕｒｓｔ  Ｃｕｔｔｉｎｇ  Ａｒｅａ）である、第１０の本発明の情報記録媒体の記録装置である。
［００２７］  第１４の本発明は、前記任意の箇所は、前記光ディスクに関する管理情報が記録されるディスク管理領域（ＤＭＡ）である、第１０の本発明の情報記録媒体の記録装置である。
［００２８］  第１５の本発明は、複数の記録層を有する情報記録媒体の製造装置であって、
ディスク基板に複数の記録膜を積層して貼り合わせることにより前記複数の記録層を有する媒体本体を作成する張り合わせ手段と、
第９から第１４のいずれか１の本発明の情報記録媒体の記録装置とを備え、
前記媒体本体に前記使用性能情報を記録することにより、前記使用性能情報が記録された情報記録媒体を作成する、情報記録媒体の製造装置である。
［００２９］  第１６の本発明は、複数の記録層を有する情報記録媒体へ情報を記録する記録
【手続補正５】
【補正対象書類名】明細書
【補正対象項目名】０００５
【補正方法】変更
【補正の内容】
【０００５】
方法であって、
（ａ）前記複数の記録層の各記録層ごとの使用性能を検査するステップと、
（ｂ）前記検査の結果を、前記情報である、前記使用性能に関する使用性能情報として、所定箇所に記述するステップとを備えた、情報記録媒体の記録方法である。
［００３０］  第１７の本発明は、前記使用性能情報は、前記情報記録媒体の前記記録層が、少なくとも（１）記録不可、又は（２）記録可能のいずれか一つの状態であることを示すものである、第１６の本発明の情報記録媒体の記録方法である。
［００３１］  第１８の本発明は、前記使用性能情報における（２）記録可能とは、（２ａ）１回のみ記録可能、又は（２ｂ）繰り返し記録可能のいずれか一つの状態であることを示すものである、第１７の本発明の情報記録媒体の記録方法である。
［００３２］  第１９の本発明は、複数の記録層を有する情報記録媒体の製造方法であって、
（ａ）ディスク基板に複数の記録膜を積層して貼り合わせることにより前記複数の記録層を有する媒体本体を作成するステップと、
（ｂ）第１６から第１８のいずれか１の本発明の情報記録媒体の記録方法により、前記媒体本体に前記使用性能情報を記録するステップとを備えた、情報記録媒体の製造方法である。
［００３３］  第２０の本発明は、第１から第８の本発明のいずれかの情報記録媒体を使用可能にする処理を行う処理装置であって、
前記情報記録媒体の前記所定箇所から、前記使用性能情報を読み出す読み出し手段と、
前記読み出し手段が読み出した前記使用性能情報に基づき、前記複数の記録層の各記録層について、使用性能の程度を判別する判別手段と、
前記判別手段により使用性能が少なくとも非ではないと判別された前記記録層におけるデータ領域をデータを記録又は再生可能な論理空間とし、その論理空間におけるアドレスである論理アドレスを割り当てる割り当て手段とを備えた、情報記録媒体の処理装置である。
第２１の本発明は、前記割り当て手段は、使用性能が少なくとも非でないと判別された前記記録層のうち、前記読み出しが行われる側に近い前記記録層から順に、前記論理アドレスを割り当てる、第２０の本発明の情報記録媒体の処理装置である。
第２２の本発明は、前記割り当て手段は、使用性能が少なくとも非でないと判別され
【手続補正６】
【補正対象書類名】明細書
【補正対象項目名】０００６
【補正方法】変更
【補正の内容】
【０００６】
た前記各記録層毎の物理アドレスの割り当て方向、及び前記各記録層の間の物理アドレスの割り当て方向が一致する方向に前記論理アドレスを割り当てる、第１６の本発明の情報記録媒体の処理装置である。
第２３の本発明は、第１から第８の本発明のいずれかの情報記録媒体を使用可能にするための使用準備方法であって、
（ａ）前記情報記録媒体の前記所定箇所から、前記使用性能情報を読み出すステップと、
（ｂ）前記ステップ（ａ）で読み出した前記使用性能情報に基づき、前記複数の記録層の各記録層について、使用性能が少なくとも非でないかどうかを判別するステップと、
（ｃ）前記ステップ（ｂ）で使用性能が少なくとも非でないと判別された前記記録層におけるデータ領域をデータを記録又は再生可能な論理空間とし、その論理空間におけるアドレスである論理アドレスを割り当てるステップとを備えた、情報記録媒体の使用準備方法である。
上記のような本発明によれば、例えば、情報記録媒体が記録層毎に記録可能かどうかを判別するための層状態管理フラグを備えることで、例えば２層ディスクの２層目の記録特性が悪いディスクを、１層目のみ使用可能な単層ディスクのように見せかけることが出来るため、記録装置はこのディスクを普通のディスクと同様に扱って記録再生を行うことが可能となる。つまり、ある記録層の記録特性が悪いディスクが出来上がったとしても、それを使用可能なディスクとして扱うことができるため、ディスク製造工程の歩留まりを格段に向上させることが出来、製造コストを大輻に削減することが出来る。またディスクの製造コストが削減されることから、ディスクの単価低下も期待でき、ディスクを購入するユーザにとっても大きなメリットとなるものと期待される。
［００３４］  本発明によれば、複数の記録層を有する情報記録媒体の製造時に、いずれかの記録層に不具合が生じたとしても、その程度に応じて記録層を有効利用できるので、その情報記録媒体を破棄することなく提供することが可能となる。
【図面の簡単な説明】
［００３５］［図１］本発明の実施の形態１〜３における、２層光ディスクの断面図
［図２］本発明の実施の形態１における、ディスク定義構造のデータ構造説明図
［図３］本発明の実施の形態における、記録層良否情報のデータ構造図
［図４］本発明の実施の形態１における、ディスク製造手順を示す図
［図５］本発明の実施の形態１における、光ディスク記録再生装置１００のブロック図
［図６］物理アドレスと論理アドレスとの対応関係説明図
［図７］本発明の実施の形態１における、ディスク読み込み（起動）手順を示す図
［図８］本発明の実施の形態における、記録層の使用順番の例を示す説明図
［図９］本発明の実施の形態２における、ディスク定義構造のデータ構造説明図
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
複数の記録部を備え、
前記複数の記録部の各記録部ごとの使用性能に関する使用性能情報が所定箇所に記述されている、情報記録媒体。
【請求項２】
前記複数の記録部は、各記録部が積層されてなる複数の記録層である構成を有する光ディスクである、請求項１記載の情報記録媒体。
【請求項３】
前記複数の記録層はいずれも円環の形状を有し、前記所定箇所は、前記円環より内周側に設けられている、請求項２記載の情報記録媒体。
【請求項４】
前記所定箇所はＢＣＡ(Ｂｕｒｓｔ  Ｃｕｔｔｉｎｇ  Ａｒｅａ)である、請求項３記載の情報記録媒体。
【請求項５】
前記各記録部は円環の形状を有し、前記所定箇所は、前記記録層上の任意の箇所である、請求項２記載の情報記録媒体。
【請求項６】
前記任意の箇所は、前記光ディスクに関する管理情報が記録されるディスク管理領域（ＤＭＡ（Ｄｉｓｃ  Ｍａｎａｇｅｍｅｎｔ  Ａｒｅａ））である、請求項５記載の情報記録媒体。
【請求項７】
前記ＤＭＡには、
前記光ディスクに関する管理情報であるディスク管理情報と、前記ディスク管理情報が配置される位置の位置情報を含むＤＤＳ（Ｄｉｓｃ  Ｄｅｆｉｎｉｔｉｏｎ  Ｓｔｒｕｃｔｕｒｅ）とが記述され、
前記所定箇所は、前記ディスク管理情報の記述箇所又は前記ＤＤＳの記述箇所である、請求項４記載の情報記録媒体。
【請求項８】
前記使用性能情報は、前記記録部が、少なくとも（１）記録不可、（２）追記のみ可能、及び（３）繰り返し記録可能のいずれか一つの状態であることを示すものである、請求項１記載の情報記録媒体。
【請求項９】
複数の記録部を有する情報記録媒体へ情報を記録する記録装置であって、
前記複数の記録部の各記録部ごとの使用性能の結果を、前記情報である、前記使用性能に関する使用性能情報として、所定箇所に記述する記述手段を備えた、情報記録媒体の記録装置。
【請求項１０】
前記情報記録媒体は、各記録部が積層されてなる複数の円環形状の記録層を有する光ディスクであって、
前記使用性能の検査は、前記各記録部に光学的に情報の記録又は再生を行うことにより行われるものであり、
前記所定箇所は、少なくとも前記ディスク基板及び前記各記録層から選択される任意の箇所である、請求項９記載の情報記録媒体の記録装置。
【請求項１１】
前記任意の箇所は、前記ディスク基板の、前記複数の記録層の円環より内周側に形成されるＢＣＡ（Ｂｕｒｓｔ  Ｃｕｔｔｉｎｇ  Ａｒｅａ）である、請求項１０記載の情報記録媒体の記録装置。
【請求項１２】
前記任意の箇所は、前記光ディスクに関する管理情報が記録されるディスク管理領域（ＤＭＡ）である、請求項１０記載の情報記録媒体の記録装置。
【請求項１３】
複数の記録部を有する情報記録媒体の製造装置であって、
ディスク基板に複数の記録膜を積層して貼り合わせることにより前記複数の記録部を有する媒体本体を作成する張り合わせ手段と、
請求項９から１２のいずれか１項記載の情報記録媒体の記録装置とを備え、
前記媒体本体に前記使用性能情報を記録することにより、前記使用性能情報が記録された情報記録媒体を作成する、情報記録媒体の製造装置。
【請求項１４】
複数の記録部を有する情報記録媒体へ情報を記録する記録方法であって、
（ａ）前記複数の記録部の各記録部ごとの使用性能を検査するステップと、
（ｂ）前記検査の結果を、前記情報である、前記使用性能に関する使用性能情報として、所定箇所に記述するステップとを備えた、情報記録媒体の記録方法。
【請求項１５】
複数の記録部を有する情報記録媒体の製造方法であって、
（ａ）ディスク基板に複数の記録膜を積層して貼り合わせることにより前記複数の記録部を有する媒体本体を作成するステップと、
（ｂ）請求項１４記載の情報記録媒体の記録方法により、前記媒体本体に前記使用性能情報を記録するステップとを備えた、情報記録媒体の製造方法。
【請求項１６】
請求項１から７のいずれかの１項記載の情報記録媒体を使用可能にする処理を行う処理装置であって、
前記情報記録媒体の前記所定箇所から、前記使用性能情報を読み出す読み出し手段と、
前記読み出し手段が読み出した前記使用性能情報に基づき、前記複数の記録部の各記録部について、使用性能の程度を判別する判別手段と、
前記判別手段により使用性能が少なくとも非ではないと判別された前記記録部におけるデータ領域をデータを記録又は再生可能な論理空間とし、その論理空間におけるアドレスである論理アドレスを割り当てる割り当て手段とを備えた、情報記録媒体の処理装置。
【請求項１７】
前記割り当て手段は、使用性能が少なくとも非でないと判別された前記記録部のうち、  前記読み出しが行われる側に近い前記記録部から順に、前記論理アドレスを割り当てる、請求項１６記載の情報記録媒体の処理装置。
【請求項１８】
前記割り当て手段は、使用性能が少なくとも非でないと判別された前記各記録部毎の物理アドレスの割り当て方向及び前記各記録部の間の物理アドレスの割り当て方向と一致する方向に前記論理アドレスを割り当てる、請求項１６記載の情報記録媒体の処理装置。
【請求項１９】
請求項１から７のいずれかの１項記載の情報記録媒体を使用可能にするための使用準備方法であって、
（ａ）前記情報記録媒体の前記所定箇所から、前記使用性能情報を読み出すステップと、
（ｂ）前記ステップ（ａ）で読み出した前記使用性能情報に基づき、前記複数の記録部の各記録部について、使用性能が少なくとも非でないかどうかを判別するステップと、
（ｃ）前記ステップ（ｂ）で使用性能が少なくとも非でないと判別された前記記録部におけるデータ領域をデータを記録又は再生可能な論理空間とし、その論理空間におけるアドレスである論理アドレスを割り当てるステップとを備えた、情報記録媒体の使用準備方法。
【手続補正２】
【補正対象書類名】明細書
【補正対象項目名】全文
【補正方法】変更
【補正の内容】
【発明の詳細な説明】
【技術分野】
【０００１】
本発明は、情報記録媒体、その製造方法、その処理装置並びにその使用準備方法、及び情報記録方法並びに情報記録装置に関する。
【背景技術】
【０００２】
近年、大容量で交換可能な情報記録媒体、およびそれを扱うディスクドライブ装置が広く普及している。
【０００３】
従来の大容量で交換可能な情報記録媒体としては、ＤＶＤ−ＲＡＭのような光ディスクが良く知られている。光ディスクドライブ装置は、レーザ光を用いて光ディスク上に微小なピットを形成することによって記録再生を行うので、大容量で交換可能な情報記録に適している（例えば非特許文献１参照）。
【０００４】
図１８は、一般的な記録型光ディスクの領域構成図である。円盤状の記録型光ディスク１には、スパイラル状に多数のトラック２が形成されており、各トラック２には細かく分けられた多数のブロック３が形成されている。ブロック３は、エラー訂正の単位であり、記録および再生動作が行われる最小の単位である。例えば、ＤＶＤ−ＲＡＭの場合には１ＥＣＣ（３２ＫＢｙｔｅ）サイズである。また記録層は１面に１層のみ存在するというもの、つまり単層ディスクである。
【０００５】
光ディスク１の領域は、ＢＣＡ（Ｂｕｒｓｔ  Ｃｕｔｔｉｎｇ  Ａｒｅａ）４と内周領域５とデータ領域６と外周領域７に大別される。
【０００６】
ＢＣＡ４は光ディスク１の製造の段階で特殊な装置を用いてディスクごとにバーコード状に形成され、例えばレーザで反射膜を除去して形成されたりする。なおＢＣＡ４は特殊な装置を用いてのみ記録可能であり、一般の光ディスクドライブ装置では記録できない。ＢＣＡ４には光ディスク１個々の識別情報等が記録される。なお片面に記録層を複数備えた多層ディスクの場合でも、ＢＣＡは１つの面につき１つのみ存在する。
【０００７】
ユーザデータの記録再生はデータ領域６に対して行われる。
【０００８】
内周領域５と外周領域７は、光ディスク１の管理情報等が記録される領域であり、一般的に単層ディスクの場合には内周領域５はリードイン領域、また外周領域７はリードアウト領域と呼ばれる領域である。これらの領域はまた、光ヘッド（図示せず）がデータ領域６の端へアクセスする場合に、光ヘッドがオーバーランしてもトラックに追随できるようにのりしろとしての役割も果たす。
【非特許文献１】”１２０ｍｍ  （４，７Ｇｂｙｔｅｓ  ｐｅｒ  ｓｉｄｅ）  ａｎｄ  ８０ｍｍ（１，４６Ｇｂｙｔｅｓ  ｐｅｒ  ｓｉｄｅ）  ＤＶＤ−Ｒｅｗｒｉｔａｂｌｅ  Ｄｉｓｋ  （ＤＶＤ−ＲＡＭ）”，Ｓｔａｎｄａｒｄ  ＥＣＭＡ−３３０，Ｄｅｃｅｍｂｅｒ  ２００１
【発明の開示】
【発明が解決しようとする課題】
【０００９】
さらに近年では、さらなる大容量化の手段として、レーザとして赤色レーザを用いるＤＶＤから、波長の短い青色レーザを用いるＢｌｕ−ｒａｙディスク（以下ＢＤと呼ぶ）の
開発が進められている一方で、ディスクの１面に記録層を２枚重ねて備えた２層ディスクのような、複数の記録層を備えた多層ディスクの開発が進められている。
【００１０】
これらの複数記録層ディスクの製造技術はまだ開発されたばかりであることに加え、同一の面に複数の記録層を張り合わせるものであるために、各記録層の記録特性に違いが生じ、場合によっては、ある記録層の記録特性は問題無いものの、他の記録層の記録特性は商品レベルとして不十分なディスクが出来上がることがしばしば発生する。つまりディスク製造工程において、全ての記録層が商品レベルとして十分なディスクが出来上がる確率、つまり歩留まりが非常に悪いという問題があった。そのためディスク製造会社においてはディスクの単価を安く抑えることができなくなり、一般ユーザにとっても不利益が生じる結果となる。
【００１１】
例えば、多層ディスクにおいては、例えば２層ディスクの１層の記録特性しか商品レベルでない場合は、あたかも単層ディスクとして使いたいという要望があった。また、書き換え型ディスクの場合、記録層の状態によっては、繰り返し記録できない場合でも、一回限りの記録なら行える追記型ディスクとして用いることにもニーズがあった。
【００１２】
つまり、あたかも単層ディスク、もしくは追記可能ディスクとして扱うことで、仮想的に歩留まりを良くすることが出来れば、不良品発生による不要なコストを削減できるため単価を安く抑えることが期待できるというものである。
【００１３】
本発明は、上記のような課題に鑑みてなされたものであり、複数の記録層を有する情報記録媒体の製造時に、いずれかの記録層に不具合が生じたとしても、その程度に応じて記録層を有効利用できるような情報記録媒体等を提供することを目的とする。
【課題を解決するための手段】
【００１４】
上記の目的を達成するために、第１の本発明は、複数の記録部を備え、
前記複数の記録部の各記録部ごとの使用性能に関する使用性能情報が所定箇所に記述されている、情報記録媒体である。
【００１５】
第２の本発明は、前記複数の記録部は、各記録部が積層されてなる複数の記録層である構成を有する光ディスクである、第１の本発明の情報記録媒体である。
【００１６】
第３の本発明は、前記複数の記録層はいずれも円環の形状を有し、前記所定箇所は、前記円環より内周側に設けられている、第２の本発明の情報記録媒体である。
【００１７】
第４の本発明は、前記所定箇所はＢＣＡ(Ｂｕｒｓｔ  Ｃｕｔｔｉｎｇ  Ａｒｅａ)である、第３の本発明の情報記録媒体である。
【００１８】
第５の本発明は、前記各記録部は円環の形状を有し、前記所定箇所は、前記記録層上の任意の箇所である、第２の本発明の情報記録媒体である。
【００１９】
第６の本発明は、前記任意の箇所は、前記光ディスクに関する管理情報が記録されるディスク管理領域（ＤＭＡ（Ｄｉｓｃ  Ｍａｎａｇｅｍｅｎｔ  Ａｒｅａ））である、第５の本発明の情報記録媒体である。
【００２０】
第７の本発明は、前記ＤＭＡには、
前記光ディスクに関する管理情報であるディスク管理情報と、前記ディスク管理情報が配置される位置の位置情報を含むＤＤＳ（Ｄｉｓｃ  Ｄｅｆｉｎｉｔｉｏｎ  Ｓｔｒｕｃｔｕｒｅ）とが記述され、
前記所定箇所は、前記ディスク管理情報の記述箇所又は前記ＤＤＳの記述箇所である、第４の本発明の情報記録媒体である。
【００２１】
第８の本発明は、前記使用性能情報は、前記記録部が、少なくとも（１）記録不可、（２）追記のみ可能、及び（３）繰り返し記録可能のいずれか一つの状態であることを示すものである、第１の本発明の情報記録媒体である。
【００２２】
第９の本発明は、複数の記録部を有する情報記録媒体へ情報を記録する記録装置であって、
前記複数の記録部の各記録部ごとの使用性能の結果を、前記情報である、前記使用性能に関する使用性能情報として、所定箇所に記述する記述手段を備えた、情報記録媒体の記録装置である。
【００２３】
第１０の本発明は、前記情報記録媒体は、各記録部が積層されてなる複数の円環形状の記録層を有する光ディスクであって、
前記使用性能の検査は、前記各記録部に光学的に情報の記録又は再生を行うことにより行われるものであり、
前記所定箇所は、少なくとも前記ディスク基板及び前記各記録層から選択される任意の箇所である、第９の本発明の情報記録媒体の記録装置である。
【００２４】
第１１の本発明は、前記任意の箇所は、前記ディスク基板の、前記複数の記録層の円環より内周側に形成されるＢＣＡ（Ｂｕｒｓｔ  Ｃｕｔｔｉｎｇ  Ａｒｅａ）である、第１０の本発明の情報記録媒体の記録装置である。
【００２５】
第１２の本発明は、前記任意の箇所は、前記光ディスクに関する管理情報が記録されるディスク管理領域（ＤＭＡ）である、第１０の本発明の情報記録媒体の記録装置である。
【００２６】
第１３の本発明は、複数の記録部を有する情報記録媒体の製造装置であって、
ディスク基板に複数の記録膜を積層して貼り合わせることにより前記複数の記録部を有する媒体本体を作成する張り合わせ手段と、
第９から第１２のいずれかの本発明の情報記録媒体の記録装置とを備え、
前記媒体本体に前記使用性能情報を記録することにより、前記使用性能情報が記録された情報記録媒体を作成する、情報記録媒体の製造装置である。
【００２７】
第１４の本発明は、複数の記録部を有する情報記録媒体へ情報を記録する記録方法であって、
（ａ）前記複数の記録部の各記録部ごとの使用性能を検査するステップと、
（ｂ）前記検査の結果を、前記情報である、前記使用性能に関する使用性能情報として、所定箇所に記述するステップとを備えた、情報記録媒体の記録方法である。
【００２８】
第１５の本発明は、複数の記録部を有する情報記録媒体の製造方法であって、
（ａ）ディスク基板に複数の記録膜を積層して貼り合わせることにより前記複数の記録部を有する媒体本体を作成するステップと、
（ｂ）第１４の本発明の情報記録媒体の記録方法により、前記媒体本体に前記使用性能情報を記録するステップとを備えた、情報記録媒体の製造方法である。
【００２９】
第１６の本発明は、第１から第７の本発明の情報記録媒体を使用可能にする処理を行う処理装置であって、
前記情報記録媒体の前記所定箇所から、前記使用性能情報を読み出す読み出し手段と、
前記読み出し手段が読み出した前記使用性能情報に基づき、前記複数の記録部の各記録部について、使用性能の程度を判別する判別手段と、
前記判別手段により使用性能が少なくとも非ではないと判別された前記記録部におけるデータ領域をデータを記録又は再生可能な論理空間とし、その論理空間におけるアドレスである論理アドレスを割り当てる割り当て手段とを備えた、情報記録媒体の処理装置である。
【００３０】
第１７の本発明は、前記割り当て手段は、使用性能が少なくとも非でないと判別された前記記録部のうち、前記読み出しが行われる側に近い前記記録部から順に、前記論理アドレスを割り当てる、第１６の本発明の情報記録媒体の処理装置。
【００３１】
第１８の本発明は、前記割り当て手段は、使用性能が少なくとも非でないと判別された前記各記録部毎の物理アドレスの割り当て方向及び前記各記録部の間の物理アドレスの割り当て方向と一致する方向に前記論理アドレスを割り当てる、第１６の本発明の情報記録媒体の処理装置である。
【００３２】
第１９の本発明は、第１から第７の本発明のいずれかの情報記録媒体を使用可能にするための使用準備方法であって、
（ａ）前記情報記録媒体の前記所定箇所から、前記使用性能情報を読み出すステップと、
（ｂ）前記ステップ（ａ）で読み出した前記使用性能情報に基づき、前記複数の記録部の各記録部について、使用性能が少なくとも非でないかどうかを判別するステップと、
（ｃ）前記ステップ（ｂ）で使用性能が少なくとも非でないと判別された前記記録部におけるデータ領域をデータを記録又は再生可能な論理空間とし、その論理空間におけるアドレスである論理アドレスを割り当てるステップとを備えた、情報記録媒体の使用準備方法である。
【００３３】
上記のような本発明によれば、例えば、情報記録媒体が記録層毎に記録可能かどうかを判別するための層状態管理フラグを備えることで、例えば２層ディスクの２層目の記録特性が悪いディスクを、１層目のみ使用可能な単層ディスクのように見せかけることが出来るため、記録装置はこのディスクを普通のディスクと同様に扱って記録再生を行うことが可能となる。つまり、ある記録層の記録特性が悪いディスクが出来上がったとしても、それを使用可能なディスクとして扱うことができるため、ディスク製造工程の歩留まりを格段に向上させることが出来、製造コストを大幅に削減することが出来る。またディスクの製造コストが削減されることから、ディスクの単価低下も期待でき、ディスクを購入するユーザにとっても大きなメリットとなるものと期待される。
【発明の効果】
【００３４】
本発明によれば、複数の記録層を有する情報記録媒体の製造時に、いずれかの記録層に不具合が生じたとしても、その程度に応じて記録層を有効利用できるので、その情報記録媒体を破棄することなく提供することが可能となる。
【発明を実施するための最良の形態】
【００３５】
以下、本発明の実施の形態について、図面を用いて説明する。
【００３６】
なお本発明の実施の形態においては、本発明の情報記録媒体として光ディスクを例として用いて説明を行う。
【００３７】
（実施の形態１）
（１）光ディスク構成
図１は、多層光ディスクの一例として、記録層を２つ備えた２層ディスクにおける断面の概略図である。
【００３８】
２層の光ディスク１は、光ディスク基版５０１の上に２つの記録層（第０記録層５０２および第１記録層５０３）となる記録膜が貼り合わされた構造になっている。なお実際の光ディスクは、これらの記録層の他にも保護層などの複数の層（膜）を貼り合わせて作られるが、本実施の形態ではこれ以上の詳細な説明は割愛する。
【００３９】
ここで記録層は、レーザの入射方向Ｘ側から順に第０記録層５０２、第１記録層５０３と呼ぶことにする。また記録層は本発明の記録部に相当する。
【００４０】
なお以下では、特に説明が無い限り、多層ディスクとして２層ディスクを例にとって説明を行う。
【００４１】
（２）データ構造
図２は、本発明の実施の形態１の光ディスク１におけるデータ構成図である。
【００４２】
光ディスク１は、ＢＣＡ４と内周領域５とデータ領域６と外周領域７に大別される。なお、図１８に示す構成図では、各記録層は図１８に示すように円環の形状を有し、ＢＣＡ４は各記録層より内周側に設けられる。
【００４３】
データ領域６は、音楽やビデオなどのリアルタイムデータや文章やデータベースなどのコンピュータデータなど、ユーザによって任意の情報が記録可能な領域である。
【００４４】
内周領域５は、光ディスク１の径方向に向かってデータ領域６より内周側に位置する領域であり、また外周領域７は光ディスク１の径方向に向かってデータ領域６より外周側に位置する領域である。これらの領域は、光ディスク１に関する管理情報等を備える他に、光ピックアップ（図示せず）のオーバーランを防ぐ役割を果たす領域でもある。
【００４５】
なお図１に示す２層ディスクの場合、第０記録層５０２の内周領域５がリードイン領域、第１記録層５０３の内周領域５がリードアウト領域とも呼ばれる。なお単層ディスクの場合には第０記録層しか存在せず、内周領域５がリードイン領域、外周領域７がリードアウト領域となる。
【００４６】
ＢＣＡ４は、光ディスク１の径方向に向かって最内周部に位置する領域である。ＢＣＡ４は光ディスク１の製造の段階で、特殊な装置（図示せず）を用いてディスクごとにバーコード状に形成され、例えばレーザで反射膜を除去して形成されたりする。なおＢＣＡ４は、後述の光ディスク記録再生装置１００では記録できない。
【００４７】
また、実施の形態１，及び図２において、説明を容易にするために、ＢＣＡ４は第０記録層５０２に配置されるものとして説明を行うが、実際は記録装置は別の層（例えば保護層）に配置される。
【００４８】
ＢＣＡ４は、本発明の使用性能情報の一例である記録層良否情報３０とその他の情報３１（コピー保護情報等）を備える。
【００４９】
なお、光ディスク１において、第０記録層５０２の領域構成図は、従来の一般的な光ディスクの領域構成図１８と一致し、第１記録層５０３の領域構成図は、図１８の構成から、ＢＣＡ４を省いたものと一致する。
【００５０】
図３は、記録層良否情報３０のデータ構造を示す説明図である。
【００５１】
記録層良否情報３０は、光ディスク１が備える全ての記録層における使用良否を示す情報であり、この情報が有効か否かを示すイネーブルフラグ５０と、各記録層の使用良否の程度を示す良否情報５１とを備える。例えば本実施の形態１のように２層ディスクの場合は、良否情報５１における第０記録層５０２および第１記録層５０３に相当するビットが割り付けられ（図３の例では１層につき３ビット）、そのビットの値によって、相当する記録層の記録特性の問題の程度を示す。
【００５２】
例えばビットの値が（０００）の場合は、すなわち記録特性に全く問題がなく、繰り返し上書き記録が可能である旨を意味する。また、ビットの値が（００１）の場合は、記録特性に少し問題があり、上書き記録の繰り返し回数に制限が加えられる旨を意味し、例えば１回のみ記録可能（追記型）であることを意味する。
【００５３】
またビット値が（１１１）の場合は、記録特性に大きな問題があり、使用不可である旨を意味する。なお、他の（０１０）〜（１１０）の５通りの場合の情報は、予備情報として、他の必要な情報の表示に用いられる。図３の場合では、第０記録層５０２は使用不可、第１記録層５０３は使用可の状態にあることを示す。このとき、ディスクの実際の不具合のうち、最も深刻なのは記録層の使用不可であるから、判断は少なくとも使用不可か否かであることを判断することが最低条件となる。
【００５４】
また、イネーブルフラグ５０がＦＦｈの場合には良否情報５１は有効、００ｈの場合には無効であることを示すものとするが、イネーブルフラグの値は任意の値で良く、ここに示す限りでは無い。
【００５５】
なお図３においては、記録層良否情報３０を、イネーブルフラグ５０が１バイト、良否情報５１が３バイトの計４バイト（３２ビット）サイズの情報であるとし場合を例にしているが、記録層良否情報３０（イネーブルフラグ５０及び良否情報５１）のサイズは任意のサイズで良く、ここに示した限りではない。
【００５６】
（３）ディスク製造工程
図４は、光ディスク１の製造工程の大まかな流れを示すフロー図である。ここで作られる光ディスク１の構成は、図１に示す２層ディスク１と同様であるとする。
【００５７】
ステップ５０１：光ディスク基板５０１に対して、２つの記録層（第０記録層５０２および第１記録層５０３）となる記録膜を貼り合わせることで、光ディスク１を製造する。
【００５８】
ステップ５０２：製造された光ディスク１に対して、記録膜が正しく貼り合わされているか、膜間に気泡やゴミなどが存在しないかといったディスクのチェックを行う。
【００５９】
ステップ５０３：そのディスクが商品レベルとして相当なものかをチェックするために、各記録層の記録特性の検査を行う。例えば、ＳＥＲ（Ｓｙｍｂｏｌ  Ｅｒｒｏｒ  Ｒａｔｅ）と呼ばれる記録ブロックのエラーの割合を測定するなどして、各記録層の記録特性が商品として十分であるか（規格として規定された範囲に収まっているか）の検査を行う。
【００６０】
ステップ５０４：記録層良否情報を光ディスク１へ記録する。ここでは記録層良否情報３０を含むディスク固有な情報をＢＣＡ４に対して記録する。このとき記録する記録層良否情報３０は、イネーブルフラグ５０には本情報が有効であることを示す値（ここではＦＦｈ）を設定し、良否情報５１にはステップ５０３における各記録層の記録特性検査結果を反映し、記録特性ＮＧな層が存在する場合、その層に相当するビットを（１１１）としたデータを記録層良否情報３０として記録する。
【００６１】
ここでＢＣＡ４へ記録層良否情報３０を記録するのは、記録位置は、確実に記録が行なわれることが保証される位置である必要があるためである。言い換えれば、通常の記録層の領域では記録特性によって記録できない可能性がある。つまり記録層良否情報３０の読み出しの際に、どの記録層に本情報が記録されているか保証ができなくなる可能性があるためである。
【００６２】
以上の手順で、ディスクの製造工程が完了する。なお、上記の各ステップにおいて、ステップ５０１は本発明の情報記録媒体の製造方法における（ａ）媒体本体を作成するステップに相当し、ステップ５０２及び５０３は、本発明の情報記録媒体の記録方法における（ａ）使用性能を検査するステップに相当し、ステップ５０４は、本発明の情報記録媒体の記録方法における（ｂ）使用性能情報を所定箇所に記述するステップであって、本発明の情報記録媒体の製造方法における（ｂ）使用性能情報を記録するステップに相当する。
【００６３】
なお本実施の形態１では、ディスク１枚１枚に対して上記ステップ５０１から５０４を行うものとして説明を行った。しかし、特にステップ５０３のＳＥＲ測定は実際に光ディスク１へ記録を行う、すなわち記録層へデータを書き込んで検査するため、複数回の書換えが可能な書換え型光ディスクの場合には問題無いが、１回のみ記録可能な追記型光ディスクの場合にはＳＥＲ測定を行ってしまうと既に１回の記録が行われたことになってしまい、商品として使うことが出来なくなってしまう。
【００６４】
こういった場合も想定し、例えば同一箇所で製造される光ディスク（ロット）の中から任意に選び出した一枚または複数枚の光ディスク１をサンプルとし、このサンプルに対してステップ５０３を行い、その結果をそのロットの光ディスク全ての結果であるものとして記録層良否情報３０を生成してステップ５０４を行うことで、追記型光ディスクに対しても同様の手順でディスクを製造することが可能である。なおこの方法は、書換え型光ディスクなどの記録型光ディスクにも適用できることは言うまでも無い。
【００６５】
（４）ディスク読み出し処理
図５は、本発明の実施の形態１における光ディスク記録再生装置１００の構成図である。
【００６６】
光ディスク記録再生装置１００は、上位制御装置（図示せず）にＩ／Ｏバス１８０を介して接続されている。上位制御装置は、典型的には、ホストコンピュータである。
【００６７】
光ディスク記録再生装置１００は、上位制御装置からの命令を処理する命令処理部１１０と、光ディスク１の記録層への記録処理を行う記録制御部１２０と、光ディスク１の記録層からの再生処理を行う再生制御部１３０と、ＢＣＡ４から情報の読み出しを行うＢＣＡ読み出し部１４０と、光ディスクから読み出した管理情報を格納する管理情報格納バッファ１５０と、記録及び再生データを一時的に格納するデータバッファ１６０と、記録層良否情報３０に対する制御処理を行う記録層良否情報制御部１７０とを機能的に備えている。
【００６８】
ＢＣＡ読み出し部１４０は、ＢＣＡ４から情報を読み出し、読み出した記録層良否情報３０などの情報を管理情報格納バッファ１５０に格納する。
【００６９】
記録層良否情報制御部１７０は、記録層良否情報判定部１７１と、アドレス変換処理部１７２とを備える。
【００７０】
記録層良否情報判定部１７１は、ＢＣＡ読み出し部１４０によって管理情報格納バッファ１５０に読み出された記録層良否情報３０から、イネーブルフラグ５０を基に記録層良否情報３０が有効か否かを、又良否情報５１を基に、各記録層の使用性能（使用良否）の程度を含めて判定する。
【００７１】
なお、上記の構成において、光ディスク記録再生装置１００は、本発明の情報記録媒体を使用可能にする処理を行う処理装置に相当し、再生制御部１３０及びＢＣＡ読み出し部１４０は本発明の読み出し手段に相当し、記録層良否情報判定部１７１は本発明の判別手段に相当し、アドレス変換処理部１７２は、本発明の割り当て手段に相当する。
【００７２】
ここで光ディスク１のアドレスについて簡単に説明する。
【００７３】
一般的に光ディスク１に対して記録再生などのアクセス処理を行う場合、物理的に光ディスク１の記録層上に振られているアドレス（物理アドレス：以下ＰＢＡと略す）と、ユーザからアクセス可能な領域、つまり論理空間（本実施の形態１の場合はデータ領域６が相当）に対して仮想的に振られるアドレス（論理アドレス：以下ＬＢＡと略す）とを用いて制御が行われる。
【００７４】
具体的には、物理アドレスとしては、例えば書換え型のブルーレイディスクであるＢＤ−ＲＥの場合、ディスク上の記録溝のウォーブルを用いて付与されるＡＤＩＰと呼ばれるアドレスと、ディスク上に記録されたデータ中に付与されるＡＵＮと呼ばれるアドレスが相当する。ＢＤ−ＲＥの場合、エラー訂正の単位である１クラスタ（６４ＫＢｙｔｅ）中にＡＤＩＰは３個、ＡＵＮは１６個（４ＫＢｙｔｅごとに１個）付与されている。
【００７５】
物理アドレスの小さい順に、第０記録層５０２、第１記録層５０３となる。
【００７６】
基本的に、ある１つの論理アドレスは所定の１つの物理アドレスと１対１に対応する。
【００７７】
アドレス変換処理部１７２は、記録層良否情報判定部１７１によって判定された結果をもとに、物理アドレス（ＰＢＡ）と論理アドレス（ＬＢＡ）の変換処理などを行う。つまり、記録層良否情報判定部１７１によって使用不可と指定された層に対して論理アドレスは割り当てず、使用可と判定された層に対してのみ論理アドレスの割り当てを行う。
【００７８】
図６は、ＢＤ−ＲＥにおける物理アドレス（ＰＢＡ）と論理アドレス（ＬＢＡ）の対応関係を示す説明図である。
【００７９】
図６（Ａ）は、第０記録層５０２および第１記録層５０３ともに使用可状態にある場合の説明図である。第０記録層５０２のデータ領域６の先頭（ＰＢＡ＝１０００００ｈ）をＬＢＡ＝０ｈとしてアドレスが割り当てられる。また第０記録層５０２のデータ領域６の終端と、第１記録層５０３のデータ領域６の始端とは、物理アドレスは連続していないが、論理アドレスは連続して振り当てられる。
【００８０】
図６（Ｂ）は、記録層良否情報３０が図３に示す状態、つまり第０記録層５０２が使用不可、第１記録層５０３が使用可状態にある場合の説明図である。第０記録層５０２には論理アドレスが割り当てられず、第１記録層５０３を仮想的に第０記録層（仮想第０記録層）とみなし、仮想第１記録層は存在しないものとみなされる。そして仮想第０記録層の始端、つまり第１記録層５０３のデータ領域６の始端、つまりＰＢＡ＝１３５８Ｃ００ｈの位置がＬＢＡ＝０ｈとして割り当てられる。
【００８１】
なお図６（Ａ）、（Ｂ）はともに、データ領域６中に欠陥ブロックの交替先領域等に用いられるスペア領域が存在しない場合の対応図である。スペア領域が存在する場合には、それに応じて論理アドレスが振り当てられる。
【００８２】
以上の処理手順を簡単にまとめると、図７のようになる。
【００８３】
図７は、光ディスク記録再生装置１００による本実施の形態１の光ディスク１に対するディスク読み込み（起動）処理手順を示すフロー図である。
【００８４】
ステップ８０１：ＢＣＡ読み出し部１４０は、光ディスク１におけるＢＣＡ４から記録層良否情報３０を含む情報の読み出しを行い、読み出した情報を管理情報格納バッファ１５０に格納する。
【００８５】
ステップ８０２：記録層良否情報制御部１７０は、記録層良否情報３０が有効か否かを判定し、有効な場合には光ディスク１における使用可能な記録層の判断を行う。具体的には、まず記録層良否情報判定部１７１は、管理情報格納バッファ１５０に読み出された記録層良否情報３０中のイネーブルフラグ５０が有効を示す値（ここではＦＦｈ）であるか否かを判定し、有効と判定した場合にはさらに、良否情報５１から使用可能な層、つまり良否情報５１におけるビットの値が（０００）又は（００１）である層を調べる。
【００８６】
ステップ８０３：アドレス変換処理部１７２は、使用可能と判定された層に関する情報を基に、論理アドレスの先頭位置および論理空間として使用可能なサイズ、つまりＬＢＡ＝０ｈとするデータ領域６の先頭物理アドレスと使用可能なデータ領域６の総サイズを算出する。
【００８７】
ここで使用可能な層が複数存在する場合、アドレス変換処理部１７２の動作方法、つまり論理空間の割り当て方法もいろいろ考えられる。
【００８８】
まず１つのディスク内に良否情報５１におけるビットの値が（０００）と（００１）の層が混在するような場合、つまり繰り返し上書き記録が可能な層と、上書き記録の繰り返し回数に制限が加えられた、例えば追記型の層とが混在するような場合には、特性毎に連続するように一連の論理アドレスを割り当てる方法や、特性毎に共に０から始まる別々の論理アドレスを割り当てる方法等が用いられる。
【００８９】
また、例えば、記録層が４層存在するディスクを考えてみる。複数の記録層が存在する場合は、基本的に物理アドレスの付与は、第０記録層は内周から外周方向へ、第１記録層は外周側から内周側へ、…というように、層ごとに逆向きに一筆書きのように付与されるオポジットパスと呼ばれる方法が用いられる。記録層が４層存在するディスクにおいて、存在する４層全ての記録層が使用可能な場合は物理アドレスの小さい層から順に第０記録層、第１記録層…となるが、使用不可な記録層が存在する場合は、
１）物理アドレスの小さい層（レーザ入射方向）から順に、仮想第０記録層、仮想第１記録層…とする方法
２）アドレス付与方向に応じて、仮想第０記録層、仮想第１記録層…とする方法などの方法が考えられる。
【００９０】
図８（Ａ）は、上記１）の物理アドレスに従った割り当て方法である。使用可状態の記録層に対して、物理アドレスの最も小さい層のデータ領域６の始端をＬＢＡ＝０ｈとし、論理アドレスの小さい層のデータ領域６から順に論理アドレスを割り当てる。なお、図８（Ａ）の場合は使用可能な記録層が隣接する２層なので、物理アドレスはオポジットパスとなり割り当てられる論理アドレスも同一割り当て方向のオポジットパスになるが、使用不可能な記録層が間に奇数層分挟み込まれる場合は、物理アドレスの並びはオポジットパスでなくなる。１）の方法では、データの読み出しが行われる側の記録層に近い側から仮想記録層が順に設定されるよう論理アドレスを割り当てることができればよいので、論理アドレスの方向は任意であるが、後述の理由から、論理アドレスはオポジットパスを維持するように割り当てられることが望ましい。
【００９１】
図８（Ｂ）は、上記２）の物理アドレスの付与方向に応じて論理アドレスを割り当てる方法である。もともとの第０記録層と同方向のアドレス付与方向の使用可な記録層を論理空間の先頭、つまり仮想第０記録層とする。使用可能な記録層が隣接する２層なので、物理アドレスもオポジットパスとなっているが、仮想第０記録層は、物理的配置としてはデータの読み出し側からみてより奥に第２記録層に割り当てられている。
【００９２】
図８（Ｃ）は、物理アドレスの付与方向に応じた割り当て方法の別パターンである。使用可な記録層のアドレス付与方向が内周から外周、外周から内周、…と連続するように記録層に対する論理空間を割り当てる。この場合、使用不可能な第１記録層が第０記録層と第２記録層との間に挟み込まれているため、隣接する使用可能な第０記録層と第２記録層との物理アドレス付与方向は同一となっている。２）の方法では、物理アドレスの付与方向に一致する方向にオポジットパスとなるように論理アドレスを割り当てるように定めているため、最終的には、仮想第０記録層に続く仮想第１記録層として、アドレス付与方向が外周から内周へ向かう第３記録層が割り当てられ、さらに仮想第２記録層は、物理的には中間層である第２記録層に位置することになる。
【００９３】
以上に示すように、基本的には物理アドレス順、つまり記録層にもともと割り当てられている順番に合致するように割り当てながらも、論理アドレスの割り当て方向がオポジットパスを維持する、すなわち内周から外周方向、外周から内周方向の順に連続するように割り当てるという考え方である。特に後者のアドレス割り当て方向に関する内容は、論理アドレスを物理アドレスと同方向に連続して割り当てることで、層跨ぎの記録／読み出しアクセス等が発生した場合にも、内周・外周間のシーク処理を削減できるためにアクセス処理速度を高速化できる点などを考慮してのものである。
【００９４】
以上の手順で、光ディスク記録再生装置１００は光ディスク１の読み込み処理を行う。
【００９５】
なお、上記の各ステップにおいて、ステップ８０１は本発明の情報記録媒体の使用準備方法における（ａ）使用性能情報を読み出すステップに相当し、ステップ８０２は、本発明の情報記録媒体の使用準備方法における（ｂ）使用性能が少なくとも非でないかどうかを判別するステップに相当し、ステップ８０３は、本発明の情報記録媒体の使用準備方法における（ｃ）論理アドレスを割り当てるステップに相当する。
【００９６】
以上で説明した通り、記録層良否情報３０で使用不可と指定された記録層をあたかも存在しないように光ディスク記録再生装置１００が扱うことが可能となる。つまり記録層良否情報３０が図３の状態の場合には、実際は記録層が２層存在する２層ディスクであるが、第０記録層５０２が使用不可な状態であるため、光ディスク記録再生装置１００はこのディスクをあたかも記録層が第１記録層５０３の１層のみ存在する単層ディスクとして扱うとが可能となる。また、図３の状態の場合は第０記録層５０２が使用不可状態であり、第１記録層５０３のみが繰り返し記録可能な１層である単層ディスクとして扱うものとしたが、良否情報５１の内容によって、第０記録層５０２が追記のみ可能な１層であり、第１記録層５０３のみが繰り返し記録可能な１層である多層ディスク、また両方の記録層が追記のみ可能な多層ディスク等、各記録層の使用性能に応じた複合機能を有する多層ディスクとして用いることができる。
【００９７】
なお、同一ディスクに複数の異なる使用性能（特性）の層を含む場合、使用性能に応じて記録再生制御方法にも違いが生じる。具体的には、例えば記録処理においては、書き換え可能な層は任意の位置に対する上書き記録要求を受け付けるのに対して、１回のみ記録可能な追記層は、未記録領域への記録要求しか受け付けられない。
【００９８】
そのため、同一ディスクに複数の違う使用性能の層を含む場合には、ＢＣＡやディスク製造時に予めデータが記録される領域（エンボス領域）内のＤＩ（Ｄｉｓｃ  ｉｎｆｏｒｍａｔｉｏｎ）情報等に、本ディスクが複数の使用性能の層を含んだディスクであることを示す情報を備え、ディスク記録再生装置はこの情報を基にディスクの素性を判断する。
【００９９】
また、ディスクの状態を、例えばホストコンピュータ装置のようなユーザ（ホスト装置）側で認識するには、ディスク記録再生装置との間で、ＭＭＣ（Ｍｕｌｔｉ  Ｍｅｄｉａ  Ｃｏｍｍａｎｄｓ）規格や、後述のＳＦＦ８０９０規格等で規定されているパケットコマンドが用いられている。例えばディスクの使用性能（特性）については、“Ｇｅｔ Ｃｏｎｆｉｇｕｒａｔｉｏｎ”コマンド、論理空間サイズについては“Ｒｅａｄ  Ｃａｐａｃｉｔｙ”や“Ｒｅａｄ  Ｔｒａｃｋ  Ｉｎｆｏｒｍａｔｉｏｎ”コマンドを用いて把握することが出来る。
【０１００】
ただし、現状これらのコマンドは１つのディスクに対して１つの使用性能（特性）の場合しか対応していないため、これらのコマンドを複数の使用性能を持つ場合用に拡張し、ディスクの使用性能（特性）について認識した後、使用性能毎の論理空間サイズを取得するといった手順においてユーザはディスクの記録相互との使用性能について認識する。
【０１０１】
なお、ここで挙げた方法についてはあくまで一例であり、上記と同様の効果を果たす方法で在れば、これらに限るものではない。
【０１０２】
また、本実施の形態１では、記録層良否情報３０にイネーブルフラグ５０を含むものとして説明を行ったが、イネーブルフラグ５０は必ずしも存在しなくとも良く、この場合も上述したのと同様の効果を得ることが出来る。
【０１０３】
また、本実施の形態１では、記録層良否情報３０で使用不可として設定された記録層を全く使用できないものとして説明を行ってきたが、ユーザの意志において、使用不可な記録層を使用できるようにする手段、つまり記録層良否情報３０を無視するような手段を備えるのも一つの方法である。
【０１０４】
（実施の形態２）
（１）光ディスク構成
本実施の形態２における光ディスクの構成は、実施の形態１で説明したものと同じであるため、ここでの説明は省略する。
【０１０５】
（２）データ構造
図９は、本発明の実施の形態２における光ディスク１の、ある記録層のデータ構成図である。
【０１０６】
光ディスク１は、内周領域５とデータ領域６と外周領域７に大別される。なおこの図には記載していないが、これら３つの領域に加えて、実施の形態１で示したようなＢＣＡ４が存在しても良い。
【０１０７】
データ領域６はスペア領域１５とユーザデータ領域１４から構成される。
【０１０８】
ユーザデータ領域１４とは、音楽やビデオなどのリアルタイムデータや文章やデータベースなどのコンピュータデータなど、ユーザによって任意の情報が記録可能な領域である。
【０１０９】
スペア領域１５とは、ユーザデータ領域１４内のあるブロック３の代わりにデータを記録する交替領域のことであり、例えばユーザデータ領域１４において欠陥ブロックが検出された場合などに、そのブロックの交替領域のして使用される領域である。なお、スペア領域１５は、データ領域６の内周側（つまりリードイン領域側）と外周側（つまりリード
アウト領域側）に１つずつ存在すると図示したが、スペア領域１５が存在するか否か、また存在する場合にもその個数、および配置は自由であって、必ずしも図示した通りでなくとも良い。
【０１１０】
内周領域５は、光ディスク１の径方向に向かってデータ領域６より内周側に位置する領域であり、また外周領域７は光ディスク１の径方向に向かってデータ領域６より外周側に位置する領域である。これらの領域は、光ディスク１に関する管理情報等を備える他に、光ピックアップ（図示せず）のオーバーランを防ぐ役割を果たす領域でもある。
【０１１１】
内周領域５は、第１のＤＭＡ１０（以下ＤＭＡ１と呼ぶ）と第２のＤＭＡ１１（以下ＤＭＡ２と呼ぶ）を備えている。ＤＭＡ１とＤＭＡ２は共に光ディスク１のデータ構造や、欠陥に関する情報などディスクの管理情報を記録するための領域である。
【０１１２】
外周領域７は、第３の欠陥管理領域１２（以下ＤＭＡ３と呼ぶ）と第４の欠陥管理領域１３（以下ＤＭＡ４と呼ぶ）を備えている。ＤＭＡ３とＤＭＡ４は共に光ディスク１のデータ構造や、欠陥に関する情報などディスクの管理情報を記録するための領域である。
【０１１３】
ここでＤＭＡとは、一般的には欠陥管理領域（Ｄｅｆｅｃｔ  Ｍａｎａｇｅｍｅｎｔ  Ａｒｅａ）のことであるが、欠陥管理情報以外にもディスクに関する様々な情報を備え得ることから、もっと広い意味で、ディスク管理領域（Ｄｉｓｃ  Ｍａｎａｇｅｍｅｎｔ  Ａｒｅａ）とも呼ばれる領域である。なお本実施の形態２においては、ＤＭＡはディスク管理情報領域として説明を行う。
【０１１４】
ここでＤＭＡ１〜ＤＭＡ４はそれぞれ光ディスク１における所定の位置に配置される領域である。
【０１１５】
ここでＤＭＡ１〜ＤＭＡ４は全て同じ情報が多重記録されている。これは、ＤＭＡ１〜ＤＭＡ４自身が欠陥に冒されている場合の備えであり、例え正しく再生されないＤＭＡがあってもどれか１つでも正しく再生できるＤＭＡがあれば欠陥管理情報を取得することができるように考えられたためである。
【０１１６】
ＤＭＡ１〜ＤＭＡ４はそれぞれディスク定義構造２０（以下ＤＤＳ２０と呼ぶ）とディスク管理情報２１を備える。
【０１１７】
ディスク管理情報２１は、ユーザデータ領域１４における記録状態に関する管理情報や、欠陥などによる交替処理に関する情報（例えば交替元のアドレスと交替先のアドレス）などを含む情報である。
【０１１８】
ＤＤＳ２０は、光ディスク１の構造を示す情報であり、ディスク定義構造識別子４０や、ディスク管理情報先頭位置情報４１や、スペア領域サイズ情報４２や、論理空間先頭位置情報４３や、論理空間サイズ情報４４や、記録層良否情報４５や、その他の情報４６などの情報を備える。
【０１１９】
ディスク定義構造識別子４０は、この情報がＤＤＳ２０であることを示す識別子情報である。
【０１２０】
ディスク管理情報先頭位置情報４１は、ディスク管理情報２１が配置される先頭の位置情報（＝物理アドレス）である。
【０１２１】
スペア領域サイズ情報４２は、データ領域６に配置されるスペア領域１５のサイズを示す情報である。
【０１２２】
論理空間先頭位置情報４３は、ユーザからアクセス可能な論理空間の先頭位置情報（＝物理アドレス）である。
【０１２３】
論理空間サイズ情報４４は、最終論理アドレス、つまりユーザからアクセス可能な論理空間のサイズを示す情報である。
【０１２４】
記録層良否情報４５は、光ディスク１が備える全ての記録層における使用良否を示す情報であり、実施の形態１で説明した記録層良否情報３０と同じ内容であるため、ここでの説明は省略する。
【０１２５】
このように、本実施の形態２においては、記録層良否情報４５をＤＭＡ内、すなわち記録層上に備える点が、実施の形態１とは違う点である。
【０１２６】
（３）ディスク製造工程
図１０は、本発明の実施の形態１における光ディスク記録再生装置１００の構成図である。
【０１２７】
光ディスク記録再生装置１００は、上位制御装置（図示せず）にＩ／Ｏバス１８０を介して接続されている。上位制御装置は、典型的には、ホストコンピュータである。
【０１２８】
光ディスク記録再生装置１００は、上位制御装置からの命令を処理する命令処理部１１０と、光ディスク１への記録処理を行う記録制御部１２０と、光ディスク１からの再生処理を行う再生制御部１３０と、光ディスクから読み出した管理情報を格納する管理情報格納バッファ１５０と、記録及び再生データを一時的に格納するデータバッファ１６０と、記録層良否情報３０に対する制御処理を行う記録層良否情報制御部１７０とを機能的に備えている。
【０１２９】
なお光ディスク記録再生装置１００は、実施の形態１の場合と同様に、ＢＣＡ読み出し部１４０を備えても良い。
【０１３０】
記録層良否情報制御部１７０は、記録層良否情報判定部１７１と、アドレス変換処理部１７２と、記録層良否情報設定部１７３とを備える。
【０１３１】
記録層良否情報判定部１７１は、再生制御部１３０によって管理情報格納バッファ１５０に読み出された記録層良否情報４５から、使用不可な記録層が存在するか否かを判定する。
【０１３２】
アドレス変換処理部１７２は、記録層良否情報判定部１７１によって判定された結果をもとに、物理アドレス（ＰＢＡ）と論理アドレス（ＬＢＡ）の変換処理などを行う。つまり、記録層良否情報判定部１７１によって使用不可と判定された層に対して論理アドレスは割り当てず、使用可と判定された層に対してのみ論理アドレスの割り当てを行う。アドレス変換処理部１７２の動作内容については実施の形態１で説明したものと同様であり、ここでの説明は省略する。
【０１３３】
記録層良否情報設定部１７３は、上位制御装置から指定された内容を基に、記録層良否情報４５として記録する情報を作り出す。
【０１３４】
なお、上記の構成において、再生制御部１３０は本発明の読み出し手段に相当する。他の各部と本発明の各手段との対応は、実施の形態１と同様である。
【０１３５】
本実施の形態２における光ディスク１の製造工程は、図４を用いて実施の形態１で説明したものと、ステップ５０１から５０３は同じ手順である。ここでは、実施の形態１と違う、本発明の情報記録媒体の記録方法又は製造方法における使用性能情報を所定箇所に記述するステップまたは記録するステップであるステップ５０４の動作内容のみを記し、ステップ５０１からステップ５０３についての説明は省略する。
【０１３６】
ステップ５０４：記録層良否情報４５を光ディスク１へ記録する。ここでは記録層良否情報４５を含む情報を各記録層のＤＭＡ１からＤＭＡ４に対して記録する。このとき記録する記録層良否情報４５は、ステップ５０３における各記録層の記録特性検査結果を反映し、各記録層の使用良否の程度（使用不可か、追記のみ可能か、繰り返し記録可能か、等）を、ビット値にて示したデータを記録層良否情報４５として記録する。
【０１３７】
以下、ステップ５０４の処理の一例を示す。
【０１３８】
ＤＭＡ１からＤＭＡ４への記録処理の一例として、物理フォーマットと呼ばれる処理がある。物理フォーマットとは主にデータ領域６の構造（ユーザデータ領域１４とスペア領域１５の配置など）を決定するための処理であり、ＤＭＡ１からＤＭＡ４に対してＤＤＳ２０およびディスク管理情報２１を記録する。ここでＤＤＳ２０およびディスク管理情報２１に相当する情報は、例えば管理情報格納バッファ１５０に格納されている。
【０１３９】
物理フォーマットは、Ｍｕｌｔｉｍｅｄｉａ  Ｃｏｍｍａｎｄ（ＭＭＣ）規格やＳＦＦ（Ｓｍａｌｌ  Ｆｏｒｍ  Ｆａｃｔｏｒ）と呼ばれるハードディスクや光ディスクドライブなどのストレージデバイスの業界団体で規定されたＳＦＦ８０９０規格（Ｍｔ．Ｆｕｊｉ規格とも呼ばれる）において規定されているパケットコマンドにおける“Ｆｏｒｍａｔ  Ｕｎｉｔ”コマンド（以下、Ｆｏｒｍａｔコマンドと呼ぶ）によって、例えばホストコンピュータのような上位制御装置（図示せず）から指示される。
【０１４０】
ここで、Ｆｏｒｍａｔコマンドについて簡単に説明する。
【０１４１】
図１１は、Ｆｏｒｍａｔコマンドのコマンドデータ構造を示す図である。パケットコマンドとは１２バイト（ＡＴＡＰＩの場合）のＣＤＢと呼ばれるデータ列のことであり、Ｆｏｒｍａｔコマンドは図に記されたような情報を持つデータ列である。上位制御装置はこのＣＤＢを対象のデバイス（ここでは光ディスク記録再生装置１００）に対してＩ／Ｏバス１８０を介して送信（データ転送）することでＦｏｒｍａｔ処理を行うようデバイスに対して命令する。Ｆｏｒｍａｔコマンドで実現される処理の内容としては数種類が存在し、どの種類の処理を実行するかは、図１２に示したＣＤＢと、さらにパラメータリストと呼ばれる、上位制御装置から送信されるコマンド実行制御用のデータとで指定する。
【０１４２】
以下では、Ｆｏｒｍａｔコマンドを用いてＤＭＡ１からＤＭＡ４へＤＤＳ２０およびディスク管理情報２１を記録する場合を例にとって説明する。
【０１４３】
図１２は、本実施の形態２におけるステップ５０４の詳細な処理手順を示すフロー図である。
【０１４４】
ステップ１３０１：上位制御装置はＦｏｒｍａｔコマンドを光ディスク記録再生装置１００に対して発行し、光ディスク記録再生装置１００は上位制御装置から送信されるＣＤＢの受領、およびパラメータリストの受領を行う。この時上位制御装置からは、設定する良否情報５１に相当する情報が、例えばＣＤＢ中あるいはパラメータリストに含めて送信される。
【０１４５】
ステップ１３０２：Ｆｏｒｍａｔコマンドを受領した光ディスク記録再生装置１００の命令処理部１１０は、記録層良否情報４５を含んだ情報の記録を行うか否か、つまり記録
層良否情報４５を設定するか否かを判定する。
【０１４６】
ここで、記録層良否情報４５を設定するか否かを判定する方法としては、例えば、以下にあげるような方法などが考えられる。
【０１４７】
１）Ｆｏｒｍａｔコマンドに、新たに層使用良否情報設定モードを設け、前記モードが要求された場合には、記録層良否情報４５の設定を行う。
【０１４８】
２）記録を行う光ディスク１のＤＭＡ領域が未記録状態（例えば光ディスク１が、まだ記録の行われていないバージンディスクの場合など）の場合には、記録層良否情報４５の設定を行う。
【０１４９】
３）上記１）と上記２）の組合せのパターン。
【０１５０】
本実施の形態２では、ディスク製造工程においての処理について述べているので、判定方法としては上記３）を用いるものとする。但し、ディスク製造工程においての処理であるため、上記２）の記録対象光ディスク１がバージンディスクであることはあらかじめ保証されているため、実質上記１）のパターンを用いることになる。
【０１５１】
ステップ１３０３：命令処理部１１０が記録層良否情報４５の設定を行うと判定した場合は、記録層良否情報設定部１７３は、設定する良否情報５１に相当する情報に基づいて記録層良否情報４５を算出し、これを管理情報格納バッファ１５０に含まれるＤＤＳ２０に相当する情報に反映する。このとき、イネーブルフラグ５０としては、有効を示す値（ここではＦＦｈ）が設定される。またこのとき、使用可な記録層が決まるので、ＤＤＳ２０に含まれる論理空間先頭位置情報４３および論理空間サイズ情報４４およびスペア領域サイズ情報４２もあわせて算出し設定する。具体的には、例えば図２に示す２層ディスクにおいて図３に示すような記録層良否情報４５が設定された場合、仮想第０記録層は第１記録層５０３となるため、論理空間先頭位置情報４３は第１記録層５０３のユーザデータ領域１４の先頭物理アドレスが、また論理空間サイズ４４は第１記録層５０３のユーザデータ領域１４のサイズ情報が設定され、スペア領域サイズ情報４２には仮想第０記録層のスペア領域１５のサイズが設定されることになる。
【０１５２】
なお実施の形態１の（４）実際の使用例において説明したように、例えば４層ディスクにおいて使用可能な層が複数存在する場合、論理空間の割り当て方法もいろいろ考えられるため、ここで設定される値も、この論理空間の割り当て方法に応じて算出することになる。
【０１５３】
命令処理部１１０が記録層良否情報４５の設定を行わないと判定した場合は、記録層良否情報設定部１７３は、記録層良否情報４５としてデフォルトの値（例えば全て０）を管理情報格納バッファ１５０に含まれるＤＤＳ２０に相当する情報に反映して、ステップ１３０４へ移行する。
【０１５４】
ステップ１３０４：命令処理部１１０は記録制御部１２０に対して、管理情報格納バッファ１５０に含まれるＤＤＳ２０およびディスク管理情報２１の記録を要求し、記録制御部１２０は各記録層のＤＭＡ１からＤＭＡ４にＤＤＳ２０およびディスク管理情報２１の記録を行う。
【０１５５】
ここで、ステップ５０３における記録層記録特性検査では正常で使用可と判定された記録層のＤＭＡ１からＤＭＡ４への記録に失敗するような場合も非常に確率は低いが発生し得る。このような場合は、このディスクは使用できないディスクと判定して破棄し、商品として出荷しないようにする。あるいは、全ての記録層への記録が完了した時点で記録結果が記録層良否情報４５と食い違っていた場合には、再度記録層良否情報４５を算出し直
して、再度各記録層のＤＭＡ１からＤＭＡ４へＤＤＳ２０の記録を行っても良い。
【０１５６】
以上の手順で、ステップ５０４の処理、つまり記録層良否情報４５の光ディスク１への記録処理が完了する。
【０１５７】
以上のように、本実施の形態２における光ディスク１は、製造工程時に既に物理Ｆｏｒｍａｔされた状態で出荷されることになる。
【０１５８】
なおディスク製造工程において設定された記録層良否情報４５は、以降このディスクがユーザの手によって物理Ｆｏｒｍａｔをされても変えることが出来ない情報として制限を加えることが望ましい。
【０１５９】
なお本実施の形態２では、各記録層のＤＭＡ１からＤＭＡ４の全てに対して、ＤＤＳ２０とディスク管理情報２１を記録するように説明を行ったが、必ずしも全ての記録層のＤＭＡ１からＤＭＡ４全てに記録を行わなくても良い。具体的には、正常に記録が出来る少なくとも１つの記録層（例えば仮想第０記録層とした記録層）におけるＤＭＡ１からＤＭＡ４に対して記録を行うことが出来れば良く、その他の記録層では、ある特定のＤＭＡ（例えばＤＭＡ１）のみ記録する等といった方法でも、同様の効果を得ることが出来る。
【０１６０】
なお本実施の形態２では、ＦｏｒｍａｔコマンドのＣＤＢまたはパラメータリストに設定する記録層良否情報４５に相当する情報を含める場合を例に挙げたが、例えばＦｏｒｍａｔコマンド処理の前に前もって光ディスク記録再生装置１００に備えられる管理情報格納バッファ１５０に格納しておいたり、あるいはＥＥＰＲＯＭのような不揮発性メモリ（図示せず）にしておき、この情報を用いて処理を行うことも可能である。
【０１６１】
なお本実施の形態２では、Ｆｏｒｍａｔコマンドを用いてＤＭＡ１からＤＭＡ４へ記録層良否情報４５を含むＤＤＳ２０の記録を行う例を示したが、必ずしもＦｏｒｍａｔコマンドを用いずとも、例えば記録層良否情報４５登録用の新規コマンドを構築して、それを用いて行っても良い。
【０１６２】
（４）ディスク読み出し処理
図１３は、光ディスク記録再生装置１００による本実施の形態２の光ディスク１に対するディスク読み込み（起動）処理手順を示すフロー図である。
【０１６３】
ステップ１４０１：再生制御部１３０は、指定された記録層におけるＤＭＡ領域（ＤＭＡ１からＤＭＡ４）からＤＤＳ２０およびディスク管理情報２１の読み出しを行う。なお、最初に読み出しを行う記録層を、ここでは第０記録層とする。
【０１６４】
ステップ１４０２：再生制御部１３０は、ステップ１４０１においてデータが正しく読み出せたか否かの判定を行う。
【０１６５】
読み出せた場合にはＤＤＳ２０およびディスク管理情報２１を管理情報格納バッファ１５０に格納するとともに、ＤＤＳ２０中の記録層良否情報４５を使用良否情報８０としてメモリ（ここでは管理情報格納バッファ１５０と共用しているものとする）に格納する。この際、あわせて論理空間先頭位置情報４３および論理空間サイズ情報４４をメモリに格納しても良い。
【０１６６】
正しく読み出せなかった場合には、ステップ１４０６へ移行する。
【０１６７】
ステップ１４０３：記録層良否情報判定部１７１は、読み出したＤＤＳ２０の内容が正
しいか否かを判定する。具体的には、記録層良否情報判定部１７１は、読み出したＤＤＳ２０中の記録層良否情報４５と、メモリ（ここでは管理情報格納バッファ１５０と共用しているものとする）に保持している使用良否情報８０とを比較する。なお本実施の形態では、あわせて論理空間先頭位置情報４３および論理空間サイズ情報４４を論理空間情報８１としてメモリに格納し、これらの情報を使用良否情報８０同様、ＤＤＳ２０の内容が正しいか否かの判定に用いるものとするが、これらの情報を用いた判定は必ずしも行わなくとも、同様の効果を得ることが出来る。ここで、最初の層の読み出し時には、使用良否情報８０、論理空間情報８１にはまだ何も格納されていない状態であるため、ステップ１４０１において読み出したＤＤＳ２０に含まれる記録層良否情報４５を使用良否情報８０として、論理空間先頭位置情報４３および論理空間サイズ情報４４を論理空間情報８１として、メモリ、つまり管理情報格納バッファ１５０に格納する。
【０１６８】
ステップ１４０４：ステップ１４０３でのＤＤＳ２０の内容確認の結果、記録層良否情報判定部１７１はＤＤＳ２０が正常であるか否かを判定する。具体的には、読み出したＤＤＳ２０中の記録層良否情報４５および論理空間先頭位置情報４３、論理空間サイズ情報４４と、管理情報格納バッファ１５０中の使用良否情報８０および論理空間情報８１とが一致するか否かを確認し、一致していればＤＤＳ２０は正しい情報であると、また一致しなければＤＤＳ２０は誤った情報であると判定する。
【０１６９】
ステップ１４０５：ステップ１４０４の結果、未記録状態で読み出しに失敗した場合、またはＤＤＳ２０が誤った情報であると判定されたような場合は、読み出し処理を終了し、光ディスク１は異常なディスクである判定する。異常なディスクであると判定された場合は、再度上記で示した物理Ｆｏｒｍａｔ処理を行う、または記録層良否情報４５は無かったものとして無視して使う、或いはこのディスクは使えないディスクであると判定する等といった異常処理を行う。
【０１７０】
ステップ１４０６：ステップ１４０４の結果、ＤＤＳ２０が正しい情報であると判定された場合は、再生制御部１３０は、全ての記録層におけるＤＭＡ領域の読み出しが完了したか否かを判定する。
【０１７１】
ステップ１４０７：ステップ１４０６の結果、全ての記録層におけるＤＭＡ領域の読み出しはまだ未完了状態であると判定された場合には、再生制御部１３０は次の記録層におけるＤＭＡの読み出し処理を行うため、対象の記録層として次の記録層を設定してステップ１４０１へ戻る。例えば、第０記録層を最初に判定する記録層として、第１記録層、第２記録層、第３記録層の順番になるように次の記録層を設定する。
【０１７２】
ステップ１４０８：ステップ１４０６の結果、全ての記録層におけるＤＭＡ領域の読み出しが完了したと判定された場合には、記録層良否情報判定部１７１は、このディスクは正常なディスクであり、管理情報格納バッファ１５０（メモリ）中に格納している使用良否情報８０に表された通りの記録層が使用可／不可であり、論理空間情報８１に表された通りの論理空間を持ったディスクであるとして扱う。ここで、全ての記録層からの読み出しに失敗した場合には、論理空間情報は得られず、この光ディスク１は扱うことが出来ないディスクとして判断される。
【０１７３】
以上で、本実施の形態２における光ディスク１に対するディスク読み込み（起動）処理は完了する。
【０１７４】
なお、上記の各ステップにおいて、ステップ１４０１は本発明の情報記録媒体の使用準備方法における（ａ）使用性能情報を読み出すステップに相当し、ステップ１４０２〜１４０７は、本発明の情報記録媒体の使用準備方法における（ｂ）使用性能が少なくとも非でないかどうかを判別するステップに相当し、ステップ１４０８は、本発明の情報記録媒体の使用準備方法における（ｃ）論理アドレスを割り当てるステップに相当する。
【０１７５】
なお、ここでは、全ての記録層におけるＤＭＡ領域からＤＤＳ２０を読み出し、それらの情報が全て一致して初めて正常な光ディスク１として判定するとして説明したが、例えば１つの記録層からＤＤＳ２０が正しく読み出せれば、その時点でこの光ディスク１は正常であり、このＤＤＳ２０を正しい情報であるとして扱っても、ここで説明したのと同様の効果を得ることが出来る。
【０１７６】
また、ここでは、ＤＭＡ１からＤＭＡ４の全てのＤＭＡ領域からＤＤＳ２０およびディスク管理情報２１の読み出しを行うとして説明したが、必ずしもディスク管理情報２１の読み出しは行わなくとも良い。また、必ずしも全ての記録層において４つ全てのＤＭＡ領域の読み出しを行わなくとも良く、例えば所定のＤＭＡ領域のみを読み出すとしても、ここで説明したのと同様の効果を得ることが出来る。
【０１７７】
なおステップ１４０４においてＤＤＳ２０が正常である／誤った情報であると判定された記録層の情報を例えば管理情報格納バッファ１５０に保持しておき、これと使用良否情報８０との比較を行っても良い。つまり使用良否情報８０において使用可であると指定されている記録層からの読み出しに成功したかどうか、また使用不可であると指定されている記録層からの読み出しに失敗したかどうかの確認を行っても良い。但し、一般的に使用不可とされた記録層からのデータの読出しには成功する可能性もあるため、使用可と指定された記録層からの読み出しに成功したか否かの確認を行うことで、データの信頼性を高めることが可能となる。
【０１７８】
なお、本実施の形態２では、どの記録層のＤＭＡに正常に記録されているか分からない場合を例として説明を行ったが、例えば基準記録層を設けておいても良い。つまり、例えば４層ディスクの場合、例えば第０記録層を基準記録層として決めておき、第０記録層は必ず正常に記録が出来る（記録特性も商品レベルとして十分な）ものとして扱う。そして第０記録層のＤＭＡ記録に失敗したディスクは不良ディスクとして商品として出荷しないようにしても良い。こうすれば、基準記録層である第０記録層のＤＭＡ領域には必ず記録層良否情報４５を含むＤＤＳ２０が正しく記録されていることになるため、このディスクを使用する場合、光ディスク記録再生装置１００は第０記録層のＤＭＡ領域からＤＤＳ２０等を読み出して記録層良否情報４５を取得し、この情報に基づいて以降の処理を行っても、ここで説明したのと同様の効果を得ることが出来る。
【０１７９】
なお、本実施の形態２では、記録層良否情報４５で使用不可として設定された記録層を全く使用できないものとして説明を行ってきたが、ユーザの意志において、使用不可な記録層を使用できるようにする手段、つまり記録層良否情報４５を無視するような手段を備えるのも一つの方法である。
【０１８０】
また、本実施の形態２では、記録層良否情報４５をＤＤＳ２０に備えるものとして説明を行ったが、例えばディスク管理情報２１などに備えていても良く、この場合もここで説明したものと同様の効果を得ることが出来る。
【０１８１】
また、本実施の形態１および実施の形態２では、ＢＣＡ４またはＤＤＳ２０などの使用されていない領域（０が設定されるＲｅｓｅｒｖｅｄの領域）に存在しなかった情報を備えるというものであり、例えば記録層良否情報を０として設定（つまりイネーブルフラグ５０が０であるため、記良否情報５１は無効）されたディスクは従来のディスクと同様のものとして扱うことが出来るため、従来装置でも問題なく動作する。また記録層良否情報に０でない値が設定されたディスクに対しても、その情報はもともと使用されていないため、従来装置が誤動作をする可能性は極めて低く、従来装置での動作も保証できるため、ユーザに与えるデメリットはほぼ無いものと言える。
【０１８２】
（実施の形態３）
（１）光ディスク構成
本実施の形態３における光ディスクの構成は、実施の形態１で説明したものと同じであるため、ここでの説明は省略する。
【０１８３】
（２）データ構造
図１４は、本発明の実施の形態３における光ディスク１の、ある記録層のデータ構成図である。実施の形態３の光ディスク１は、ディスク定義構造（以下ＤＤＳと呼ぶ）２０およびディスク管理情報２１の内容を除いて、実施の形態２の光ディスク１と同じであるため、同じ部分についての説明は省略する。
【０１８４】
ＤＤＳ２０は、光ディスク１の構造を示す情報であり、少なくともディスク管理情報２１が配置される先頭の位置情報（＝物理アドレス）であるディスク管理情報先頭位置情報４１と、その他の情報４６などの情報を備える。なおここでＤＤＳ２０は、図９を用いて説明した本発明の実施の形態２におけるＤＤＳ２０と同様に、ディスク定義構造識別子４０のような情報を備えていても良いが、記録層良否情報４５は備えない。
【０１８５】
ディスク管理情報２１は、本実施の形態３では欠陥管理情報、つまり欠陥リスト（以下ＤＦＬと呼ぶ）であり、欠陥リストヘッダ４７と、少なくとも０以上の欠陥エントリ４８などの情報を備える。
【０１８６】
欠陥リストヘッダ４７は、ＤＦＬに含まれる欠陥エントリ４８の個数を示す情報や更新回数情報などを含む情報のことであり、ＤＦＬの先頭位置に配置される情報である。図１５の場合はＭ個（Ｍは１以上の正数）の欠陥エントリ４８が存在することから、個数を示す情報もＭを指す。
【０１８７】
図１５は、欠陥エントリに関する説明図である。
【０１８８】
図１５（Ａ）は、欠陥エントリ４８の構造を示す説明図である。欠陥エントリ４８は、欠陥属性情報７０と欠陥位置情報７１と欠陥サブ情報７２とを備える。
【０１８９】
欠陥位置情報７１は、データ領域６における欠陥ブロックの先頭位置情報（先頭物理アドレス）のことである。
【０１９０】
欠陥サブ情報７２は、欠陥属性情報７０の種類によって違う内容を示す情報であり、詳細は後述する。
【０１９１】
図１５（Ｂ）は、欠陥属性情報７０の種類について整理した表であり、ＢＤ−ＲＥを例に取ったものである。ＢＤ−ＲＥの場合、欠陥の種類としては、交替領域が割り当てられた欠陥であるＲＡＤ、交替領域が割り当てられていない欠陥であるＮＲＤ、欠陥の可能性がある領域の情報であるＰＢＡなどが存在する。欠陥サブ情報７２は、例えば、欠陥属性情報７０がＲＡＤの場合にはスペア領域１５内の交替先ブロックの先頭位置情報を示し、ＮＲＤの場合には何も情報を備えず（＝０）、ＰＢＡの場合には欠陥位置情報７１を先頭として、欠陥の可能性のある連続した領域のサイズ情報を示す。
【０１９２】
本実施の形態３ではさらに、欠陥属性情報７０としてＣＢＡと呼ばれる欠陥属性を備える。この欠陥属性は、例えばディスク製造時において、正規用途での使用に問題があることが確実に分かっている領域に関する情報であり、例えば実施の形態１の（１）ディスク製造工程のステップ５０３により得られる情報である。
【０１９３】
欠陥サブ情報７２は欠陥領域のサイズ情報を示す。より具体的には、例えば図３に示す２層ディスクにおいて、第０記録層５０２が使用不可な層であるような場合に、その記録層の先頭物理アドレスが欠陥位置情報７１に、その記録層のデータ領域６のサイズが欠陥サブ情報７２として設定される。
【０１９４】
このように、本実施の形態３は、正規の用途にて使用不可な記録層が存在した場合、それを欠陥として登録するという方法である。但し、層全部のブロック３をＤＦＬに欠陥として登録するのは物理的に不可能であるため、新たな欠陥属性を設け、その属性で欠陥登録する。なお、ここで正規の用途にて使用不可、とは、（１）正規の用途が繰り返し記録可能なディスクの場合、記録不可、または追記のみ可、を意味し、（２）正規の用途が追記のみ可能なディスクの場合、記録不可を意味するものとする。すなわち、欠陥属性情報７０は、実施の形態２の記録層良否情報４５と同一の内容を有する、本発明の使用性能情報の一例である。
【０１９５】
なお、記録特性ＮＧで使用不可な記録層が複数存在する場合、ＤＦＬにおけるＣＢＡ属性の欠陥エントリ４８も、ＮＧな記録層の数と同じだけ存在する。
【０１９６】
（３）ディスク製造工程
本実施の形態３における光ディスク記録再生装置１００の構成は、記録層良否情報制御部１７０の動作内容を除いて上述の実施の形態２において図１０を用いて説明したものと同等であるため、詳細な説明は省略する。
【０１９７】
記録層良否情報制御部１７０に含まれる記録層良否情報判定部１７１は、ディスク管理情報２１に含まれる欠陥エントリ４８から欠陥属性がＣＢＡのエントリが存在するか否かを識別することで、使用不可な記録層が存在するか否かを判定する点が、実施の形態２の場合と異なる。
【０１９８】
またアドレス変換処理部１７２は、記録層良否情報判定部１７１によって判定された結果をもとに、物理アドレス（ＰＢＡ）と論理アドレス（ＬＢＡ）の変換処理などを行う。つまり、記録層良否情報判定部１７１によって使用不可と判定された層に対して論理アドレスは割り当てず、使用可と判定された層に対してのみ論理アドレスの割り当てを行う。
【０１９９】
記録層良否情報設定部１７３は、上位制御装置から指定された内容を基に、欠陥エントリ４８にＣＢＡ属性のエントリとして記録する情報を作り出す点が、実施の形態２の場合と違う。
【０２００】
本実施の形態３における光ディスク１の製造工程は、図４を用いて実施の形態１で説明したものと、ステップ５０１から５０３は同じ手順である。ここでは、実施の形態１と違うステップ５０４の動作内容のみを記し、ステップ５０１からステップ５０３についての説明は省略する。
【０２０１】
ステップ５０４：ＤＤＳ２０およびディスク管理情報２１を光ディスク１へ記録する。ここではＤＦＬを含むディスク管理情報２１を各記録層のＤＭＡ１からＤＭＡ４に対して記録する。このとき記録するＤＦＬは、ステップ５０３における各記録層の記録特性検査結果を反映し、正規の用途に応じた記録特性がＮＧな層が存在する場合、その層の先頭物理アドレスを欠陥位置情報７１、その層のデータ領域６のサイズを欠陥サブ情報７２とし、さらに欠陥属性情報７０をＣＢＡとした欠陥エントリ４８を含むＤＦＬを備えるディスク管理情報２１を記録する。
【０２０２】
以下、ステップ５０４の処理の一例を示す。
【０２０３】
ＤＭＡ１からＤＭＡ４への記録処理の一例として、物理フォーマットと呼ばれる処理がある。物理フォーマットとは主にデータ領域６の構造（ユーザデータ領域１４とスペア領域１５の配置など）を決定するための処理であり、ＤＭＡ１からＤＭＡ４に対してＤＤＳ２０およびディスク管理情報２１を記録する。ここでＤＤＳ２０およびディスク管理情報２１に相当する情報は、例えば管理情報格納バッファ１５０に格納されている。
【０２０４】
物理フォーマットは、ＳＦＦ（Ｓｍａｌｌ  Ｆｏｒｍ  Ｆａｃｔｏｒ）と呼ばれるハードディスクや光ディスクドライブなどのストレージデバイスの業界団体で規定されたＳＦＦ８０９０規格（Ｍｔ．Ｆｕｊｉ規格とも呼ばれる）において規定されているパケットコマンドにおける“Ｆｏｒｍａｔ  Ｕｎｉｔ”コマンド（以下、Ｆｏｒｍａｔコマンドと呼
ぶ）によって、例えばホストコンピュータのような上位制御装置（図示せず）から指示される。
【０２０５】
Ｆｏｒｍａｔコマンドについては、上述の実施の形態２で説明したものと同等であるため、ここでの説明は省略する。
【０２０６】
以下では、Ｆｏｒｍａｔコマンドを用いてＤＭＡ１からＤＭＡ４へＤＤＳ２０およびディスク管理情報２１を記録する場合を例にとって説明する。
【０２０７】
ステップ５０４の詳細な処理手順は、上述の実施の形態２において図１２を用いて説明した処理手順と同様である。
【０２０８】
ステップ１３０１：上位制御装置はＦｏｒｍａｔコマンドを光ディスク記録再生装置１００に対して発行し、光ディスク記録再生装置１００は上位制御装置から送信されるＣＤＢの受領、およびパラメータリストの受領を行う。この時上位制御装置からは、記録特性ＮＧな記録層に相当する情報が、例えばＣＤＢ中あるいはパラメータリストに含めて送信される。
【０２０９】
ステップ１３０２：Ｆｏｒｍａｔコマンドを受領した光ディスク記録再生装置１００の命令処理部１１０は、ＤＦＬ中にＣＢＡ属性の欠陥エントリ４８を設定することが可能か否かを判定する。ここで、ＣＢＡ属性の欠陥エントリ４８を設定することが可能か否かを判定する方法としては、例えば、以下にあげるような方法などが考えられる。
【０２１０】
１）Ｆｏｒｍａｔコマンドに、新たに層使用良否情報設定モードを設け、前記モードが要求された場合には、ＣＢＡ属性の欠陥エントリ４８の設定を行う。
【０２１１】
２）記録を行う光ディスク１のＤＭＡ領域が未記録状態（例えば光ディスク１が、まだ記録の行われていないバージンディスクの場合など）の場合には、ＣＢＡ属性の欠陥エントリ４８の設定を行う。
【０２１２】
３）上記１）と上記２）の組合せのパターン。
【０２１３】
本実施の形態３では、ディスク製造工程においての処理について述べているので、判定方法としては上記３）を用いるものとする。但し、ディスク製造工程においての処理であるため、上記２）の記録対象光ディスク１がバージンディスクであることはあらかじめ保証されているため、実質的に上記１）のパターンを用いることになる。
【０２１４】
ステップ１３０３：命令処理部１１０がＣＢＡ属性の欠陥エントリ４８の設定を行うと判定した場合は、正規の用途に応じた記録特性がＮＧとして指定された記録層の先頭物理アドレスとデータ領域６のサイズを用いて設定するＣＢＡ属性の欠陥エントリ４８を算出し、記録層良否情報設定部１７３は、これを管理情報格納バッファ１５０に含まれるディスク管理情報２１、つまりＤＦＬに相当する情報に反映する。このとき、正規の用途で使用可な記録層が決まるので、論理空間の位置やサイズなどについても決まることになる。
【０２１５】
なお実施の形態１の（４）実際の使用例において説明したように、例えば４層ディスクにおいて使用可能な層が複数存在する場合、論理空間の割り当て方法もいろいろ考えられるため、ここで設定される値も、この論理空間の割り当て方法に応じて算出することになる。
【０２１６】
命令処理部１１０がＣＢＡ属性の欠陥エントリ４８の設定を行わないと判定した場合は、記録層良否情報設定部１７３は、欠陥エントリ４８のデフォルトの値（例えば全て０）を管理情報格納バッファ１５０に含まれるディスク管理情報２１に相当する情報に反映して、ステップ１３０４へ移行する。
【０２１７】
ステップ１３０４：最後に命令処理部１１０は記録制御部１２０に対して、管理情報格納バッファ１５０に含まれるＤＤＳ２０およびディスク管理情報２１の記録を要求し、記録制御部１２０は各記録層のＤＭＡ１からＤＭＡ４にＤＤＳ２０およびディスク管理情報２１の記録を行う。
【０２１８】
ここで、ステップ５０３における記録層記録特性検査では、使用可と判定された記録層のＤＭＡ１からＤＭＡ４への記録に失敗するような場合も非常に確率は低いが発生し得る。このような場合は、このディスクは完全に使用できないディスクと判定して破棄し、商品として出荷しないようにする。あるいは、全ての記録層への記録が完了した時点で、正規の用途の記録特性ＯＫ／ＮＧとして指定された内容と食い違っていた場合には、再度ＣＢＡ属性の欠陥エントリ４８を算出し直して、再度各記録層のＤＭＡ１からＤＭＡ４へディスク管理情報２１の記録を行っても良い。
【０２１９】
以上の手順で、ステップ５０４の処理、つまりディスク管理情報２１の光ディスク１への記録処理が完了する。
【０２２０】
以上のように、本実施の形態３における光ディスク１は、製造工程時に既に物理Ｆｏｒｍａｔされた状態で出荷されることになる。
【０２２１】
なお、ディスク製造工程において設定されたＣＢＡ属性の欠陥エントリ４８は、以降このディスクがユーザの手によって物理Ｆｏｒｍａｔをされても変えることが出来ない情報として制限を加えることが望ましい。
【０２２２】
また、本実施の形態３では、各記録層のＤＭＡ１からＤＭＡ４の全てに対して、ＤＤＳ２０とディスク管理情報２１を記録するように説明を行ったが、必ずしも全ての記録層のＤＭＡ１からＤＭＡ４全てに記録を行わなくても良い。具体的には、正常に記録が出来る少なくとも１つの記録層（例えば仮想第０記録層とした記録層）におけるＤＭＡ１からＤＭＡ４に対して記録を行うことが出来れば良く、その他の記録層では、ある特定のＤＭＡ（例えばＤＭＡ１）のみ記録する等といった方法でも、同様の効果を得ることが出来る。
【０２２３】
また、本実施の形態３では、ＦｏｒｍａｔコマンドのＣＤＢまたはパラメータリストに設定するＣＢＡ属性の欠陥エントリ４８に相当する情報を含める場合を例に挙げたが、例えばＦｏｒｍａｔコマンド処理の前に前もって光ディスク記録再生装置１００に備えられる管理情報格納バッファ１５０に格納しておいたり、あるいはＥＥＰＲＯＭのような不揮発性メモリ（図示せず）にしておき、この情報を用いて処理を行うことも可能である。
【０２２４】
また、本実施の形態３では、Ｆｏｒｍａｔコマンドを用いてＤＭＡ１からＤＭＡ４へ記録層良否情報４５を含むＤＤＳ２０の記録を行う例を示したが、必ずしもＦｏｒｍａｔコマンドを用いずとも、例えばＣＢＡ属性の欠陥エントリ４８登録用の新規コマンドを構築して、それを用いて行っても良い。
【０２２５】
（４）ディスク読み出し処理
図１７は、光ディスク記録再生装置１００による本実施の形態３の光ディスク１に対するディスク読み込み（起動）処理手順を示すフロー図である。
【０２２６】
ステップ１７０１：再生制御部１３０は、指定された記録層におけるＤＭＡ領域（ＤＭＡ１からＤＭＡ４）からＤＤＳ２０およびディスク管理情報２１の読み出しを行う。なお、最初に読み出しを行う記録層を、ここでは第０記録層とする。
【０２２７】
また、ステップ１７０２：再生制御部１３０は、ステップ１７０１においてデータが正しく読み出せたか否かの判定を行う。
【０２２８】
読み出せた場合にはＤＤＳ２０およびディスク管理情報２１を管理情報格納バッファ１５０に格納してステップ１７０６へ移行する。
【０２２９】
正しく読み出せなかった場合には、ステップ１７０３へ移行する。
【０２３０】
ステップ１７０３：再生制御部１３０は、全ての記録層におけるＤＭＡ領域の読み出しが完了したか否かを判定する。
【０２３１】
ステップ１７０４：ステップ１７０３の結果、全ての記録層におけるＤＭＡ領域の読み出しはまだ未完了状態であると判定された場合には、再生制御部１３０は次の記録層におけるＤＭＡの読み出し処理を行うため、対象の記録層として次の記録層を設定してステップ１７０１へ戻る。例えば、第０記録層を最初に判定する記録層として、第１記録層、第２記録層、第３記録層の順番になるように次の記録層を設定する。
【０２３２】
ステップ１７０５：ステップ１７０３の結果、全ての記録層におけるＤＭＡ領域の読み出しは完了したと判定された場合には、再生制御部１３０は、この光ディスク１は扱うことの出来ない状態（例えば物理Ｆｏｒｍａｔが未実施状態）にある異常な光ディスク１と判定され、読み出し処理を完了する。
【０２３３】
ステップ１７０６：記録層良否情報判定部１７１は管理情報格納バッファ１５０に読み出したディスク管理情報２１、つまりＤＦＬから欠陥エントリ４８を取得し、その中にＣＢＡ属性の欠陥エントリ４８が存在するか否かを判定する。
【０２３４】
ステップ１７０７：ステップ１７０６の結果から、アドレス変換処理部１７２は論理空間情報を算出する。具体的には、ステップ１７０６においてＣＢＡ属性の欠陥エントリが存在しないと判定された場合は、全ての記録層は使用可能であると判断して、第０記録層におけるユーザデータ領域１４の先頭を論理空間の先頭位置と、また全ての記録層におけるユーザデータ領域１４のサイズを足し合わせたサイズが論理空間サイズであるとして算出する。ＣＢＡ属性の欠陥エントリ４８が存在すると判定された場合には、ＣＢＡ属性の欠陥エントリ４８として設定された記録層を除いた形で、論理空間の算出を行う。なお論理空間の算出方法は、上述の実施の形態１で説明したようにいろいろな方法があるため、その方法に合致した形で算出を行う。
【０２３５】
以上で、本実施の形態３における光ディスク１に対するディスク読み込み（起動）処理は完了する。
【０２３６】
なお、上記の各ステップにおいて、ステップ１７０１は本発明の情報記録媒体の使用準備方法における（ａ）使用性能情報を読み出すステップに相当し、ステップ１７０２〜１７０６は、本発明の情報記録媒体の使用準備方法における（ｂ）使用性能が少なくとも非でないかどうかを判別するステップに相当し、ステップ１７０７は、本発明の情報記録媒体の使用準備方法における（ｃ）論理アドレスを割り当てるステップに相当する。
【０２３７】
なお、ここでは、上述の実施の形態２で説明したのと同様に、全ての記録層におけるＤＭＡ領域からＤＤＳ２０を読み出し、それらの情報が全て一致して初めて正常な光ディスク１として判定するとして説明しても良く、この場合でもここで説明したのと同様の効果を得ることが出来る。
【０２３８】
また、ここでは、ＤＭＡ１からＤＭＡ４の全てのＤＭＡ領域からＤＤＳ２０およびディスク管理情報２１の読み出しを行うとして説明したが、必ずしもディスク管理情報２１の読み出しは行わなくとも良い。また、必ずしも全ての記録層において４つ全てのＤＭＡ領域の読み出しを行わなくとも良く、例えば所定のＤＭＡ領域のみを読み出すとしても、ここで説明したのと同様の効果を得ることが出来る。
【０２３９】
また、ステップ１７０２において読み出しが成功／失敗と判定された記録層の情報を例えば管理情報格納バッファ１５０に保持しておき、これと欠陥エントリ４８としてＣＢＡ属性の欠陥エントリ４８が存在するか否かとの比較を行っても良い。すなわちＣＢＡ属性の欠陥エントリ４８が存在しない場合には全ての記録層での読み出しは成功するはずであり、またＣＢＡ属性の欠陥エントリ４８が存在する場合には、その欠陥エントリ４８で指定された記録層からのデータの読み出しは失敗するはずであるという前提を用いて、これらの比較を行っても良い。但し、一般的に使用不可とされた記録層からのデータの読出しには成功する可能性もあるため、使用可と指定された記録層からの読み出しに成功したか否かの確認を行うことで、データの信頼性を高めることが可能となる。
【０２４０】
また、本実施の形態３では、どの記録層のＤＭＡに正常に記録されているか分からない場合を例として説明を行ったが、例えば基準記録層を設けておいても良い。つまり、例えば４層ディスクの場合、例えば第０記録層を基準記録層として決めておき、第０記録層は必ず正常に記録が出来る（記録特性も商品レベルとして十分な）ものとして扱う。そして第０記録層のＤＭＡ記録に失敗したディスクは不良ディスクとして商品として出荷しないようにしても良い。こうすれば、基準記録層である第０記録層のＤＭＡ領域には必ずＤＤＳ２０およびディスク管理情報２１が正しく記録されていることになるため、このディスクを使用する場合、光ディスク記録再生装置１００は第０記録層のＤＭＡ領域からディスク管理情報２１等を読み出して欠陥エントリ４８を取得し、この情報に基づいて以降の処理を行っても、ここで説明したのと同様の効果を得ることが出来る。
【０２４１】
また、本実施の形態３では、ＣＢＡ属性の欠陥エントリ４８として登録された記録層を全く使用できないものとして説明を行ってきたが、ユーザの意志において、使用不可な記録層を使用できるようにする手段、つまりＣＢＡ属性の欠陥エントリ４８を無視するような手段を備えるのも一つの方法である。
【０２４２】
また、本実施の形態３では、完全に使用不能な層を欠陥として登録する方法について説明したが、この場合、仮想的に記録層が少ないディスクとして扱うという実施の形態１や実施の形態２の場合と違って、記録層としては存在する全ての記録層がそのまま存在しているように見せることになる点が違っている。
【０２４３】
また、本実施の形態１から３において記録再生性能・アクセス性能を高めるため、例えば出荷時等に、使用不可な記録層に対して何らかのデータを記録して未記録状態から記録済み状態としても良い。
【０２４４】
また、本実施の形態１において、記録層良否情報は、図１８に示すように、円環形状の記録層５０２，５０３が設けられる側より光ディスク１の内周側に設けられるＢＣＡに記述されていたが、本発明の使用性能情報は、各記録層への情報の記録又は再生に影響を与えないように記録層のなす円環より内周側であればＢＣＡに限定されない。それより更に内周側のディスク基板層に別途直接記述してもよい。また記録層の円環より外周側に直接記述してもよい。
【０２４５】
また、本実施の形態２，３において、記録層良否情報は、図９，図１４に示すように、記録層上の、データ領域６を挟み込む内周領域５，または外周領域７のＤＭＡ内に記述されていたが、本発明の使用性能情報は、各記録層への情報の記録又は再生に影響を与えないようであれば、スペア領域１５等、記録層上の他の領域の任意の箇所を用いるようにしてもよい。
【０２４６】
また、実施の形態１〜３においては、記録層良否情報は、光ディスク記録再生装置１００にて光学的に読み出し可能な情報として説明を行ったが、本発明の使用性能情報は、これに限定されるものではなく、光ディスク１基板の所定箇所にＩＣタグ等の形式で埋め込んでおき、外部から磁気的に読み取り可能な情報であるとしてもよい。
【０２４７】
また、実施の形態１〜３では、本発明の記録部は積層された複数の記録層であるとしたが、各記録部が同一面内に同心円状にそれぞれ設けられた構成であるとしてもよい。
【０２４８】
また、実施の形態１〜３においては、高密度の光ディスクであるＢＤ−ＲＥを光ディスクの例としたが、本発明はこれに限定されるものではなく、記録層が積層されてなる構成であって、光学的に情報の記録又は再生が行われるものであれば、そのフォーマットに限定されず、ＤＶＤ−Ｒ、ＤＶＤ−ＲＡＭ等にて実施してもよい。
【０２４９】
また、実施の形態１〜３においては、それぞれ（３）ディスク製造工程として、ステップ５０１〜５０４に示す各ステップを説明したが、本発明は、各工程を一括して行うディスク製造装置として実現してもよい。図１７はそのようなディスク製造装置１８００の構成図である。図１７に示すように、ディスク製造装置１８００は、ステップ５０１を実行する、基板材料や記録膜材料を張り合わせて光ディスクの媒体本体を作成する張り合わせ手段１８０１と、ステップ５０１〜５０４を実行する、使用性能情報を媒体本体に記録する記録装置１８１０とを備えている。
【０２５０】
また、記録装置１８１０は、媒体本体を駆動する駆動系１８１１，駆動系１８１１にセットされた媒体本体に対して光学的に情報の読み出しまたは書き込みを行う光学系１８１２、光学系１８１２の読み出した情報を取得して、ステップ５０２，５０３の検査を実行する検査部１８１３，検査部１８１３の検査結果に基づき使用性能情報を生成する使用性能情報生成部１８１４を有する。光学系１８１は使用性能情報生成部１８１４から使用性能情報を、媒体本体の所定位置（実施の形態１であればＢＣＡ、実施の形態２、３であればＤＭＡ）に対して光学的に書き込む動作も行う。
【０２５１】
以上の構成において、製造装置１８００は本発明の情報記録媒体の製造装置に相当し、記録装置１８１０は本発明の情報記録媒体の記録装置に相当する。また、光学系１８１２は本発明の記述手段に相当する。なお、記録装置１８１０は、製造装置１８００と独立して使用してもよい。また、検査部１８１３及び使用性能情報生成部１８１４は製造装置１８００と一体として説明を行ったが、検査部１８１３及び使用性能情報生成部は、別構成として、製造装置１８００は使用性能情報を外部から取得して動作する構成としてもよい。この場合、検査部１８１３，使用性能情報生成部１８１４は従来の検査用の光ドライブをそのまま用いることができる。また、本発明の使用性能を検査するステップと、使用性能情報を所定箇所に記述するステップとを、離れた場所で実行することができる。
【産業上の利用可能性】
【０２５２】
本発明にかかる情報記録媒体、その製造方法、その処理装置並びにその使用準備方法、及び情報記録方法並びに情報記録装置は、いずれかの記録層に不具合が生じたとしても、その程度に応じて記録層を有効利用できる効果を有し、例えば、複数の記録層を備える光ディスクの製造や、複数の記録層を備える光ディスクを記録再生可能な光ディスクドライブ装置に適用でき、有用である。
【図面の簡単な説明】
【０２５３】
【図１】本発明の実施の形態１〜３における、２層光ディスクの断面図
【図２】本発明の実施の形態１における、ディスク定義構造のデータ構造説明図
【図３】本発明の実施の形態における、記録層良否情報のデータ構造図
【図４】本発明の実施の形態１における、ディスク製造手順を示す図
【図５】本発明の実施の形態１における、光ディスク記録再生装置１００のブロック図
【図６】物理アドレスと論理アドレスとの対応関係説明図
【図７】本発明の実施の形態１における、ディスク読み込み（起動）手順を示す図
【図８】本発明の実施の形態における、記録層の使用順番の例を示す説明図
【図９】本発明の実施の形態２における、ディスク定義構造のデータ構造説明図
【図１０】本発明の実施の形態２における、光ディスク記録再生装置１００のブロック図
【図１１】ＦｏｒｍａｔコマンドのコマンドＣＤＢ説明図
【図１２】本発明の実施の形態２，３における、記録層良否情報の設定手順を示す図
【図１３】本発明の実施の形態２における、ディスク読み込み（起動）手順を示す図
【図１４】本発明の実施の形態３における、ディスク定義構造のデータ構造説明図
【図１５】本発明の実施の形態３における、欠陥エントリの構造および属性説明図
【図１６】本発明の実施の形態３における、ディスク読み込み（起動）手順を示す図
【図１７】本発明の実施の形態１〜３における、光ディスクの製造装置及び記録装置の構成図
【図１８】光ディスクの領域構成図
【符号の説明】
【０２５４】
１    光ディスク
２    トラック
３    ブロック
４    ＢＣＡ
５    内周領域
６    データ領域
７    外周領域
１０，１１，１２，１３    ＤＭＡ
１４    ユーザデータ領域
１５    スペア領域
２０    ディスク定義構造（ＤＤＳ）
２１    ディスク管理情報
３０，４５    記録層良否情報
３１，４６    その他の情報
４０    ディスク定義構造識別子
４１    ディスク管理情報先頭位置情報
４２    スペア領域サイズ情報
４３    論理空間先頭位置情報
４４    論理空間サイズ情報
４７    欠陥リストヘッダ
４８    欠陥エントリ
５０    イネーブルフラグ
５１    良否情報
７０    欠陥属性情報
７１    欠陥位置情報
７２    欠陥サブ情報
１００    光ディスク記録再生装置
１１０    命令処理部
１２０    記録制御部
１３０    再生制御部
１４０    ＢＣＡ読み出し部
１５０    管理情報格納バッファ
１６０    データバッファ
１７０    記録層良否情報制御部
１７１    記録層良否情報判定部
１７２    アドレス変換処理部
１７３    記録層良否情報設定部
１８０    Ｉ／Ｏバス
５０１    光ディスク基板
５０２    第０記録層
５０３    第１記録層
【手続補正３】
【補正対象書類名】図面
【補正対象項目名】全図
【補正方法】変更
【補正の内容】
【図１】
2006038633.tif 000020
【図２】
2006038633.tif 000021
【図３】
2006038633.tif 000022
【図４】
2006038633.tif 000023
【図５】
2006038633.tif 000024
【図６】
2006038633.tif 000025
【図７】
2006038633.tif 000026
【図８】
2006038633.tif 000027
【図９】
2006038633.tif 000028
【図１０】
2006038633.tif 000029
【図１１】
2006038633.tif 000030
【図１２】
2006038633.tif 000031
【図１３】
2006038633.tif 000032
【図１４】
2006038633.tif 000033
【図１５】
2006038633.tif 000034
【図１６】
2006038633.tif 000035
【図１７】
2006038633.tif 000036
【図１８】
2006038633.tif 000037
【国際調査報告】
2006038633.tif 000038
2006038633.tif 000039
2006038633.tif 000040